(57)【要約】提供されるものは、情報伝送方法、基地局、端末、およびコンピュータ可読記憶媒体である。情報伝送方法は、基地局が第１のメッセージを送信するステップを含む。第１のメッセージは、チャネル品質閾値の少なくとも１つのセットであって、チャネル品質閾値の少なくとも１つのセットはそれぞれ、少なくとも１つのチャネル品質閾値を含む、チャネル品質閾値の少なくとも１つのセット、または少なくとも１つのチャネル品質閾値に対する偏差値のうちの少なくとも１つを含む。少なくとも１つのチャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って、設定される。
2021512551.tif 000002
【特許請求の範囲】
【請求項１】
情報伝送方法であって、
基地局によって、第１のメッセージを送信すること
を含み、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、方法。
【請求項２】
前記第１のメッセージは、
チャネル品質閾値の１つのセットおよび前記チャネル品質閾値の１つのセットの中のチャネル品質閾値に対する偏差値、
チャネル品質閾値の２つのセット、または
チャネル品質閾値の１つのセット
のうちの１つを備える、請求項１に記載の方法。
【請求項３】
前記第１のメッセージが前記少なくとも１つのチャネル品質閾値に対する前記偏差値を備える条件では、
前記第１のメッセージはさらに、前記チャネル品質偏差値の有効化識別を備える、または
前記基地局は、前記第１のメッセージ以外のメッセージを通して前記チャネル品質偏差値の有効化識別を送信する、請求項１に記載の方法。
【請求項４】
前記第１のメッセージに含まれるチャネル品質閾値のセットの数が１を上回る条件では、
前記第１のメッセージはさらに、チャネル品質閾値の事前設定されたセットに加えて、チャネル品質閾値の他のセットの有効化識別を備える、または
前記基地局は、前記第１のメッセージ以外のメッセージを通して、チャネル品質閾値の事前設定されたセットに加えて、チャネル品質閾値の他のセットの有効化識別を送信する、請求項１に記載の方法。
【請求項５】
前記基地局は、前記第１のメッセージに従って、チャネル品質を複数のチャネル品質値範囲に分割する、請求項１または２に記載の方法。
【請求項６】
基地局であって、前記基地局は、プロセッサと、メモリと、通信バスとを備え、
前記通信バスは、前記プロセッサと前記メモリとの間の接続通信を実装するように構成され、
前記プロセッサは、前記メモリ内に記憶された情報伝送プログラムを実行し、
第１のメッセージを送信するステップ
を遂行するように構成され、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、基地局。
【請求項７】
少なくとも１つのプログラムを記憶するように構成されるコンピュータ可読記憶媒体であって、少なくとも１つのプロセッサは、前記少なくとも１つのプログラムを実行し、
第１のメッセージを送信するステップ
を遂行することが可能であり、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、コンピュータ可読記憶媒体。
【請求項８】
情報伝送方法であって、
端末によって、基地局によって送信される第１のメッセージを受信すること
を含み、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、方法。
【請求項９】
前記端末は、前記第１のメッセージに従って、チャネル品質を複数のチャネル品質値範囲に分割する、請求項８に記載の方法。
【請求項１０】
前記端末によって、アップリンクチャネルを通して第２のメッセージを伝送することをさらに含み、前記第２のメッセージは、
カバレッジ拡張レベル、
ダウンリンクチャネルの反復送信情報であって、前記反復送信情報は、反復送信レベルまたは反復送信回数を備える、反復送信情報、
ダウンリンクチャネルの変調コーディング情報であって、前記変調コーディング情報は、変調オーダーまたはコーディング効率のうちの少なくとも１つを備える、変調コーディング情報、または
チャネル品質測定情報であって、前記チャネル品質測定情報は、チャネル品質測定値またはチャネル品質測定値が位置するチャネル品質値範囲を備える、チャネル品質測定情報
のうちの少なくとも１つを備える、請求項８に記載の方法。
【請求項１１】
前記端末が第１の条件を満たすことを決定することに応答して、前記端末によって、前記アップリンクチャネルを通して前記第２のメッセージを伝送することをさらに含み、
前記第１の条件は、
（１）前記第２のメッセージの送信を有効化するための識別を備える前記基地局によって前記端末に送信されるメッセージ、
（２）Ｂである前記端末のカバレッジ拡張レベルであって、Ｂは、少なくとも１つの事前設定されたカバレッジ拡張レベルである、カバレッジ拡張レベル、
（３）事前設定されたカバレッジ拡張レベル閾値を上回る前記端末のカバレッジ拡張レベル、
（４）決定されたチャネル品質範囲内である前記端末のチャネル品質測定値、
（５）前記少なくとも１つのチャネル品質閾値に対する前記偏差値と、有効化されている前記少なくとも１つのチャネル品質閾値に対する前記偏差値とを備える、前記第１のメッセージ、
（６）前記少なくとも１つのチャネル品質閾値に対する前記偏差値と、事前設定された値に等しくない前記少なくとも１つのチャネル品質閾値に対する前記偏差値の値とを備える前記第１のメッセージ、
（７）１を上回る前記第１のメッセージに含まれるチャネル品質閾値のセットの数、および有効化されているチャネル品質閾値の事前設定されたセットに加えたチャネル品質閾値の他のセット、
（８）１を上回る前記第１のメッセージに含まれるチャネル品質閾値のセットの数、または
（９）前記少なくとも１つのチャネル品質閾値に対する前記偏差値を備える前記第１のメッセージ
のうちの少なくとも１つを備える、請求項１０に記載の方法。
【請求項１２】
前記第１の条件は、いくつかの以下の条件の組み合わせのうちの１つ、すなわち、
第１の条件の組み合わせ：（１）（２）、（１）（３）、または（１）（４）、
第２の条件の組み合わせ：（２）（４）、
条件の第３の組み合わせ：（３）（４）、
第４の条件の組み合わせ：（１）（２）（４）または（１）（３）（４）、
第５の条件の組み合わせ：（８）（２）、（８）（３）、または（８）（４）、
第６の条件の組み合わせ：（９）（２）、（９）（３）、または（９）（４）、
第７の条件の組み合わせ：（８）（２）（４）または（８）（３）（４）、または
第８の条件の組み合わせ：（９）（２）（４）または（９）（３）（４）
を備え、（ｉ）は、前記第１の条件に含まれるｉ番目のコンテンツであり、ｉは、１〜９の自然数である、請求項１１に記載の方法。
【請求項１３】
前記アップリンクチャネルは、
ランダムアクセス信号Ｍｓｇ１が送信されるときに使用されるアップリンクチャネル、
衝突検出メッセージＭｓｇ３が送信されるときに使用されるアップリンクチャネル、
無線リソース制御接続設定完了メッセージまたは無線リソース制御接続再開完了メッセージＭｓｇ５が送信されるときに使用されるアップリンクチャネル、
アップリンク情報転送メッセージが送信されるときに使用されるアップリンクチャネル、
ユーザ機器能力情報が送信されるときに使用されるアップリンクチャネル、または
ユーザ機器情報応答メッセージが送信されるときに使用されるアップリンクチャネル
のうちの少なくとも１つを備える、請求項１０または１１に記載の方法。
【請求項１４】
前記第２のメッセージが前記ダウンリンクチャネルのチャネル品質測定情報を備えることを決定することに応答して、前記ダウンリンクチャネルのチャネル品質測定情報は、Ｎビットを使用することによって示され、Ｎは、１以上の整数であり、前記Ｎビットによって量子化されるチャネル品質値範囲は、
前記端末によって選択されるカバレッジ拡張レベルに対応するチャネル品質値範囲、
前記端末によって送信されるランダムアクセス信号が位置するランダムアクセスチャネルリソースに対応するチャネル品質値範囲、
そのチャネル品質値がチャネル品質値Ａ以上のチャネル品質値範囲であって、Ａは、前記端末によって送信されるランダムアクセス信号が位置するランダムアクセスチャネルリソースに対応するチャネル品質値範囲内の最小値、またはチャネル品質値範囲内の境界値、またはチャネル品質値範囲内の事前決定された値である、チャネル品質値範囲、または
複数のチャネル品質値範囲、
のうちの少なくとも１つである、請求項１０または１１に記載の方法。
【請求項１５】
Ｎビットによって量子化される前記チャネル品質値範囲が前記複数のチャネル品質値範囲である条件では、前記複数のチャネル品質値範囲は、
前記端末によって選択される前記カバレッジ拡張レベルに対応する前記チャネル品質値範囲であって、前記端末によって選択される前記カバレッジ拡張レベルに対応する前記チャネル品質値範囲内の量子化された区画の数は、他のチャネル品質値範囲のそれぞれの中の量子化された区画の数以上である、前記チャネル品質値範囲、または
前記端末によって送信される前記ランダムアクセス信号が位置する前記ランダムアクセスチャネルリソースに対応する前記チャネル品質値範囲であって、前記端末によって送信される前記ランダムアクセス信号が位置する前記ランダムアクセスチャネルリソースに対応する前記チャネル品質値範囲内の量子化された区画の数は、他のチャネル品質値範囲のそれぞれの中の量子化された区画の数以上である、前記チャネル品質値範囲
を備える、請求項１４に記載の方法。
【請求項１６】
前記端末は、前記カバレッジ拡張レベルに従って、前記第２のメッセージ内で送信されるべき前記ダウンリンクチャネルのチャネル品質測定情報の量を決定する、請求項１１に記載の方法。
【請求項１７】
前記端末によって、前記第１のメッセージに従って、かつ所定の第１のルールまたは所定の第２のルールに従って、
カバレッジ拡張レベル、
チャネルの反復送信情報であって、前記反復送信情報は、反復送信レベルまたは反復送信回数を備える、反復送信情報、
チャネルの変調コーディング情報であって、前記変調コーディング情報は、変調オーダーまたはコーディング効率のうちの少なくとも１つを備える、変調コーディング情報、または
チャネル品質測定情報であって、前記チャネル品質測定情報は、チャネル品質測定値またはチャネル品質測定値が位置するチャネル品質値範囲を備える、チャネル品質測定情報
のうちの少なくとも１つを決定すること
をさらに含む、請求項８に記載の方法。
【請求項１８】
前記第１のルールは、
前記端末が、第１のチャネル品質測定値およびチャネル品質閾値の第１のセットに従って、前記端末の第１のカバレッジ拡張レベルを決定し、前記端末が、第２のチャネル品質測定値およびチャネル品質閾値の第２のセットに従って、前記端末の第２のカバレッジ拡張レベルを決定すること、または
前記端末が、第１のチャネル品質測定値およびチャネル品質閾値の第１のセットに従って、前記端末の第１のタイプのチャネル品質の値範囲を決定し、前記端末が、第２のチャネル品質測定値およびチャネル品質閾値の第２のセットに従って、前記端末の第２のタイプのチャネル品質の値範囲を決定すること、または
前記端末が、第１のチャネル品質測定値、チャネル品質閾値の第１のセット、第２のチャネル品質測定値、およびチャネル品質閾値の第２のセットに従って、前記端末のカバレッジ拡張レベル、または前記チャネルの反復送信情報、または前記チャネルの変調コーディング情報を決定すること
を含む、請求項１７に記載の方法。
【請求項１９】
前記第１のルールはさらに、
前記端末が、前記端末のカバレッジ拡張レベルとして、前記第１のカバレッジ拡張レベルおよび前記第２のカバレッジ拡張レベルから最大カバレッジ拡張レベルを選択すること、
前記端末が、前記端末のカバレッジ拡張レベルとして、前記第１のカバレッジ拡張レベルおよび前記第２のカバレッジ拡張レベルをとること、
前記端末が、前記端末のチャネル品質測定情報として、前記第１のタイプのチャネル品質の選択された値範囲のインデックスおよび前記第２のタイプのチャネル品質の選択された値範囲のインデックスから最大値をとること、または
前記端末が、前記端末のチャネル品質測定情報として、前記第１のタイプのチャネル品質の選択された値範囲および前記第２のタイプのチャネル品質の選択された値範囲をとること
のうちのいずれか１つを含む、請求項１８に記載の方法。
【請求項２０】
前記第１のルールはさらに、
前記端末が、前記端末のカバレッジ拡張レベルとして、前記第２のカバレッジ拡張レベルをとること、または
前記端末が、前記端末のチャネル品質測定情報として、前記第２のタイプのチャネル品質の選択された値範囲をとること
を含む、請求項１８に記載の方法。
【請求項２１】
前記第１のルールはさらに、
前記端末が、前記カバレッジ拡張レベルに従って、前記チャネルの対応する反復送信情報を選択すること、
前記端末が、前記カバレッジ拡張レベルに従って、前記チャネルの対応する変調コーディング情報を選択すること、
前記端末が、ダウンリンクチャネルのチャネル品質測定情報に従って、前記チャネルの対応する反復送信情報を選択すること、または
前記端末が、ダウンリンクチャネルのチャネル品質測定情報に従って、前記チャネルの対応する変調コーディング情報を選択すること
のうちの少なくとも１つを含む、請求項１９または２０に記載の方法。
【請求項２２】
前記第２のルールは、
前記端末が、第１のチャネル品質測定値およびチャネル品質閾値の第１のセットに従って、前記端末の第１のカバレッジ拡張レベルを決定すること、同一の第１のカバレッジ拡張レベルに属する前記端末が、第２のチャネル品質測定値およびチャネル品質閾値の第２のセットに従って、前記端末の第２のカバレッジ拡張レベルを決定し、前記端末が、前記端末のカバレッジ拡張レベルとして前記第２のカバレッジ拡張レベルをとるか、または、前記端末のカバレッジ拡張レベルとして前記第１のカバレッジ拡張レベルおよび前記第２のカバレッジ拡張レベルをとることであって、前記第１のカバレッジ拡張レベルおよび前記第２のカバレッジ拡張レベルは、独立して示される、または、前記第１のカバレッジ拡張レベルおよび前記第２のカバレッジ拡張レベルは、合同で示される、こと、または
前記端末が、第１のチャネル品質測定値およびチャネル品質閾値の第１のセットに従って、前記端末の第１のタイプのチャネル品質の値範囲を決定すること、前記第１のタイプのチャネル品質の同一の値範囲に属する前記端末が、第２のチャネル品質測定値およびチャネル品質閾値の第２のセットに従って、前記端末の第２のタイプのチャネル品質の値範囲を決定することであって、前記端末の第１のタイプのチャネル品質の値範囲および前記端末の第２のタイプのチャネル品質の値範囲は、独立して示される、または、前記端末の第１のタイプのチャネル品質の値範囲および前記端末の第２のタイプのチャネル品質の値範囲は、合同で示される、こと
を含む、請求項１７に記載の方法。
【請求項２３】
前記第２のルールはさらに、
前記端末が、前記カバレッジ拡張レベルに従って、前記チャネルの対応する反復送信情報を選択すること、
前記端末が、前記カバレッジ拡張レベルに従って、前記チャネルの対応する変調コーディング情報を選択すること、
前記端末が、ダウンリンクチャネル品質測定値または前記ダウンリンクチャネル品質測定値が位置するチャネル品質値範囲に従って、前記チャネルの対応する反復送信情報を選択すること、または
前記端末が、ダウンリンクチャネル品質測定値または前記ダウンリンクチャネル品質測定値が位置するチャネル品質値範囲に従って、前記チャネルの対応する変調コーディング情報を選択すること
のうちの少なくとも１つを含む、請求項２２に記載の方法。
【請求項２４】
前記チャネル品質閾値の第１のセットに対応するチャネル品質および前記チャネル品質閾値の第２のセットに対応するチャネル品質は、異なるタイプに属する、請求項２２に記載の方法。
【請求項２５】
前記チャネル品質閾値の第１のセットに対応する前記チャネル品質は、前記基準信号受信電力（ＲＳＲＰ）であり、前記チャネル品質閾値の第２のセットに対応する前記チャネル品質は、前記基準信号受信品質（ＲＳＲＱ）または前記ダウンリンク信号対干渉および雑音比（ＳＩＮＲ）である、請求項２４に記載の方法。
【請求項２６】
前記端末によって、アップリンクチャネルを通して第３のメッセージを伝送することをさらに含み、前記第３のメッセージは、
カバレッジ拡張レベル、
チャネルの反復送信情報であって、前記反復送信情報は、反復送信レベルまたは反復送信回数を備える、反復送信情報、
チャネルの変調コーディング情報であって、前記変調コーディング情報は、変調オーダーまたはコーディング効率のうちの少なくとも１つを備える、変調コーディング情報、または
チャネル品質測定情報であって、前記チャネル品質測定情報は、チャネル品質測定値またはチャネル品質測定値が位置するチャネル品質値範囲を備える、チャネル品質測定情報
のうちの少なくとも１つを備え、
前記端末は、所定の第１のルールまたは所定の第２のルールを通して前記第３のメッセージ内のパラメータの値を決定する、請求項８に記載の方法。
【請求項２７】
前記第１のルールは、
前記端末が、第１のチャネル品質測定値およびチャネル品質閾値の第１のセットに従って、前記端末の第１のカバレッジ拡張レベルを決定し、前記端末が、第２のチャネル品質測定値およびチャネル品質閾値の第２のセットに従って、前記端末の第２のカバレッジ拡張レベルを決定すること、または
前記端末が、第１のチャネル品質測定値およびチャネル品質閾値の第１のセットに従って、前記端末の第１のタイプのチャネル品質の値範囲を決定し、前記端末が、第２のチャネル品質測定値およびチャネル品質閾値の第２のセットに従って、前記端末の第２のタイプのチャネル品質の値範囲を決定すること、または
前記端末が、第１のチャネル品質測定値、チャネル品質閾値の第１のセット、第２のチャネル品質測定値、およびチャネル品質閾値の第２のセットに従って、前記端末のカバレッジ拡張レベル、または前記チャネルの反復送信情報、または前記チャネルの変調コーディング情報を決定すること
のうちのいずれか１つを含む、請求項２６に記載の方法。
【請求項２８】
前記第１のルールはさらに、
前記端末が、前記端末のカバレッジ拡張レベルとして、前記第１のカバレッジ拡張レベルおよび前記第２のカバレッジ拡張レベルから最大カバレッジ拡張レベルを選択すること、
前記端末が、前記端末のカバレッジ拡張レベルとして、前記第１のカバレッジ拡張レベルおよび前記第２のカバレッジ拡張レベルをとること、
前記端末が、前記端末のチャネル品質測定情報として、前記第１のタイプのチャネル品質の選択された値範囲のインデックスおよび前記第２のタイプのチャネル品質の選択された値範囲のインデックスから最大値をとること、または
前記端末が、前記端末のチャネル品質測定情報として、前記第１のタイプのチャネル品質の選択された値範囲および前記第２のタイプのチャネル品質の選択された値範囲をとること
のうちのいずれか１つを含む、請求項２７に記載の方法。
【請求項２９】
前記第１のルールはさらに、
前記端末が、前記端末のカバレッジ拡張レベルとして、前記第２のカバレッジ拡張レベルをとること、または
前記端末が、前記端末のチャネル品質測定情報として、前記第２のタイプのチャネル品質の選択された値範囲をとること
を含む、請求項２７に記載の方法。
【請求項３０】
前記第１のルールはさらに、
前記端末が、前記カバレッジ拡張レベルに従って、前記チャネルの対応する反復送信情報を選択すること、
前記端末が、前記カバレッジ拡張レベルに従って、前記チャネルの対応する変調コーディング情報を選択すること、
前記端末が、ダウンリンクチャネルのチャネル品質測定情報に従って、前記チャネルの対応する反復送信情報を選択すること、または
前記端末が、ダウンリンクチャネルのチャネル品質測定情報に従って、前記チャネルの対応する変調コーディング情報を選択すること
のうちの少なくとも１つを含む、請求項２８または２９に記載の方法。
【請求項３１】
前記第２のルールは、
前記端末が、第１のチャネル品質測定値およびチャネル品質閾値の第１のセットに従って、前記端末の第１のカバレッジ拡張レベルを決定すること、前記同一の第１のカバレッジ拡張レベルに属する前記端末が、第２のチャネル品質測定値およびチャネル品質閾値の第２のセットに従って、前記端末の第２のカバレッジ拡張レベルを決定し、前記端末が、前記端末のカバレッジ拡張レベルとして、前記第２のカバレッジ拡張レベルをとること、または、前記端末のカバレッジ拡張レベルとして、前記第１のカバレッジ拡張レベルおよび前記第２のカバレッジ拡張レベルをとることであって、前記第１のカバレッジ拡張レベルおよび前記第２のカバレッジ拡張レベルは、独立して示される、または、前記第１のカバレッジ拡張レベルおよび前記第２のカバレッジ拡張レベルは、合同で示される、こと、または
前記端末が、第１のチャネル品質測定値およびチャネル品質閾値の第１のセットに従って、前記端末の第１のタイプのチャネル品質の値範囲を決定すること、前記第１のタイプのチャネル品質の同一の値範囲に属する前記端末が、第２のチャネル品質測定値およびチャネル品質閾値の第２のセットに従って、前記端末の第２のタイプのチャネル品質の値範囲を決定することであって、前記端末の第１のタイプのチャネル品質の値範囲および前記端末の第２のタイプのチャネル品質の値範囲は、独立して示される、または、前記端末の第１のタイプのチャネル品質の値範囲および前記端末の第２のタイプのチャネル品質の値範囲は、合同で示される、こと
を含む、請求項２６に記載の方法。
【請求項３２】
前記第２のルールはさらに、
前記端末が、前記カバレッジ拡張レベルに従って、前記チャネルの対応する反復送信情報を選択すること、
前記端末が、前記カバレッジ拡張レベルに従って、前記チャネルの対応する変調コーディング情報を選択すること、
前記端末が、ダウンリンクチャネル品質測定値または前記ダウンリンクチャネル品質測定値が位置するチャネル品質値範囲に従って、前記チャネルの対応する反復送信情報を選択すること、または
前記端末が、ダウンリンクチャネル品質測定値または前記ダウンリンクチャネル品質測定値が位置するチャネル品質値範囲に従って、前記チャネルの対応する変調コーディング情報を選択すること
のうちの少なくとも１つを含む、請求項３１に記載の方法。
【請求項３３】
前記チャネル品質閾値の第１のセットに対応するチャネル品質および前記チャネル品質閾値の第２のセットに対応するチャネル品質は、異なるタイプに属する、請求項３２に記載の方法。
【請求項３４】
前記チャネル品質閾値の第１のセットに対応する前記チャネル品質は、前記ＲＳＲＰであり、前記チャネル品質閾値の第２のセットに対応する前記チャネル品質は、前記ＲＳＲＱまたは前記ダウンリンクＳＩＮＲである、請求項３３に記載の方法。
【請求項３５】
前記端末が第２の条件を満たすことを決定することに応答して、前記端末は、前記アップリンクチャネルを通して前記第３のメッセージを伝送し、前記第２の条件は、
（１）前記第３のメッセージの送信を有効化するための識別を備える、システムメッセージ、またはブロードキャストメッセージ、またはダウンリンクチャネルを通して前記端末に送信されるメッセージ、
（２）Ｂである前記端末のカバレッジ拡張レベルであって、Ｂは、少なくとも１つの事前設定されたカバレッジ拡張レベルである、カバレッジ拡張レベル、
（３）事前設定されたカバレッジ拡張レベル閾値を上回る前記端末のカバレッジ拡張レベル、
（４）決定されたチャネル品質範囲内である前記端末のチャネル品質測定値、または
（５）１を上回る前記第１のメッセージに含まれるチャネル品質閾値のセットの数
のうちの少なくとも１つを含む、請求項２６に記載の方法。
【請求項３６】
端末であって、前記端末は、プロセッサと、メモリと、通信バスとを備え、
前記通信バスは、前記プロセッサと前記メモリとの間の接続通信を実装するように構成され、
前記プロセッサは、前記メモリ内に記憶された情報伝送プログラムを実行し、情報伝送方法を遂行するように構成され、前記方法は、
基地局によって送信される第１のメッセージを受信すること
を含み、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、端末。
【請求項３７】
少なくとも１つのプログラムを記憶するように構成されるコンピュータ可読記憶媒体であって、少なくとも１つのプロセッサは、前記少なくとも１つのプログラムを実行し、情報伝送方法を遂行することが可能であり、前記方法は、
基地局によって送信される第１のメッセージを受信すること
を含み、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備え、
前記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、コンピュータ可読記憶媒体。
【請求項３８】
情報伝送方法であって、
端末によって、基地局によって送信される第１のメッセージを受信することであって、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備える、ことと、
前記端末によって、ランダムアクセスプリアンブルＭｓｇ１メッセージを送信することであって、前記Ｍｓｇ１メッセージは、少なくとも１つの第１の構造を備える、ことと
を含み、前記少なくとも１つの第１の構造はそれぞれ、少なくとも１つのシンボル群を備え、
前記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、方法。
【請求項３９】
前記第１の構造は、
４つのシンボル群であって、第１のシンボル群によって占有される副搬送波インデックスおよび第２のシンボル群によって占有される副搬送波インデックスは、１つの副搬送波だけ異なり、第３のシンボル群によって占有される副搬送波インデックスおよび第４のシンボル群によって占有される副搬送波インデックスは、６つの副搬送波だけ異なる、４つのシンボル群、または
３つのシンボル群であって、第１のシンボル群によって占有される副搬送波インデックスおよび第２のシンボル群によって占有される副搬送波インデックスは、１つの副搬送波だけ異なり、前記第２のシンボル群によって占有される副搬送波インデックスおよび第３のシンボル群によって占有される副搬送波インデックスは、６つの副搬送波だけ異なる、３つのシンボル群
を備える、請求項３８に記載の方法。
【請求項４０】
前記Ｍｓｇ１メッセージが複数の第１の構造を備え、前記複数の第１の構造がそれぞれ、３つのシンボル群を備えることを決定することに基づいて、
奇数インデックスを有する第１の構造内の第１のシンボル群によって占有される副搬送波インデックスが、第１の副搬送波セットから選択され、
偶数インデックスを有する第１の構造内の第１のシンボル群によって占有される副搬送波インデックスが、第２の副搬送波セットから選択され、
前記第１の副搬送波セットに含まれる副搬送波の数は、１２であり、
前記第２の副搬送波セットは、以下のルール、すなわち、
前記偶数インデックスを有する前記第１の構造の前に、奇数インデックスを有する第１の構造内の第１のシンボル群によって占有される副搬送波インデックスが、前記第１の副搬送波セットの中のインデックス｛０，２，４｝のうちの１つである条件では、前記第２の副搬送波セットは、前記第１の副搬送波セットの中のインデックス｛７，９，１１｝を有する副搬送波を備えること、
前記偶数インデックスを有する前記第１の構造の前に、奇数インデックスを有する第１の構造内の第１のシンボル群によって占有される副搬送波インデックスが、前記第１の副搬送波セットの中のインデックス｛６，８，１０｝のうちの１つである条件では、前記第２の副搬送波セットは、前記第１の副搬送波セットの中のインデックス｛１，３，５｝を有する副搬送波を備えること、
前記偶数インデックスを有する前記第１の構造の前に、奇数インデックスを有する第１の構造内の第１のシンボル群によって占有される副搬送波インデックスが、前記第１の副搬送波セットの中のインデックス｛１，３，５｝のうちの１つである条件では、前記第２の副搬送波セットは、前記第１の副搬送波セットの中のインデックス｛６，８，１０｝を有する副搬送波を備えること、または
前記偶数インデックスを有する前記第１の構造の前に、奇数インデックスを有する第１の構造内の第１のシンボル群によって占有される副搬送波インデックスが、前記第１の副搬送波セットの中のインデックス｛７，９，１１｝のうちの１つである条件では、前記第２の副搬送波セットは、前記第１の副搬送波セットの中のインデックス｛０，２，４｝を有する副搬送波を備えること
のうちの１つに従って決定される、請求項３９に記載の方法。
【請求項４１】
前記Ｍｓｇ１メッセージが、複数の第１の構造を備え、前記複数の第１の構造がそれぞれ、４つのシンボル群を備えることを決定することに応答して、
奇数インデックスを有する第１の構造内の第１のシンボル群によって占有される副搬送波インデックスは、第３の副搬送波セットから選択され、
前記奇数インデックスを有する前記第１の構造内の第３のシンボル群によって占有される副搬送波インデックスは、第４の副搬送波セットから選択され、
偶数インデックスを有する第１の構造内の第１のシンボル群によって占有される副搬送波インデックスは、第５の副搬送波セットから選択され、
前記偶数インデックスを有する前記第１の構造内の第３のシンボル群によって占有される副搬送波インデックスは、第６の副搬送波セットから選択され、
前記第３の副搬送波セットに含まれる副搬送波の数は、１２であり、前記第４の副搬送波セットに含まれる副搬送波の数は、１２であり、
前記第５の副搬送波セットは、以下のルール、すなわち、
前記偶数インデックスを有する前記第１の構造の前に、奇数インデックスを有する第１の構造内の第１のシンボル群によって占有される副搬送波インデックスが、前記第３の副搬送波セットの中の偶数インデックスを有する副搬送波である条件では、前記第５の副搬送波セットは、前記第３の副搬送波セットの中の奇数インデックスを有する副搬送波を備えること、または
前記偶数インデックスを有する前記第１の構造の前に、奇数インデックスを有する第１の構造内の第１のシンボル群によって占有される副搬送波インデックスが、前記第３の副搬送波セットの中の奇数インデックスを有する副搬送波である条件では、前記第５の副搬送波セットは、前記第３の副搬送波セットの中の偶数インデックスを有する副搬送波を備えること、
のうちの１つに従って決定され、
前記第６の副搬送波セットは、以下のルール、すなわち、
前記偶数インデックスを有する前記第１の構造の前に、奇数インデックスを有する第１の構造内の第３のシンボル群によって占有される副搬送波インデックスが、前記第４の副搬送波セットの中の｛０，１，２，３，４，５｝のインデックスを有する副搬送波である条件では、前記第６の副搬送波セットは、前記第４の副搬送波セットの中のインデックス｛６，７，８，９，１０，１１｝を有する副搬送波を備えること、または
前記偶数インデックスを有する前記第１の構造の前に、奇数インデックスを有する第１の構造内の第３のシンボル群によって占有される副搬送波インデックスが、前記第４の副搬送波セットの中の｛６，７，８，９，１０，１１｝のインデックスを有する副搬送波である条件では、前記第６の副搬送波セットは、前記第４の副搬送波セットの中のインデックス｛０，１，２，３，４，５｝を有する副搬送波を備えること
のうちの１つに従って決定される、請求項３９に記載の方法。
【請求項４２】
端末であって、前記端末は、プロセッサと、メモリと、通信バスとを備え、
前記通信バスは、前記プロセッサと前記メモリとの間の接続通信を実装するように構成され、
前記プロセッサは、前記メモリ内に記憶された情報伝送プログラムを実行し、情報伝送方法を遂行するように構成され、前記方法は、
基地局によって送信される第１のメッセージを受信することであって、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備える、ことと、
ランダムアクセスプリアンブルＭｓｇ１メッセージを送信することであって、前記Ｍｓｇ１メッセージは、少なくとも１つの第１の構造を備える、ことと
を含み、前記少なくとも１つの第１の構造はそれぞれ、少なくとも１つのシンボル群を備え、
前記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、端末。
【請求項４３】
少なくとも１つのプログラムを記憶するように構成されるコンピュータ可読記憶媒体であって、少なくとも１つのプロセッサは、前記少なくとも１つのプログラムを実行し、情報伝送方法を遂行することが可能であり、前記方法は、
基地局によって送信される第１のメッセージを受信することであって、前記第１のメッセージは、
チャネル品質閾値の少なくとも１つのセットであって、前記チャネル品質閾値の少なくとも１つのセットはそれぞれ、少なくとも１つのチャネル品質閾値を備える、チャネル品質閾値の少なくとも１つのセット、または
前記少なくとも１つのチャネル品質閾値に対する偏差値
のうちの少なくとも１つを備える、ことと、
ランダムアクセスプリアンブルＭｓｇ１メッセージを送信することであって、前記Ｍｓｇ１メッセージは、少なくとも１つの第１の構造を備える、ことと
を含み、
前記少なくとも１つの第１の構造はそれぞれ、少なくとも１つのシンボル群を備え、
前記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、コンピュータ可読記憶媒体。
【請求項４４】
情報伝送方法であって、
基地局によって、ダウンリンクチャネルを通してランダムアクセス応答Ｍｓｇ２メッセージを送信することであって、前記Ｍｓｇ２メッセージは、媒体アクセス制御（ＭＡＣ）ヘッダと、ＭＡＣペイロードとを備える、こと
を含み、
前記Ｍｓｇ２メッセージはさらに、前記ランダムアクセスプリアンブルＭｓｇ１メッセージの調節情報を備える、方法。
【請求項４５】
ＭＡＣサブヘッダがバックオフインジケータ情報を備えることを決定することに応答して、前記Ｍｓｇ１メッセージの調節情報は、前記ＭＡＣペイロード内で送信される、請求項４４に記載の方法。
【請求項４６】
前記ＭＡＣペイロードがＭＡＣランダムアクセス応答情報を備えることを決定することに応答して、前記Ｍｓｇ１メッセージの調節情報は、最後のＭＡＣランダムアクセス応答情報の後に送信される、請求項４５に記載の方法。
【請求項４７】
前記Ｍｓｇ１メッセージの調節情報は、
調節されたカバレッジ拡張レベル、
前記Ｍｓｇ１メッセージの調節された反復送信回数または調節された反復送信レベル、
前記Ｍｓｇ１メッセージの調節された初期標的受信電力値、
前記Ｍｓｇ１メッセージを送信するために選択される、調節されたビーム方向またはビームインデックス、
前記Ｍｓｇ１メッセージのリソース構成情報の時間ドメイン・周波数ドメインリソースブロックの調節されたインデックス情報、
カバレッジ拡張レベルの調節量、
前記Ｍｓｇ１メッセージの反復送信回数の調節量または反復送信レベルの調節量、
前記Ｍｓｇ１メッセージの初期標的受信電力値の調節量、
前記Ｍｓｇ１メッセージを送信するための選択されたビーム方向の調節量または選択されたビームインデックスの調節量、または
前記Ｍｓｇ１メッセージのリソース構成情報の時間ドメイン・周波数ドメインリソースブロックのインデックス情報の調節量
のうちの少なくとも１つを備える、請求項４６に記載の方法。
【請求項４８】
前記Ｍｓｇ１メッセージの調節情報は、ＭＡＣサブヘッダ内のランダムアクセスプリアンブル識別（ＲＡＰＩＤ）フィールドによって示される、請求項４４に記載の方法。
【請求項４９】
前記ＭＡＣサブヘッダ内の前記ＲＡＰＩＤフィールドによって示されている前記Ｍｓｇ１メッセージの調節情報は、
前記ＲＡＰＩＤフィールドの状態ビットの一部または全てによって前記Ｍｓｇ１メッセージの調節情報を示すこと
を含み、前記状態ビットは、前記ＲＡＰＩＤフィールドに含まれるビットによって説明される状態である、請求項４８に記載の方法。
【請求項５０】
前記Ｍｓｇ１メッセージの調節情報を示す前記ＭＡＣサブヘッダは、バックオフインジケータ情報を備えるＭＡＣサブヘッダの後に送信される、請求項４９に記載の方法。
【請求項５１】
前記ＭＡＣサブヘッダ内の前記ＲＡＰＩＤフィールドによって示されている前記Ｍｓｇ１メッセージの調節情報は、
前記Ｍｓｇ１メッセージの調節情報が前記ＭＡＣペイロードに含まれるかどうかを示すために前記ＲＡＰＩＤフィールドの状態ビットを使用すること
を含む、請求項４８に記載の方法。
【請求項５２】
前記ＲＡＰＩＤフィールドの状態ビットが、前記Ｍｓｇ１メッセージの調節情報が前記ＭＡＣペイロードに含まれることを示すことを決定することに応答して、前記Ｍｓｇ１メッセージの調節情報は、前記ＭＡＣヘッダの後に送信される、請求項５１に記載の方法。
【請求項５３】
前記ＲＡＰＩＤフィールドの状態ビットが、前記Ｍｓｇ１メッセージの調節情報が前記ＭＡＣペイロードに含まれること、およびＭＡＣランダムアクセス応答情報が前記ＭＡＣペイロード内に存在すること示すことを決定することに応答して、前記Ｍｓｇ１メッセージの調節情報は、前記ＭＡＣペイロード内の最後のＭＡＣランダムアクセス応答情報の後に送信される、請求項５１に記載の方法。
【請求項５４】
基地局であって、前記基地局は、プロセッサと、メモリと、通信バスとを備え、
前記通信バスは、前記プロセッサと前記メモリとの間の接続通信を実装するように構成され、
前記プロセッサは、前記メモリ内に記憶された情報伝送プログラムを実行し、情報伝送方法を遂行するように構成され、前記方法は、
ダウンリンクチャネルを通してランダムアクセス応答Ｍｓｇ２メッセージを送信することであって、前記Ｍｓｇ２メッセージは、媒体アクセス制御（ＭＡＣ）ヘッダと、ＭＡＣペイロードとを備える、こと
を含み、前記Ｍｓｇ２メッセージはさらに、前記ランダムアクセスプリアンブルＭｓｇ１メッセージの調節情報を備える、基地局。
【請求項５５】
少なくとも１つのプログラムを記憶するように構成されるコンピュータ可読記憶媒体であって、少なくとも１つのプロセッサは、前記少なくとも１つのプログラムを実行し、情報伝送方法を遂行することが可能であり、前記方法は、
ダウンリンクチャネルを通してランダムアクセス応答Ｍｓｇ２メッセージを送信することであって、前記Ｍｓｇ２メッセージは、媒体アクセス制御（ＭＡＣ）ヘッダと、ＭＡＣペイロードとを備える、こと
を含み、
前記Ｍｓｇ２メッセージはさらに、前記ランダムアクセスプリアンブルＭｓｇ１メッセージの調節情報を備える、コンピュータ可読記憶媒体。
【発明の詳細な説明】
【技術分野】
【０００１】
本願は、その開示がその全体として参照することによって本明細書に組み込まれる、２０１８年１月３１日に出願された、中国特許出願第２０１８１００９８６１５．０号の優先権を主張する。
【０００２】
本願は、無線通信の技術分野に関し、例えば、情報伝送方法、基地局、端末、およびコンピュータ可読記憶媒体に関する。
【背景技術】
【０００３】
マシンツーマシン（Ｍ２Ｍ）ＵＥとも称される、マシンタイプ通信（ＭＴＣ）ユーザ機器（ＵＥ）（略してＭＴＣ  ＵＥ）は、現在、モノのインターネットの主要適用形態である。セルラー技術に基づく狭帯域のモノのインターネット（ＮＢ−ＩｏＴ）技術は、第３世代パートナーシッププロジェクト（３ＧＰＰ）リリース１３における重要な課題であり、ＮＢ−ＩｏＴ技術に対応する３ＧＰＰプロトコル関連コンテンツは、無線アクセスネットワーク（ＲＡＮ）総会によって承認される。
【０００４】
種々のカバレッジ拡張レベル（ＣＥレベル）が、ＮＢ−ＩｏＴシステムにおいてサポートされるため、異なるカバレッジ拡張レベルのアップリンクチャネルまたはダウンリンクチャネルは、異なる反復回数を採用する。ＮＢ−ＩｏＴ内のＵＥは、カバレッジ拡張レベルを決定し、決定されたカバレッジ拡張レベルに従って、メッセージ１（Ｍｓｇ１）を送信するための対応するランダムアクセスチャネルを選択する。後続のランダムアクセスプロセスに関与するメッセージ（例えば、Ｍｓｇ２、Ｍｓｇ３、およびＭｓｇ４、および上記のメッセージのスケジューリング情報）の反復送信回数は、ＵＥによって選択されるカバレッジ拡張レベルによって決定される。ＵＥは、ダウンリンクチャネル品質情報のみを測定することができるため、アップリンクチャネル品質とダウンリンクチャネル品質との間の合致程度が、不良であるとき、アップリンクチャネルを通したＭｓｇ１およびＭｓｇ３の反復送信回数の選択に偏差が存在する。したがって、Ｍｓｇ１およびＭｓｇ３は、正常に伝送されることができない、またはＭｓｇ１およびＭｓｇ３は、伝送のための過剰なリソースを占有し、リソースのある無駄をもたらす。その一方で、ＮＢ−ＩｏＴ  ＵＥが、ダウンリンクチャネル品質情報を基地局にフィードバックしないため、ダウンリンクチャネルの反復送信回数（Ｍｓｇ２、Ｍｓｇ４、および上記のメッセージのスケジューリング情報等）は、基地局によって柔軟に調節されることができず、基地局によって選択されるダウンリンクチャネルの反復送信回数が、大きすぎる場合、リソースのある無駄もまた、引き起こされるであろう。
【発明の概要】
【課題を解決するための手段】
【０００５】
本願は、アップリンクチャネル伝送の成功率を改良し得る、情報伝送方法、基地局、端末、およびコンピュータ可読記憶媒体を提供する。
【０００６】
本願の実施形態の技術的方式が、以下のように実装される。
【０００７】
本願の実施形態は、情報伝送方法を提供する。情報伝送方法は、以下のステップ、すなわち、基地局が、第１のメッセージを送信するステップを含み、第１のメッセージは、チャネル品質閾値の少なくとも１つのセットであって、チャネル品質閾値の少なくとも１つのセットはそれぞれ、少なくとも１つのチャネル品質閾値を含む、チャネル品質閾値の少なくとも１つのセット、または少なくとも１つのチャネル品質閾値に対する偏差値のうちの少なくとも１つを含み、少なくとも１つのチャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って設定される。
【０００８】
本願の実施形態はさらに、基地局を提供する。基地局は、プロセッサと、メモリと、通信バスとを含む。通信バスは、プロセッサとメモリとの間の接続通信を実装するように構成される。プロセッサは、メモリ内に記憶された情報伝送プログラムを実行し、上記に説明される情報伝送方法を遂行するように構成される。
【０００９】
本願の実施形態はさらに、情報伝送方法を提供する。情報伝送方法は、以下のステップ、すなわち、端末が、基地局によって送信される第１のメッセージを受信するステップを含み、第１のメッセージは、チャネル品質閾値の少なくとも１つのセットであって、チャネル品質閾値の少なくとも１つのセットはそれぞれ、少なくとも１つのチャネル品質閾値を含む、チャネル品質閾値の少なくとも１つのセット、または少なくとも１つのチャネル品質閾値に対する偏差値のうちの少なくとも１つを含み、少なくとも１つのチャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って設定される。
【００１０】
本願の実施形態はさらに、端末を提供する。端末は、プロセッサと、メモリと、通信バスとを含む。通信バスは、プロセッサとメモリとの間の接続通信を実装するように構成される。プロセッサは、メモリ内に記憶された情報伝送プログラムを実行し、上記に説明される情報伝送方法を遂行するように構成される。
【００１１】
本願の実施形態はさらに、情報伝送方法を提供する。情報伝送方法は、以下のステップ、すなわち、端末が、基地局によって送信される第１のメッセージを受信するステップを含み、第１のメッセージは、チャネル品質閾値の少なくとも１つのセットであって、チャネル品質閾値の少なくとも１つのセットはそれぞれ、少なくとも１つのチャネル品質閾値を含む、チャネル品質閾値の少なくとも１つのセット、または少なくとも１つのチャネル品質閾値に対する偏差値のうちの少なくとも１つを含み、端末が、ランダムアクセスプリアンブルＭｓｇ１メッセージを送信し、Ｍｓｇ１メッセージは、少なくとも１つの第１の構造を含み、少なくとも１つの第１の構造はそれぞれ、少なくとも１つのシンボル群を含み、第１の構造の少なくとも１つのシンボル群はそれぞれ、サイクリックプレフィックスと、少なくとも１つのシンボルとを含む、またはサイクリックプレフィックスと、少なくとも１つのシンボルと、ガード時間とを含む。
【００１２】
本願の実施形態はさらに、端末を提供する。端末は、プロセッサと、メモリと、通信バスとを含む。通信バスは、プロセッサとメモリとの間の接続通信を実装するように構成される。プロセッサは、メモリ内に記憶された情報伝送プログラムを実行し、上記に説明される情報伝送方法を遂行するように構成される。
【００１３】
本願の実施形態はさらに、情報伝送方法を提供する。情報伝送方法は、以下のステップ、すなわち、基地局が、ダウンリンクチャネルを通してランダムアクセス応答Ｍｓｇ２メッセージを送信するステップを含み、Ｍｓｇ２メッセージは、少なくとも、媒体アクセス制御（ＭＡＣ）ヘッダと、ＭＡＣペイロードとを含み、Ｍｓｇ２メッセージはさらに、ランダムアクセスプリアンブルＭｓｇ１メッセージの調節情報を含む。
【００１４】
本願の実施形態はさらに、基地局を提供する。基地局は、プロセッサと、メモリと、通信バスとを含む。通信バスは、プロセッサとメモリとの間の接続通信を実装するように構成される。プロセッサは、メモリ内に記憶された情報伝送プログラムを実行し、上記に説明される情報伝送方法を遂行するように構成される。
【００１５】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
【図面の簡単な説明】
【００１６】
本明細書に説明される図面は、本願のさらなる理解を提供し、本願の一部を形成するために使用される。本願内の例示的実施形態およびその説明は、いかなる不適切な態様にも本願を限定することなく、本願を解説するために使用される。
【００１７】
【図１】図１は、本願のある実施形態による、第１の情報伝送方法のフローチャートである。
【００１８】
【図２】図２は、本願のある実施形態による、第２の情報伝送方法のフローチャートである。
【００１９】
【図３】図３は、本願のある実施形態による、第３の情報伝送方法のフローチャートである。
【００２０】
【図４】図４は、本願のある実施形態による、第４の情報伝送方法のフローチャートである。
【００２１】
【図５】図５は、本願のある実施形態による、チャネル品質閾値の第１の構成構造を図示する概略図である。
【００２２】
【図６】図６は、本願のある実施形態による、チャネル品質閾値の第２の構成構造を図示する概略図である。
【００２３】
【図７】図７は、本願のある実施形態による、第１のタイプの第１の構造の１２個の構成パターンを図示する概略図である。
【００２４】
【図８】図８は、本願のある実施形態による、第１のシンボル群の構造図である。
【００２５】
【図９】図９は、本願のある実施形態による、第２のシンボル群の構造図である。
【００２６】
【図１０】図１０は、本願のある実施形態による、第２のタイプの第１の構造の１２個の構成パターンを図示する概略図である。
【００２７】
【図１１】図１１は、本願のある実施形態による、Ｍｓｇ１の調節情報によって占有される第１のリソース位置を図示する概略図である。
【００２８】
【図１２】図１２は、関連技術におけるＥ／Ｔ／ランダムアクセスプリアンブル識別（ＲＡＰＩＤ）ＭＡＣサブヘッダの構造図である。
【００２９】
【図１３】図１３は、関連技術におけるＥ／Ｔ／Ｒ／Ｒ／バックオフインジケータ（ＢＩ）ＭＡＣサブヘッダの構造図である。
【００３０】
【図１４】図１４は、本願のある実施形態による、Ｍｓｇ１の調節情報によって占有される第２のリソース位置を図示する概略図である。
【００３１】
【図１５】図１５は、本願のある実施形態による、Ｍｓｇ１の調節情報によって占有される第３のリソース位置を図示する概略図である。
【００３２】
【図１６】図１６は、本願のある実施形態による、Ｍｓｇ１の調節情報によって占有される第４のリソース位置を図示する概略図である。
【発明を実施するための形態】
【００３３】
本願の実施形態が、以降で図面を参照して詳細に説明されるであろう。不一致が生じていない場合、本願内の実施形態およびその中の特徴は、相互と組み合わせられ得ることに留意されたい。
【００３４】
ＮＢ−ＩｏＴ内のＵＥが、ＮＢ−ＩｏＴシステムの狭帯域物理ランダムアクセスチャネル（ＮＰＲＡＣＨ）を通してランダムアクセス信号（Ｍｓｇ１とも称される）を送信した後、ＵＥは、基地局によって送信されるランダムアクセス応答（ＲＡＲ）メッセージ（Ｍｓｇ２とも称される）を受信する。ＲＡＲのスケジューリング情報は、ダウンリンク制御情報（ＤＣＩ）に含まれ、狭帯域物理ダウンリンク制御チャネル（ＮＰＤＣＣＨ）を通して送信される。
【００３５】
ＮＢ−ＩｏＴ内のＵＥは、ＲＡＲメッセージを受信し、アップリンク時間同期化およびアップリンクリソースを取得する。しかしながら、異なるＵＥが、同一のランダムアクセス無線ネットワーク一時的識別（ＲＡ−ＲＮＴＩ）を通して同一のＲＡＲを受信するように、異なるＵＥが、同一の時間周波数リソース上で同一のランダムアクセスシーケンスを送信する可能性があるため、ＲＡＲメッセージが他のＵＥではなくＵＥ自体に送信されることは、本時点で決定されることができない。さらに、ＵＥは、他のＵＥがランダムアクセスのために同一のリソースを使用しているかどうかを把握しない。したがって、ＵＥは、後続のメッセージ３（Ｍｓｇ３）およびメッセージ４（Ｍｓｇ４）による、そのようなランダムアクセス衝突を解決する必要があり、Ｍｓｇ３はまた、衝突検出メッセージとも称され、Ｍｓｇ４はまた、衝突検出応答メッセージとも称される。
【００３６】
Ｍｓｇ３は、アップリンクスケジューリングに基づく狭帯域物理アップリンク共有チャネル（ＮＰＵＳＣＨ）を通して、ハイブリッド自動反復要求（ＨＡＲＱ）機構を使用して伝送される、メッセージである。無線リソース制御（ＲＲＣ）接続要求（ＲＲＣ接続要求）メッセージまたはＲＲＣ接続再開要求メッセージが、Ｍｓｇ３内で伝送される。異なるＵＥが、同一のＲＡＲメッセージを受信する場合、異なるＵＥは、同一のアップリンクリソースを取得し、同時にＭｓｇ３メッセージを送信する。異なるＵＥを区別するために、ＵＥ特有の識別（ＩＤ）が、異なるＵＥを区別するようにＭｓｇ３内で搬送される。初期アクセスの場合、そのようなＩＤは、ＵＥのＳＡＥ一時的モバイルサブスクライバ識別（Ｓ−ＴＭＳＩ）（存在する場合）またはランダムに生成された４０ビット値であってもよい。
【００３７】
ＵＥは、Ｍｓｇ３メッセージを送信した直後に競合解決タイマを始動し（次いで、Ｍｓｇ３が再伝送される度にタイマを再始動する）、ＵＥは、本時間内に基地局によってＵＥ自体に返される衝突検出応答メッセージ（Ｍｓｇ４メッセージ）をリッスンする必要がある。基地局によって送信されるＭｓｇ４メッセージを正常に受信した後、ＵＥは、ＲＲＣ接続設定完了メッセージまたはＲＲＣ接続再開完了メッセージを基地局に送信し、基地局に通知し、ＲＲＣ接続設定完了メッセージおよびＲＲＣ接続再開完了メッセージは両方とも、Ｍｓｇ５と称される。
【００３８】
図１を参照すると、本願は、情報伝送方法を提供する。本方法は、下記に説明されるステップ１０１を含む。
【００３９】
ステップ１０１では、基地局が、第１のメッセージを送信し、第１のメッセージは、チャネル品質閾値の少なくとも１つのセットであって、チャネル品質閾値の各セットは、少なくとも１つのチャネル品質閾値を含む、チャネル品質閾値の少なくとも１つのセット、またはチャネル品質閾値に対する偏差値のうちの少なくとも１つを含む。
【００４０】
チャネル品質閾値は、少なくとも１つの以下のタイプのチャネル品質、すなわち、基準信号受信電力（ＲＳＲＰ）、基準信号受信品質（ＲＳＲＱ）、ダウンリンク信号対干渉および雑音比（ＳＩＮＲ）、ダウンリンク信号対雑音比（ＳＩＮＲ）、アップリンク信号対干渉および雑音比、アップリンク信号対雑音比、ダウンリンクパスロス、またはアップリンクパスロスに従って設定される。
【００４１】
チャネル品質閾値は、以下のために使用され、すなわち、端末は、チャネル品質測定値を入手し、チャネル品質測定値を対応するチャネル品質閾値と比較し、カバレッジ拡張レベル、またはダウンリンクチャネルのカバレッジ拡張レベル、またはダウンリンクチャネルの反復送信レベル、またはダウンリンクチャネルの反復送信回数を決定することに留意されたい。チャネル品質閾値に対する偏差値は、閾値の１つのセットの中の１つ以上のチャネル品質閾値に関するものであり得る。
【００４２】
実施形態では、第１のメッセージは、システムメッセージ、またはブロードキャストメッセージ、またはダウンリンクチャネルを通して送信される。
【００４３】
実施形態では、第１のメッセージは、チャネル品質閾値の１つのセットおよびチャネル品質閾値の１つのセットの中のチャネル品質閾値に対する偏差値、チャネル品質閾値の２つのセット、またはチャネル品質閾値の１つのセットのうちの１つを含む。
【００４４】
チャネル品質閾値のセットに関する偏差値は、閾値のセットの中の個別の閾値に関して構成され得る、または閾値のセットの中の全ての閾値は、同一の偏差値を共有することに留意されたい。チャネル品質閾値の２つのセットのために選択されるチャネル品質は、ＲＳＲＰ等の同一のタイプのチャネル品質であってもよい。代替として、チャネル品質閾値の２つのセットのために選択されるチャネル品質は、異なるタイプのチャネル品質であってもよく、例えば、チャネル品質閾値の第１のセットのために選択されるチャネル品質は、ＲＳＲＰであり、チャネル品質閾値の第２のセットのために選択されるチャネル品質は、ＲＳＲＱである、またはチャネル品質閾値の第１のセットのために選択されるチャネル品質は、ＲＳＲＰであり、チャネル品質閾値の第２のセットのために選択されるチャネル品質は、ダウンリンクＳＩＮＲである。
【００４５】
実施形態では、チャネル品質閾値の第１のセットは、アップリンクチャネルのカバレッジ拡張レベルを選択するために使用され、チャネル品質閾値の第２のセットは、ダウンリンクチャネルのカバレッジ拡張レベルを選択するために使用される。
【００４６】
実施形態では、第１のメッセージが、チャネル品質閾値に対する偏差値を含むとき、第１のメッセージはさらに、チャネル品質偏差値の有効化識別を含む、または基地局は、第１のメッセージ以外のメッセージ（システムメッセージ、またはブロードキャストメッセージ、またはダウンリンクチャネル）を通してチャネル品質偏差値の有効化識別を送信する。
【００４７】
本明細書に説明される有効化識別は、有効化および無効化の両方を含むことに留意されたい。例えば、第１のメッセージが、チャネル品質偏差値が有効化されることを規定するとき、端末は、有効化されたチャネル品質偏差値を使用してもよく、第１のメッセージが、チャネル品質偏差値が無効化されることを規定するとき、端末は、無効化されたチャネル品質偏差値を使用しなくてもよい。
【００４８】
実施形態では、第１のメッセージに含まれるチャネル品質閾値のセットの数が、１を上回るとき、第１のメッセージはさらに、チャネル品質閾値の事前決定されたセットに加えて、チャネル品質閾値の他のセットの有効化識別を含む、またはチャネル品質閾値の事前決定されたセットに加えて、チャネル品質閾値の他のセットの有効化識別が、第１のメッセージ以外のメッセージ（システムメッセージ、またはブロードキャストメッセージ、またはダウンリンクチャネル等）を通して送信される。
【００４９】
チャネル品質閾値の事前決定されたセットの意味は、以下のもの、すなわち、基地局および端末内に事前記憶されたチャネル品質閾値のセット、または基地局がシグナリングを通して端末に通知するチャネル品質閾値のセットのうちの少なくとも１つを含むことに留意されたい。
【００５０】
実施形態では、基地局は、第１のメッセージに従って、チャネル品質を複数のチャネル品質値範囲に分割する。
【００５１】
１つのチャネル品質値範囲は、１つのカバレッジ拡張レベルに対応する、または１つ以上のチャネル品質値範囲は、１つのカバレッジ拡張レベルに対応することに留意されたい。
実施形態では、チャネル品質値範囲は、以下のうちの少なくとも１つを含む。
【００５２】
ＣＱ＿ＴＨ＿ＣＥ０およびＤｅｌｔａ０の総和以上のチャネル品質測定値、
【００５３】
ＣＱ＿ＴＨ＿ＣＥ０とＣＱ＿ＴＨ＿ＣＥ０およびＤｅｌｔａ０の総和との間であるチャネル品質測定値、
【００５４】
ＣＱ＿ＴＨ＿ＣＥ１およびＤｅｌｔａ１の総和とＣＱ＿ＴＨ＿ＣＥ０との間であるチャネル品質測定値、
ＣＱ＿ＴＨ＿ＣＥ１とＣＱ＿ＴＨ＿ＣＥ１およびＤｅｌｔａ１の総和との間であるチャネル品質測定値、または
【００５５】
ＣＱ＿ＴＨ＿ＣＥ１以下のチャネル品質測定値。
ＣＱ＿ＴＨ＿ＣＥ０は、カバレッジ拡張レベル０に対応するチャネル品質閾値であり、ＣＱ＿ＴＨ＿ＣＥ１は、カバレッジ拡張レベル１に対応するチャネル品質閾値であり、Ｄｅｌｔａ０は、カバレッジ拡張レベル０のチャネル品質閾値に対応する偏差値であり、Ｄｅｌｔａ１は、カバレッジ拡張レベル１のチャネル品質閾値に対応する偏差値である。
端末によって直接測定される値は、チャネル品質測定値と称され得、端末によって測定されるチャネル品質測定値および端末によって計算または推定される他のチャネル品質情報もまた、チャネル品質測定値と称されることに留意されたい。
実施形態では、以下のチャネル品質値範囲に対応するアップリンクチャネルの反復送信レベルまたは反復送信回数は、同一である。
【００５６】
ＣＱ＿ＴＨ＿ＣＥ０およびＤｅｌｔａ０の総和以上のチャネル品質測定値、および
【００５７】
ＣＱ＿ＴＨ＿ＣＥ０とＣＱ＿ＴＨ＿ＣＥ０およびＤｅｌｔａ０の総和との間であるチャネル品質測定値。
実施形態では、以下のチャネル品質値範囲に対応するアップリンクチャネルの反復送信レベルまたは反復送信回数は、同一である。
【００５８】
ＣＱ＿ＴＨ＿ＣＥ１およびＤｅｌｔａ１の総和とＣＱ＿ＴＨ＿ＣＥ０との間であるチャネル品質測定値、および
【００５９】
ＣＱ＿ＴＨ＿ＣＥ１とＣＱ＿ＴＨ＿ＣＥ１およびＤｅｌｔａ１の総和との間であるチャネル品質測定値。
実施形態では、チャネル品質値範囲は、以下のうちの少なくとも１つを含む。
【００６０】
Ｎｅｗ＿ＣＱ＿ＴＨ＿ＣＥ０以上のチャネル品質測定値、
【００６１】
ＣＱ＿ＴＨ＿ＣＥ０とＮｅｗ＿ＣＱ＿ＴＨ＿ＣＥ０との間であるチャネル品質測定値、
【００６２】
Ｎｅｗ＿ＣＱ＿ＴＨ＿ＣＥ１とＣＱ＿ＴＨ＿ＣＥ０との間であるチャネル品質測定値、
ＣＱ＿ＴＨ＿ＣＥ１とＮｅｗ＿ＣＱ＿ＴＨ＿ＣＥ１との間であるチャネル品質測定値、または
【００６３】
ＣＱ＿ＴＨ＿ＣＥ１以下のチャネル品質測定値。
ＣＱ＿ＴＨ＿ＣＥ０およびＣＱ＿ＴＨ＿ＣＥ１は、チャネル品質閾値のセットであり、ＣＱ＿ＴＨ＿ＣＥ０は、カバレッジ拡張レベル０に対応するチャネル品質閾値であり、ＣＱ＿ＴＨ＿ＣＥ１は、カバレッジ拡張レベル１に対応するチャネル品質閾値である。Ｎｅｗ＿ＣＱ＿ＴＨ＿ＣＥ０およびＮｅｗ＿ＣＱ＿ＴＨ＿ＣＥ１は、チャネル品質閾値の別のセットであり、Ｎｅｗ＿ＣＱ＿ＴＨ＿ＣＥ０は、カバレッジ拡張レベル０に対応するチャネル品質閾値であり、Ｎｅｗ＿ＣＱ＿ＴＨ＿ＣＥ１は、カバレッジ拡張レベル１に対応するチャネル品質閾値である。
実施形態では、以下のチャネル品質値範囲に対応するアップリンクチャネルの反復送信レベルまたは反復送信回数は、同一である。
【００６４】
Ｎｅｗ＿ＣＱ＿ＴＨ＿ＣＥ０以上のチャネル品質測定値、および
【００６５】
ＣＱ＿ＴＨ＿ＣＥ０とＮｅｗ＿ＣＱ＿ＴＨ＿ＣＥ０との間であるチャネル品質測定値。
【００６６】
実施形態では、以下のチャネル品質値範囲に対応するアップリンクチャネルの反復送信レベルまたは反復送信回数は、同一であり、すなわち、Ｎｅｗ＿ＣＱ＿ＴＨ＿ＣＥ１とＣＱ＿ＴＨ＿ＣＥ０との間であるチャネル品質測定値、およびＣＱ＿ＴＨ＿ＣＥ１とＮｅｗ＿ＣＱ＿ＴＨ＿ＣＥ１との間であるチャネル品質測定値である。
実施形態では、アップリンクチャネルは、以下のうちの少なくとも１つを含む。
【００６７】
Ｍｓｇ１が送信されるときに使用される、アップリンクチャネル、
【００６８】
Ｍｓｇ３が送信されるときに使用される、アップリンクチャネル、
【００６９】
Ｍｓｇ５が送信されるときに使用される、アップリンクチャネル、
【００７０】
アップリンク（ＵＬ）情報転送メッセージが送信されるときに使用される、アップリンクチャネル、
ＵＥ能力情報メッセージが送信されるときに使用される、アップリンクチャネル、または
【００７１】
ＵＥ情報応答メッセージが送信されるときに使用される、アップリンクチャネル。
【００７２】
実施形態では、各チャネル品質値範囲に対応するランダムアクセスチャネルリソースは、独立して構成される（すなわち、各チャネル品質値範囲に対応するランダムアクセスチャネルリソースは、独立パラメータを通して構成される）。
ランダムアクセスチャネルリソースは、以下のうちの少なくとも１つを含む。
【００７３】
ランダムアクセスチャネルによって占有される、時間ドメイン・周波数ドメインリソース、
【００７４】
ランダムアクセス信号を送信するためのシーケンス、
ランダムアクセス信号を送信するために選択される、ビーム方向またはビームインデックス、または
【００７５】
ランダムアクセスチャネルリソースの構成情報を含む、同期化信号（ＳＳ）／物理ブロードキャストチャネル（ＰＢＣＨ）ブロックのインデックス情報。
【００７６】
ＳＳ／ＰＢＣＨブロックは、少なくとも、ＳＳと、システム情報ブロック（ＳＩＢ）とを含む、時間ドメイン・周波数ドメインリソースブロックであることに留意されたい。ＳＩＢは、ＰＢＣＨ内で送信される。本システムは、１つ以上のＳＳ／ＰＢＣＨブロックを伴って構成されてもよい。
【００７７】
実施形態では、Ｍｓｇ１リソース構成情報は、構成された１つ以上のＳＳ／ＰＢＣＨブロックの中の各ＳＳ／ＰＢＣＨブロックに存在する。
【００７８】
実施形態では、Ｍｓｇ１リソース構成情報は、構成された１つ以上のＳＳ／ＰＢＣＨブロックの中のＳＳ／ＰＢＣＨブロックの一部に存在する。
【００７９】
実施形態では、各チャネル品質値範囲に対応するダウンリンクチャネルの反復送信回数または反復送信レベルは、独立して構成される。
【００８０】
基地局は、端末によって送信されるランダムアクセス信号を受信し、ランダムアクセス信号が位置するリソースに従って、対応する値範囲を決定し、値範囲に従って、端末のためのダウンリンクチャネルの対応する反復送信回数または反復送信レベルを構成することに留意されたい。
実施形態では、ダウンリンクチャネルは、以下のうちの少なくとも１つを含む。
【００８１】
ランダムアクセス応答メッセージが送信されるときに使用される、ダウンリンクチャネル、
【００８２】
ランダムアクセス応答メッセージのスケジューリング情報が送信されるときに使用される、ダウンリンクチャネル、
Ｍｓｇ４が送信されるときに使用される、ダウンリンクチャネル、または
【００８３】
Ｍｓｇ４のスケジューリング情報が送信されるときに使用される、ダウンリンクチャネル。
【００８４】
本願の実施形態はさらに、基地局を提供する。基地局は、プロセッサと、メモリと、通信バスとを含む。通信バスは、プロセッサとメモリとの間の接続通信を実装するように構成される。プロセッサは、メモリ内に記憶された情報伝送プログラムを実行し、上記に説明される任意の情報伝送方法を遂行するように構成される。
【００８５】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
【００８６】
図２を参照すると、本願の実施形態はさらに、情報伝送方法を提供する。本方法は、下記に説明されるステップ２０１を含む。
【００８７】
ステップ２０１では、端末が、基地局によって送信される第１のメッセージを受信し、第１のメッセージは、チャネル品質閾値の少なくとも１つのセットであって、チャネル品質閾値の各セットは、少なくとも１つのチャネル品質閾値を含む、チャネル品質閾値の少なくとも１つのセット、またはチャネル品質閾値に対する偏差値のうちの少なくとも１つを含む。
【００８８】
チャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って設定される。
【００８９】
実施形態では、端末は、第１のメッセージに従って、チャネル品質を複数のチャネル品質値範囲に分割する。
実施形態では、チャネル品質値範囲は、以下のうちの少なくとも１つを含む。
【００９０】
ＣＱ＿ＴＨ＿ＣＥ０およびＤｅｌｔａ０の総和以上のチャネル品質測定値、
【００９１】
ＣＱ＿ＴＨ＿ＣＥ０とＣＱ＿ＴＨ＿ＣＥ０およびＤｅｌｔａ０の総和との間であるチャネル品質測定値、
【００９２】
ＣＱ＿ＴＨ＿ＣＥ１およびＤｅｌｔａ１の総和とＣＱ＿ＴＨ＿ＣＥ０との間であるチャネル品質測定値、
ＣＱ＿ＴＨ＿ＣＥ１とＣＱ＿ＴＨ＿ＣＥ１およびＤｅｌｔａ１の総和との間であるチャネル品質測定値、または
【００９３】
ＣＱ＿ＴＨ＿ＣＥ１以下のチャネル品質測定値。
ＣＱ＿ＴＨ＿ＣＥ０は、カバレッジ拡張レベル０に対応するチャネル品質閾値であり、ＣＱ＿ＴＨ＿ＣＥ１は、カバレッジ拡張レベル１に対応するチャネル品質閾値であり、Ｄｅｌｔａ０は、カバレッジ拡張レベル０のチャネル品質閾値に対応する偏差値であり、Ｄｅｌｔａ１は、カバレッジ拡張レベル１のチャネル品質閾値に対応する偏差値である。
実施形態では、以下のチャネル品質値範囲に対応するアップリンクチャネルの反復送信レベルまたは反復送信回数は、同一である。
【００９４】
ＣＱ＿ＴＨ＿ＣＥ０およびＤｅｌｔａ０の総和以上のチャネル品質測定値、および
【００９５】
ＣＱ＿ＴＨ＿ＣＥ０とＣＱ＿ＴＨ＿ＣＥ０およびＤｅｌｔａ０の総和との間であるチャネル品質測定値。
実施形態では、以下のチャネル品質値範囲に対応するアップリンクチャネルの反復送信レベルまたは反復送信回数は、同一である。
【００９６】
ＣＱ＿ＴＨ＿ＣＥ１およびＤｅｌｔａ１の総和とＣＱ＿ＴＨ＿ＣＥ０との間であるチャネル品質測定値、および
【００９７】
ＣＱ＿ＴＨ＿ＣＥ１とＣＱ＿ＴＨ＿ＣＥ１およびＤｅｌｔａ１の総和との間であるチャネル品質測定値。
実施形態では、チャネル品質値範囲は、以下のうちの少なくとも１つを含む。
【００９８】
Ｎｅｗ＿ＣＱ＿ＴＨ＿ＣＥ０以上のチャネル品質測定値、
【００９９】
ＣＱ＿ＴＨ＿ＣＥ０とＮｅｗ＿ＣＱ＿ＴＨ＿ＣＥ０との間であるチャネル品質測定値、
【０１００】
Ｎｅｗ＿ＣＱ＿ＴＨ＿ＣＥ１とＣＱ＿ＴＨ＿ＣＥ０との間であるチャネル品質測定値、
ＣＱ＿ＴＨ＿ＣＥ１とＮｅｗ＿ＣＱ＿ＴＨ＿ＣＥ１との間であるチャネル品質測定値、または
【０１０１】
ＣＱ＿ＴＨ＿ＣＥ１以下のチャネル品質測定値。
ＣＱ＿ＴＨ＿ＣＥ０およびＣＱ＿ＴＨ＿ＣＥ１は、チャネル品質閾値のセットであり、ＣＱ＿ＴＨ＿ＣＥ０は、カバレッジ拡張レベル０に対応するチャネル品質閾値であり、ＣＱ＿ＴＨ＿ＣＥ１は、カバレッジ拡張レベル１に対応するチャネル品質閾値である。Ｎｅｗ＿ＣＱ＿ＴＨ＿ＣＥ０およびＮｅｗ＿ＣＱ＿ＴＨ＿ＣＥ１は、チャネル品質閾値の別のセットであり、Ｎｅｗ＿ＣＱ＿ＴＨ＿ＣＥ０は、カバレッジ拡張レベル０に対応するチャネル品質閾値であり、Ｎｅｗ＿ＣＱ＿ＴＨ＿ＣＥ１は、カバレッジ拡張レベル１に対応するチャネル品質閾値である。
実施形態では、以下のチャネル品質値範囲に対応するアップリンクチャネルの反復送信レベルまたは反復送信回数は、同一である。
【０１０２】
Ｎｅｗ＿ＣＱ＿ＴＨ＿ＣＥ０以上のチャネル品質測定値、および
【０１０３】
ＣＱ＿ＴＨ＿ＣＥ０とＮｅｗ＿ＣＱ＿ＴＨ＿ＣＥ０との間であるチャネル品質測定値。
実施形態では、以下のチャネル品質値範囲に対応するアップリンクチャネルの反復送信レベルまたは反復送信回数は、同一である。
【０１０４】
Ｎｅｗ＿ＣＱ＿ＴＨ＿ＣＥ１とＣＱ＿ＴＨ＿ＣＥ０との間であるチャネル品質測定値、および
【０１０５】
ＣＱ＿ＴＨ＿ＣＥ１とＮｅｗ＿ＣＱ＿ＴＨ＿ＣＥ１との間であるチャネル品質測定値。
実施形態では、アップリンクチャネルは、以下のうちの少なくとも１つを含む。
【０１０６】
Ｍｓｇ１が送信されるときに使用される、アップリンクチャネル、
【０１０７】
Ｍｓｇ３が送信されるときに使用される、アップリンクチャネル、
【０１０８】
Ｍｓｇ５が送信されるときに使用される、アップリンクチャネル、
【０１０９】
アップリンク情報転送メッセージが送信されるときに使用される、アップリンクチャネル、
ＵＥ能力情報メッセージが送信されるときに使用される、アップリンクチャネル、または
【０１１０】
ＵＥ情報応答メッセージが送信されるときに使用される、アップリンクチャネル。
実施形態では、本方法はさらに、以下のステップ、すなわち、端末が、アップリンクチャネルを通して第２のメッセージを伝送するステップを含み、第２のメッセージは、以下のうちの少なくとも１つを含む。
【０１１１】
カバレッジ拡張レベル、
【０１１２】
ダウンリンクチャネルの反復送信情報であって、反復送信レベルまたは反復送信回数を含む、反復送信情報、
ダウンリンクチャネルの変調コーディング情報であって、変調オーダーまたはコーディング効率のうちの少なくとも１つを含む、変調コーディング情報、または
【０１１３】
チャネル品質測定情報であって、チャネル品質測定値またはチャネル品質測定値が位置するチャネル品質値範囲を含む、チャネル品質測定情報。
【０１１４】
第２のメッセージ内のいくつかの変数は、実際の値または実際の値に対する調節量であり得ることに留意されたい。例えば、カバレッジ拡張レベルは、実際に選択されたカバレッジ拡張レベル、または最後のカバレッジ拡張レベルからの偏差値であってもよく、偏差値は、正、負、またはゼロであってもよい。
【０１１５】
ダウンリンクチャネルの反復送信情報は、実際に選択された値、または最後に選択された値からの偏差値であってもよく、偏差値は、正、負、またはゼロであってもよい。
【０１１６】
ダウンリンクチャネルの変調コーディング情報は、実際に選択された値、または最後に選択された値からの偏差値であってもよく、偏差値は、正、負、またはゼロであってもよい。
【０１１７】
チャネル品質測定情報は、それぞれ、異なるタイプのチャネル品質に関して、複数で構成されてもよい。ダウンリンクチャネルは、少なくとも、ダウンリンク制御チャネルおよびダウンリンク共有チャネル、例えば、Ｍｓｇ２のスケジューリング情報またはＭｓｇ４のスケジューリング情報を搬送するダウンリンク制御チャネル、およびＭｓｇ２またはＭｓｇ４を搬送するダウンリンク共有チャネルを含む。
【０１１８】
本願における調節量の意味は、以下の通りであり、すなわち、あるパラメータの調節量は、最後の時間内のパラメータの値と調節後のパラメータの値との間の偏差値である（調節量は、正、負、またはゼロであってもよい）。
【０１１９】
実施形態では、第１の条件を満たす端末が、アップリンクチャネルを通して第２のメッセージを伝送する。
【０１２０】
第１の条件は、下記に説明される条件のうちの少なくとも１つを含む。
【０１２１】
（１）基地局によって端末に送信されるメッセージ（システムメッセージ、またはブロードキャストメッセージ、またはダウンリンクチャネルを通したメッセージ）が、送信メッセージの送信を有効化するための識別を含む。
【０１２２】
（２）端末のカバレッジ拡張レベルが、Ｂであり、Ｂは、事前決定された１つ以上のカバレッジ拡張レベルである（事前決定された１つ以上のカバレッジ拡張レベルの意味は、基地局および端末内に事前記憶された１つ以上のカバレッジ拡張レベル、または基地局がシグナリングを通して端末に通知する１つ以上のカバレッジ拡張レベルのうちの少なくとも１つを含むことに留意されたい）。
【０１２３】
（３）端末のカバレッジ拡張レベルが、事前設定されたカバレッジ拡張レベル閾値を上回る。
【０１２４】
（４）端末のチャネル品質測定値が、決定されたチャネル品質範囲内である。
【０１２５】
（５）第１のメッセージが、チャネル品質閾値に対する偏差値を含み、チャネル品質閾値に対する偏差値が、有効化される（すなわち、有効化識別が、有効である）。
【０１２６】
（６）第１のメッセージが、チャネル品質閾値に対する偏差値を含み、チャネル品質閾値に対する偏差値の値が、事前設定された値に等しくない。
【０１２７】
（７）第１のメッセージに含まれるチャネル品質閾値のセットの数が、１を上回り、チャネル品質閾値の事前設定されたセットに加えたチャネル品質閾値の他のセットが、有効化される（チャネル品質閾値の事前決定されたセットの意味は、基地局および端末内に事前記憶されたチャネル品質閾値のセット、または基地局がシグナリングを通して端末に通知するチャネル品質閾値のセットを含むことに留意されたい）。
【０１２８】
（８）第１のメッセージに含まれるチャネル品質閾値のセットの数が、１を上回る。
【０１２９】
（９）第１のメッセージが、チャネル品質閾値に対する偏差値を含む。
【０１３０】
実施形態では、事前設定されたカバレッジ拡張レベル閾値は、レベル０であることに留意されたい。
【０１３１】
３つのカバレッジ拡張レベルが、構成され、それらのレベル番号が、０、１、および２であるとき、かつ事前設定されたカバレッジ拡張レベル閾値が、０であるとき、第１の条件は、カバレッジ拡張レベル１および２を伴う端末を指す。
実施形態では、第１の条件は、いくつかの以下の条件の組み合わせのうちの１つをを含む。
【０１３２】
第１の条件の組み合わせ：（１）（２）、（１）（３）、または（１）（４）、
【０１３３】
第２の条件の組み合わせ：（２）（４）、
【０１３４】
条件の第３の組み合わせ：（３）（４）、
【０１３５】
第４の条件の組み合わせ：（１）（２）（４）または（１）（３）（４）、
【０１３６】
第５の条件の組み合わせ：（８）（２）、（８）（３）、または（８）（４）、
【０１３７】
第６の条件の組み合わせ：（９）（２）、（９）（３）、または（９）（４）、
第７の条件の組み合わせ：（８）（２）（４）または（８）（３）（４）、または
【０１３８】
第８の条件の組み合わせ：（９）（２）（４）または（９）（３）（４）。
【０１３９】
（ｉ）は、第１の条件に含まれるｉ番目のコンテンツであり、ｉは、１〜９の自然数である。
【０１４０】
実施形態では、端末は、選択されたカバレッジ拡張レベルに従って、対応するチャネル品質値範囲を決定し、次いで、アップリンクチャネルを通して第２のメッセージを伝送する。
【０１４１】
１つのカバレッジ拡張レベルは、事前決定されたチャネル品質値範囲に対応する、すなわち、１つのカバレッジ拡張レベルは、１つ以上のチャネル品質値範囲に対応し得ることに留意されたい。
【０１４２】
実施形態では、第２のメッセージが、ダウンリンクチャネル品質測定値またはダウンリンクチャネル品質測定値が位置するチャネル品質値範囲を含むとき、ダウンリンクチャネル品質測定値またはダウンリンクチャネル品質測定値が位置するチャネル品質値範囲は、Ｎビットを使用することによって示され、Ｎは、１以上の整数であり、Ｎビットによって量子化されるチャネル品質値範囲は、以下のうちの少なくとも１つである。
【０１４３】
端末によって選択されるカバレッジ拡張レベルに対応する、チャネル品質値範囲、
【０１４４】
端末によって送信されるランダムアクセス信号が位置する、ランダムアクセスチャネルリソースに対応する、チャネル品質値範囲、
【０１４５】
そのチャネル品質値がチャネル品質値Ａ以上であるチャネル品質値範囲であって、Ａは、端末によって送信されるランダムアクセス信号が位置する、ランダムアクセスチャネルリソースに対応する、チャネル品質値範囲内の最小値、またはチャネル品質値範囲内の境界値、またはチャネル品質値範囲内の事前決定された値である、チャネル品質値範囲、または
【０１４６】
複数のチャネル品質値範囲（端末によって選択されるカバレッジ拡張レベルに対応するチャネル品質値範囲、または端末によって送信されるランダムアクセス信号が位置するランダムアクセスチャネルリソースに対応するチャネル品質値範囲を含み得る）。
実施形態では、Ｎビットによって量子化されるチャネル品質値範囲が、複数のチャネル品質値範囲であるとき、複数のチャネル品質値範囲は、以下を含む。
【０１４７】
端末によって選択されるカバレッジ拡張レベルに対応する、チャネル品質値範囲であって、端末によって選択されるカバレッジ拡張レベルに対応する、チャネル品質値範囲内の量子化された区画の数は、他のチャネル品質値範囲のそれぞれの中の量子化された区画の数以上である、チャネル品質値範囲、または
【０１４８】
端末によって送信されるランダムアクセス信号が位置する、ランダムアクセスチャネルリソースに対応する、チャネル品質値範囲であって、端末によって送信されるランダムアクセス信号が位置する、ランダムアクセスチャネルリソースに対応する、チャネル品質値範囲内の量子化された区画の数は、他のチャネル品質値範囲のそれぞれの中の量子化された区画の数以上である、チャネル品質値範囲。
【０１４９】
例えば、ＲＳＲＰの１１４の報告された値が、表１に示され、インデックス値は、０〜１１３であり、各インデックス値に対応するＲＳＲＰ値範囲が、表１に示される。
【表１】
2021512551.tif 000003
【０１５０】
３つのカバレッジ拡張レベルが、システム内で構成されるとき、個別のＲＳＲＰ値範囲は、下記に説明される通りである。
【０１５１】
ＣＥレベル０に対応するＲＳＲＰは、−１１０ｄＢｍ≦ＲＳＲＰ、すなわち、インデックス４７〜１１３に対応するＲＳＲＰの値である。
【０１５２】
ＣＥレベル１に対応するＲＳＲＰは、−１２０ｄＢｍ＜ＲＳＲＰ≦−１１０ｄＢｍ、すなわち、インデックス３７〜４６に対応するＲＳＲＰの値である。
【０１５３】
ＣＥレベル２に対応するＲＳＲＰは、ＲＳＲＰ≦−１２０ｄＢｍ、すなわち、インデックス０〜３６に対応するＲＳＲＰの値である。
【０１５４】
端末によって選択されるＣＥレベルが、ＣＥレベル１であるとき、ＵＥによりＮ（例えば、Ｎ＝３）ビットによって量子化され得る、チャネル品質値範囲は、ＣＥレベル１およびＣＥレベル０に対応する品質値範囲である。ＣＥレベル１に対応する品質値範囲内の量子化された区画の数は、５であり、ＣＥレベル０に対応する品質値範囲内の量子化された区画の数は、３である。例えば、ＣＥレベル１に対応する５つの量子化された区画に関して、各区画は、２つのＲＳＲＰ値インデックスに対応し、（インデックス３７、インデックス３８）は、第１の量子化された区画に対応し、（インデックス３９、インデックス４０）は、第２の量子化された区画に対応し、…（インデックス４５、インデックス４６）は、第５の量子化された区画に対応する。
【０１５５】
ＣＥレベル０に対応する３つの量子化された区画に関して、インデックス４７〜インデックス６８は、第１の量子化された区画に対応し、インデックス６９〜インデックス９０は、第２の量子化された区画に対応し、インデックス９１〜インデックス１１３は、第３の量子化された区画に対応する。
【０１５６】
実施形態では、Ｎビットによって説明される複数の状態の中からＮ１状態に対応する、ダウンリンクチャネル品質測定値またはダウンリンクチャネル品質測定値が位置するチャネル品質値範囲は、端末によって送信されるランダムアクセス信号が位置する、ランダムアクセスチャネルリソースに対応するチャネル品質値範囲内ではなく、Ｎ１は、１以上の整数であり、Ｎ１は、Ｎ以下である。
【０１５７】
Ｎビットが、２＾Ｎの状態を説明し得、各状態は、ダウンリンクチャネル品質測定値、またはダウンリンクチャネル品質測定値が位置するチャネル品質値範囲の具体的値に対応することに留意されたい。
【０１５８】
実施形態では、端末は、カバレッジ拡張レベルに従って、第２のメッセージ内で送信される、ダウンリンクチャネル品質測定値の数またはダウンリンクチャネル品質測定値が位置するチャネル品質値範囲の数を決定する。
【０１５９】
例えば、カバレッジ拡張レベルが、Ｃ１以上の（Ｃ１は、事前決定されたカバレッジ拡張レベルであり、「事前決定された」は、基地局および端末内に事前記憶されること、またはシグナリングを通して基地局によって端末に通知されることを指す）とき、端末によって送信される、ダウンリンクチャネル品質測定値の数またはダウンリンクチャネル品質測定値が位置するチャネル品質値範囲の数は、Ｄ１（Ｄ１は、２以上である）であり、例えば、合計３つのカバレッジ拡張レベルが、提供され、それらのインデックスは、それぞれ、０、１、および２である。さらに、Ｃ１＝１およびＤ１＝２である。すなわち、カバレッジ拡張レベル１および２を伴う端末によって送信されるチャネル品質は、ＲＳＲＰおよびダウンリンクＳＩＮＲ、またはＲＳＲＰおよびＲＳＲＱである。
【０１６０】
カバレッジ拡張レベルが、Ｃ２以下である（Ｃ２は、事前決定されたカバレッジ拡張レベルであり、「事前決定された」は、基地局および端末内に事前記憶されること、またはシグナリングを通して基地局によって端末に通知されることを指す）とき、端末によって送信される、ダウンリンクチャネル品質測定値の数またはダウンリンクチャネル品質測定値が位置するチャネル品質値範囲の数は、１であり、例えば、合計３つのカバレッジ拡張レベルが、提供され、それらのインデックスは、それぞれ、０、１、および２である。さらに、Ｃ２＝０である。すなわち、カバレッジ拡張レベル０を伴う端末によって送信されるチャネル品質は、ＲＳＲＰである。
【０１６１】
代替として、カバレッジ拡張レベルが、Ｃ３以下である（Ｃ３は、事前決定されたカバレッジ拡張レベルであり、「事前決定された」は、基地局および端末内に事前記憶されること、またはシグナリングを通して基地局によって端末に通知されることを指す）とき、端末によって送信される、ダウンリンクチャネル品質測定値の数またはダウンリンクチャネル品質測定値が位置するチャネル品質値範囲の数は、Ｄ３（Ｄ３は、２以上である）であり、例えば、合計３つのカバレッジ拡張レベルが、提供され、それらのインデックスは、それぞれ、０、１、および２である。さらに、Ｃ３＝０およびＤ３＝２である。すなわち、カバレッジ拡張レベル０を伴う端末によって送信されるチャネル品質は、ＲＳＲＰおよびダウンリンクＳＩＮＲ、またはＲＳＲＰおよびＲＳＲＱである。
【０１６２】
カバレッジ拡張レベルが、Ｃ４以下である（Ｃ４は、事前決定されたカバレッジ拡張レベルであり、「事前決定された」は、基地局および端末内に事前記憶されること、またはシグナリングを通して基地局によって端末に通知されることを指す）とき、端末によって送信される、ダウンリンクチャネル品質測定値の数またはダウンリンクチャネル品質測定値が位置するチャネル品質値範囲の数は、１であり、例えば、合計３つのカバレッジ拡張レベルが、提供され、それらのインデックスは、それぞれ、０、１、および２である。さらに、Ｃ４＝１である。すなわち、カバレッジ拡張レベル０および１を伴う端末によって送信されるチャネル品質は、ＲＳＲＰである。
【０１６３】
実施形態では、本方法はさらに、下記に説明されるステップを含む。
端末は、第１のメッセージに従って、かつ所定の第１のルールまたは所定の第２のルールに従って、以下のうちの少なくとも１つを決定する。
【０１６４】
カバレッジ拡張レベル、
【０１６５】
チャネルの反復送信情報であって、反復送信レベルまたは反復送信回数を含む、反復送信情報、
チャネルの変調コーディング情報であって、変調オーダーまたはコーディング効率のうちの少なくとも１つを含む、変調コーディング情報、または
【０１６６】
チャネル品質測定情報であって、チャネル品質測定値またはチャネル品質測定値が位置するチャネル品質値範囲を含む、チャネル品質測定情報。
【０１６７】
チャネルはここで、アップリンクチャネルと、ダウンリンクチャネルとを含むことに留意されたい。
実施形態では、第１のルールは、以下を含む。
【０１６８】
端末が、第１のチャネル品質測定値およびチャネル品質閾値の第１のセットに従って、端末の第１のカバレッジ拡張レベルを決定し、端末が、第２のチャネル品質測定値およびチャネル品質閾値の第２のセットに従って、端末の第２のカバレッジ拡張レベルを決定すること、または
【０１６９】
端末が、第１のチャネル品質測定値およびチャネル品質閾値の第１のセットに従って、端末の第１のタイプのチャネル品質の値範囲を決定し、端末が、第２のチャネル品質測定値およびチャネル品質閾値の第２のセットに従って、端末の第２のタイプのチャネル品質の値範囲を決定すること、または
【０１７０】
端末が、第１のチャネル品質測定値、チャネル品質閾値の第１のセット、第２のチャネル品質測定値、およびチャネル品質閾値の第２のセットに従って、端末のカバレッジ拡張レベル、またはチャネルの反復送信情報、またはチャネルの変調コーディング情報を決定すること。
【０１７１】
実施形態では、第１のチャネル品質測定値およびチャネル品質閾値の第１のセットに従って、端末によって端末の第１のカバレッジ拡張レベルを決定するための方法は、下記に説明されるステップを含む。
【０１７２】
第１のチャネル品質測定値は、端末の第１のカバレッジ拡張レベルを決定するように、チャネル品質閾値の対応する第１のセットと比較され、第１のチャネル品質測定値に対応するチャネル品質およびチャネル品質閾値の第１のセットに対応するチャネル品質は、ＲＳＲＰ等の同一のタイプに属する。
【０１７３】
第２のチャネル品質測定値およびチャネル品質閾値の第２のセットに従って、端末によって端末の第２のカバレッジ拡張レベルを決定するための方法は、上記に説明される方法と同一である。
【０１７４】
実施形態では、本願における、第１のチャネル品質測定値およびチャネル品質閾値の第１のセットに従って、端末によって端末の第１のカバレッジ拡張レベルを決定するための方法は、以下の２つの事例、すなわち、端末が、単に、２つのパラメータ値、すなわち、第１のチャネル品質測定値およびチャネル品質閾値の第１のセットに従って、端末の第１のカバレッジ拡張レベルを決定することと、端末が、第１のチャネル品質測定値、チャネル品質閾値の第１のセット、および他のパラメータの値に従って、端末の第１のカバレッジ拡張レベルを決定することとを含む。
【０１７５】
本願では、第２のチャネル品質測定値およびチャネル品質閾値の第２のセットに従って、端末によって端末の第２のカバレッジ拡張レベルを決定するための方法は、以下の２つの事例、すなわち、端末が、単に、２つのパラメータ値、すなわち、第２のチャネル品質測定値およびチャネル品質閾値の第２のセットに従って、端末の第２のカバレッジ拡張レベルを決定することと、端末が、第２のチャネル品質測定値、チャネル品質閾値の第２のセット、および他のパラメータの値に従って、端末の第２のカバレッジ拡張レベルを決定することとを含む。
【０１７６】
例えば、本願の実施形態では、チャネル品質閾値の第１のセットは、ＲＳＲＰに関するものであり、３つのＲＳＲＰ値範囲、すなわち、ＲＳＲＰ値範囲１、ＲＳＲＰ値範囲２、およびＲＳＲＰ値範囲３が、提供される。チャネル品質閾値の第２のセットは、ダウンリンクＳＩＮＲに関するものであり、３つのダウンリンクＳＩＮＲ値範囲、すなわち、ダウンリンクＳＩＮＲ値範囲１、ダウンリンクＳＩＮＲ値範囲２、およびダウンリンクＳＩＮＲ値範囲３が、提供される。
【０１７７】
端末のカバレッジ拡張レベルは、表２に示される様式で取得される。
【表２】
2021512551.tif 000004
【０１７８】
端末のチャネルの反復送信レベルは、表３に示される様式で取得される。
【表３】
2021512551.tif 000005
【０１７９】
実施形態では、第１のルールはさらに、以下を含む。
端末が、端末のカバレッジ拡張レベルとして、第１のカバレッジ拡張レベルおよび第２のカバレッジ拡張レベルから最大カバレッジ拡張レベルを選択すること、または
端末が、端末のカバレッジ拡張レベルとして、第１のカバレッジ拡張レベルおよび第２のカバレッジ拡張レベルをとること、または
【０１８０】
端末が、端末のチャネル品質測定情報として、第１のタイプのチャネル品質の選択された値範囲のインデックスおよび第２のタイプのチャネル品質の選択された値範囲のインデックスから最大値をとること、または
【０１８１】
端末が、端末のチャネル品質測定情報として、第１のタイプのチャネル品質の選択された値範囲、および第２のタイプのチャネル品質の選択された値範囲をとること。
【０１８２】
端末が、端末のカバレッジ拡張レベルとして、第１のカバレッジ拡張レベルおよび第２のカバレッジ拡張レベルをとる場合、第１のカバレッジ拡張レベルおよび第２のカバレッジ拡張レベルは、合同で示されることに留意されたい。例えば、合同インジケーションの様式が、表４に示される通りであるように、第１のカバレッジ拡張レベルは、０〜２からの１つであり、第２のカバレッジ拡張レベルは、０〜２からの１つである。各合同インジケーションインデックスは、アップリンクチャネルのカバレッジ拡張レベルまたは反復送信情報に対応する、またはダウンリンクチャネルのカバレッジ拡張レベルまたは反復送信情報に対応する。
【表４】
2021512551.tif 000006
【０１８３】
実施形態では、第１のルールはさらに、以下を含む。
端末が、端末のカバレッジ拡張レベルとして、第２のカバレッジ拡張レベルをとること、または
【０１８４】
端末が、端末のダウンリンクチャネル品質測定情報として、第２のタイプのチャネル品質の選択された値範囲をとること。
【０１８５】
端末が、端末のカバレッジ拡張レベルとして第２のカバレッジ拡張レベルをとる、適用シナリオは、端末が、ランダムアクセスリソースを使用し、Ｍｓｇ１を送信するときのＲＳＲＰの値範囲を示し、次いで、報告された第２のカバレッジ拡張レベルを通してＲＳＲＱの値またはダウンリンクＳＩＮＲの値を示すことであることに留意されたい。基地局が、上記の情報を受信した後、基地局はさらに、端末のカバレッジ拡張レベル、またはチャネルの反復送信情報、またはチャネルの変調コーディング情報を調節してもよい。
実施形態では、第１のルールはさらに、以下のうちの少なくとも１つを含む。
【０１８６】
端末が、カバレッジ拡張レベルに従って、ダウンリンクチャネルの対応する反復送信情報を選択すること、
【０１８７】
端末が、カバレッジ拡張レベルに従って、ダウンリンクチャネルの対応する変調コーディング情報を選択すること、
端末が、ダウンリンクチャネルのチャネル品質測定情報に従って、ダウンリンクチャネルの対応する反復送信情報を選択すること、または
【０１８８】
端末が、ダウンリンクチャネルのチャネル品質測定情報に従って、ダウンリンクチャネルの対応する変調コーディング情報を選択すること。
【０１８９】
本願における、端末が、カバレッジ拡張レベルに従ってダウンリンクチャネルの対応する反復送信情報を選択するステップは、以下の２つの事例、すなわち、端末が、単に、パラメータ値、すなわち、カバレッジ拡張レベルに従って、ダウンリンクチャネルの対応する反復送信情報を選択することと、端末が、カバレッジ拡張レベルおよび他のパラメータの値に従って、ダウンリンクチャネルの対応する反復送信情報を選択することとを含むことに留意されたい。
【０１９０】
本願では、端末が、カバレッジ拡張レベルに従ってダウンリンクチャネルの対応する変調コーディング情報を選択するステップは、以下の２つの事例、すなわち、端末が、単に、パラメータ値、すなわち、カバレッジ拡張レベルに従って、ダウンリンクチャネルの対応する変調コーディング情報を選択することと、端末が、カバレッジ拡張レベルおよび他のパラメータの値に従って、ダウンリンクチャネルの対応する変調コーディング情報を選択することとを含む。
実施形態では、第２のルールは、以下を含む。
【０１９１】
端末が、第１のチャネル品質測定値およびチャネル品質閾値の第１のセットに従って、端末の第１のカバレッジ拡張レベルを決定すること、同一の第１のカバレッジ拡張レベルに属する端末が、第２のチャネル品質測定値およびチャネル品質閾値の第２のセットに従って、端末の第２のカバレッジ拡張レベルを決定し、端末が、端末のカバレッジ拡張レベルとして第２のカバレッジ拡張レベルをとる、または端末のカバレッジ拡張レベルとして第１のカバレッジ拡張レベルおよび第２のカバレッジ拡張レベルをとること（第１のカバレッジ拡張レベルおよび第２のカバレッジ拡張レベルは、独立して示される、または第１のカバレッジ拡張レベルおよび第２のカバレッジ拡張レベルは、合同で示される）、または
【０１９２】
端末が、第１のチャネル品質測定値およびチャネル品質閾値の第１のセットに従って、端末の第１のタイプのチャネル品質の値範囲を決定すること、第１のタイプのチャネル品質の同一の値範囲に属する端末が、第２のチャネル品質測定値およびチャネル品質閾値の第２のセットに従って、端末の第２のタイプのチャネル品質の値範囲を決定すること（端末の第１のタイプのチャネル品質の値範囲および端末の第２のタイプのチャネル品質の値範囲は、独立して示される、または端末の第１のタイプのチャネル品質の値範囲および端末の第２のタイプのチャネル品質の値範囲は、合同で示される）。
【０１９３】
本願に説明される合同インジケーションは、端末によって選択される第１のカバレッジ拡張レベルおよび第２のカバレッジ拡張レベルが、インジケーション情報を通して示され得る、合同コーディングモードを指すことに留意されたい。
【０１９４】
例えば、合同インジケーションの様式が、下記の表５に示される通りであるように、第１のカバレッジ拡張レベルは、０〜２からの１つであり、第２のカバレッジ拡張レベルは、０〜２からの１つである。
【表５】
2021512551.tif 000007
【０１９５】
本願の実施形態では、合同インジケーションのそのような様式に関して、例えば、合同インジケーションの様式が、表６に示される通りであるように、第１のカバレッジ拡張レベルは、０〜２からの１つであり、第２のカバレッジ拡張レベルは、０〜１からの１つである。
【表６−１】
2021512551.tif 000008
【表６−２】
2021512551.tif 000009
【０１９６】
実施形態では、第２のルールはさらに、以下のうちの少なくとも１つを含む。
【０１９７】
端末が、カバレッジ拡張レベルに従って、チャネルの対応する反復送信情報を選択すること、
【０１９８】
端末が、カバレッジ拡張レベルに従って、チャネルの対応する変調コーディング情報を選択すること、
【０１９９】
端末が、ダウンリンクチャネル品質測定値またはダウンリンクチャネル品質測定値が位置するチャネル品質値範囲に従って、チャネルの対応する反復送信情報を選択すること、または
【０２００】
端末が、ダウンリンクチャネル品質測定値またはダウンリンクチャネル品質測定値が位置するチャネル品質値範囲に従って、チャネルの対応する変調コーディング情報を選択すること。
【０２０１】
実施形態では、チャネル品質閾値の第１のセットに対応するチャネル品質およびチャネル品質閾値の第２のセットに対応するチャネル品質は、異なるタイプに属する。
【０２０２】
実施形態では、チャネル品質閾値の第１のセットに対応するチャネル品質は、ＲＳＲＰであり、チャネル品質閾値の第２のセットに対応するチャネル品質は、ＲＳＲＱまたはダウンリンクＳＩＮＲである。
【０２０３】
実施形態では、端末が、第１のチャネル品質測定値およびチャネル品質閾値の第１のセットに従って、端末の第１のカバレッジ拡張レベルを決定するステップは、第１のチャネル品質測定値を対応するチャネル品質閾値の第１のセットと比較し、端末の第１のカバレッジ拡張レベルを決定するステップを含む。第１のチャネル品質測定値に対応するチャネル品質およびチャネル品質閾値の第１のセットに対応するチャネル品質は、同一のタイプ（例えば、ＲＳＲＰ）に属する。
【０２０４】
実施形態では、端末が、第２のチャネル品質測定値およびチャネル品質閾値の第２のセットに従って、端末の第２のカバレッジ拡張レベルを決定するステップは、第２のチャネル品質測定値を対応するチャネル品質閾値の第２のセットと比較し、端末の第２のカバレッジ拡張レベルを決定するステップを含む。第２のチャネル品質測定値に対応するチャネル品質およびチャネル品質閾値の第２のセットに対応するチャネル品質は、同一のタイプ（例えば、ＲＳＲＰ）に属する。
【０２０５】
本願における、端末が、カバレッジ拡張レベルに従ってダウンリンクチャネルの対応する反復送信情報を選択するステップは、以下の２つの事例、すなわち、端末が、単に、パラメータ値、すなわち、カバレッジ拡張レベルに従って、ダウンリンクチャネルの対応する反復送信情報を選択することと、端末が、カバレッジ拡張レベルおよび他のパラメータの値に従って、ダウンリンクチャネルの対応する反復送信情報を選択することとを含むことに留意されたい。
【０２０６】
本願では、端末が、カバレッジ拡張レベルに従ってダウンリンクチャネルの対応する変調コーディング情報を選択するステップは、以下の２つの事例、すなわち、端末が、単に、パラメータ値、すなわち、カバレッジ拡張レベルに従って、ダウンリンクチャネルの対応する変調コーディング情報を選択することと、端末が、カバレッジ拡張レベルおよび他のパラメータの値に従って、ダウンリンクチャネルの対応する変調コーディング情報を選択することとを含む。
【０２０７】
実施形態では、本方法はさらに、下記に説明されるステップを含む。
端末は、アップリンクチャネルを通して第３のメッセージを伝送し、第３のメッセージは、以下のうちの少なくとも１つを含む。
【０２０８】
カバレッジ拡張レベル、
【０２０９】
チャネルの反復送信情報であって、反復送信レベルまたは反復送信回数を含む、反復送信情報、
チャネルの変調コーディング情報であって、変調オーダーまたはコーディング効率のうちの少なくとも１つを含む、変調コーディング情報、または
【０２１０】
チャネル品質測定情報であって、チャネル品質測定値またはチャネル品質測定値が位置するチャネル品質値範囲を含む、チャネル品質測定情報。
【０２１１】
端末は、所定の第１のルールまたは所定の第２のルールを通して第３のメッセージ内のパラメータの値を決定する。
【０２１２】
実施形態では、端末が、第２の条件を満たすとき、端末は、アップリンクチャネルを通して第３のメッセージを伝送する。
【０２１３】
第２の条件は、下記に説明される条件のうちの少なくとも１つを含む。
【０２１４】
（１）システムメッセージ、またはブロードキャストメッセージ、またはダウンリンクチャネルを通して端末に送信されるメッセージが、第３のメッセージの送信を有効化するための識別を含む。
【０２１５】
（２）端末のカバレッジ拡張レベルが、Ｂであり、Ｂは、１つ以上の事前設定されたカバレッジ拡張レベルである。
【０２１６】
（３）端末のカバレッジ拡張レベルが、事前設定されたカバレッジ拡張レベル閾値を上回る。
【０２１７】
（４）端末のチャネル品質測定値が、決定されたチャネル品質範囲内である。
【０２１８】
（５）第１のメッセージに含まれるチャネル品質閾値のセットの数が、１を上回る。
実施形態では、第２の条件は、以下の条件の組み合わせのうちの１つを含む。
【０２１９】
条件の組み合わせＩ：（１）（２）、（１）（３）、または（１）（４）、
【０２２０】
条件の組み合わせＩＩ：（２）（４）、
条件の組み合わせＩＩＩ：（３）（４）、または
【０２２１】
条件の組み合わせＩＶ：（１）（２）（４）または（１）（３）（４）。
【０２２２】
（ｊ）は、第２の条件に含まれるｊ番目のコンテンツであり、ｊは、１〜５の自然数である。
【０２２３】
実施形態では、第１のルールおよび第２のルールの具体的設定方法は、上記に説明される通りであり、ここでは詳細に説明されないであろう。
【０２２４】
本願の実施形態はさらに、端末を提供する。端末は、プロセッサと、メモリと、通信バスとを含む。
【０２２５】
通信バスは、プロセッサとメモリとの間の接続通信を実装するように構成される。
【０２２６】
プロセッサは、メモリ内に記憶された情報伝送プログラムを実行し、上記に説明される任意の情報伝送方法を遂行するように構成される。
【０２２７】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
【０２２８】
図３を参照すると、本願の実施形態はさらに、情報伝送方法を提供する。本方法は、下記に説明されるステップ３０１およびステップ３０２を含む。
【０２２９】
ステップ３０１では、端末が、基地局によって送信される第１のメッセージを受信し、第１のメッセージは、チャネル品質閾値の少なくとも１つのセットであって、チャネル品質閾値の各セットは、少なくとも１つのチャネル品質閾値を含む、チャネル品質閾値の少なくとも１つのセット、またはチャネル品質閾値に対する偏差値のうちの少なくとも１つを含む。
【０２３０】
チャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って設定される。
【０２３１】
ステップ３０２（ここでは限定ではないが、他のシグナリング相互作用が、ステップ３０１とステップ３０２との間に存在し得る）では、端末は、ランダムアクセスプリアンブルＭｓｇ１メッセージを送信し、Ｍｓｇ１メッセージは、少なくとも１つの第１の構造を含む。
【０２３２】
第１の構造は、少なくとも１つのシンボル群を含む。
【０２３３】
第１の構造のシンボル群は、サイクリックプレフィックスと、少なくとも１つのシンボルとを含む、またはサイクリックプレフィックスと、少なくとも１つのシンボルと、ガード時間とを含む。
【０２３４】
第１の構造の同一のシンボル群の中の各シンボルは、周波数ドメイン内の同一の副搬送波を占有する。
【０２３５】
実施形態では、第１の構造は、４つのシンボル群を含み、第１のシンボル群によって占有される副搬送波インデックスおよび第２のシンボル群によって占有される副搬送波インデックスは、１つの副搬送波だけ異なり、第３のシンボル群によって占有される副搬送波インデックスおよび第４のシンボル群によって占有される副搬送波インデックスは、６つの副搬送波だけ異なる。
【０２３６】
実施形態では、第１の構造は、３つのシンボル群を含み、第１のシンボル群によって占有される副搬送波インデックスおよび第２のシンボル群によって占有される副搬送波インデックスは、１つの副搬送波だけ異なり、第２のシンボル群によって占有される副搬送波インデックスおよび第３のシンボル群によって占有される副搬送波インデックスは、６つの副搬送波だけ異なる。
【０２３７】
実施形態では、第１の構造が、４つのシンボル群を含むとき、第１のシンボル群および第２のシンボル群は、時間ドメイン内で連続的であり、第３のシンボル群および第４のシンボル群は、時間ドメイン内で連続的であり、第２のシンボル群および第３のシンボル群は、時間ドメイン内で離散的である。
【０２３８】
実施形態では、第１の構造が、３つのシンボル群を含むとき、第１のシンボル群、第２のシンボル群、および第３のシンボル群は、時間ドメイン内で連続的である。
【０２３９】
実施形態では、Ｍｓｇ１メッセージが、複数の第１の構造を含み、第１の構造が、３つのシンボル群を含むとき、奇数インデックスを有する第１の構造内の第１のシンボル群によって占有される、副搬送波インデックスは、第１の副搬送波セットから選択され、偶数インデックスを有する第１の構造内の第１のシンボル群によって占有される、副搬送波インデックスは、第２の副搬送波セットから選択される。
【０２４０】
第１の副搬送波セットに含まれる副搬送波の数は、１２である。実施形態では、１２の副搬送波は、周波数ドメイン内で連続的であり、インデックス番号０〜１１を有する。
【０２４１】
第２の副搬送波セットは、下記に説明されるルールのうちの１つに従って決定される。
【０２４２】
偶数インデックスを有する第１の構造の前に、奇数インデックスを有する第１の構造内の第１のシンボル群によって占有される、副搬送波インデックスが、第１の副搬送波セットの中のインデックス｛０，２，４｝のうちの１つであるとき、第２の副搬送波セットは、第１の副搬送波セットの中のインデックス｛７，９，１１｝を有する、副搬送波を含む。
【０２４３】
偶数インデックスを有する第１の構造の前に、奇数インデックスを有する第１の構造内の第１のシンボル群によって占有される、副搬送波インデックスが、第１の副搬送波セットの中のインデックス｛６，８，１０｝のうちの１つであるとき、第２の副搬送波セットは、第１の副搬送波セットの中のインデックス｛１，３，５｝を有する、副搬送波を含む。
【０２４４】
偶数インデックスを有する第１の構造の前に、奇数インデックスを有する第１の構造内の第１のシンボル群によって占有される、副搬送波インデックスが、第１の副搬送波セットの中のインデックス｛１，３，５｝のうちの１つであるとき、第２の副搬送波セットは、第１の副搬送波セットの中のインデックス｛６，８，１０｝を有する、副搬送波を含む。
【０２４５】
偶数インデックスを有する第１の構造の前に、奇数インデックスを有する第１の構造内の第１のシンボル群によって占有される、副搬送波インデックスが、第１の副搬送波セットの中のインデックス｛７，９，１１｝のうちの１つであるとき、第２の副搬送波セットは、第１の副搬送波セットの中のインデックス｛０，２，４｝を有する、副搬送波を含む。
【０２４６】
第１の構造のうちの第１のもののインデックスは、１として定義され、第１の構造のうちの第２のもののインデックスは、２として定義される等であることに留意されたい。したがって、奇数インデックスを有する第１の構造は、第１の構造のうちの第１のもの、第３のもの、第５のもの、第７のもの…であり、偶数インデックスを有する第１の構造は、第１の構造のうちの第２のもの、第４のもの、第６のもの…である。
【０２４７】
実施形態では、Ｍｓｇ１メッセージが、複数の第１の構造を含み、第１の構造が、４つのシンボル群を含むとき、奇数インデックスを有する第１の構造内の第１のシンボル群によって占有される、副搬送波インデックスは、第３の副搬送波セットから選択され、奇数インデックスを有する第１の構造内の第３のシンボル群によって占有される、副搬送波インデックスは、第４の副搬送波セットから選択され、偶数インデックスを有する第１の構造内の第１のシンボル群によって占有される、副搬送波インデックスは、第５の副搬送波セットから選択され、偶数インデックスを有する第１の構造内の第３のシンボル群によって占有される、副搬送波インデックスは、第６の副搬送波セットから選択される。
【０２４８】
第３の副搬送波セットに含まれる副搬送波の数は、１２である。実施形態では、１２の副搬送波は、周波数ドメイン内で連続的であり、インデックス番号０〜１１を有する。
【０２４９】
第４の副搬送波セットに含まれる副搬送波の数は、１２である。実施形態では、１２の副搬送波は、周波数ドメイン内で連続的であり、インデックス番号０〜１１を有する。
【０２５０】
第５の副搬送波セットは、下記に説明されるルールのうちの１つに従って決定される。
【０２５１】
偶数インデックスを有する第１の構造の前に、奇数インデックスを有する第１の構造内の第１のシンボル群によって占有される、副搬送波インデックスが、第３の副搬送波セットの中の偶数インデックスを有する、副搬送波であるとき、第５の副搬送波セットは、第３の副搬送波セットの中の奇数インデックスを有する、副搬送波を含む。
【０２５２】
偶数インデックスを有する第１の構造の前に、奇数インデックスを有する第１の構造内の第１のシンボル群によって占有される、副搬送波インデックスが、第３の副搬送波セットの中の奇数インデックスを有する、副搬送波であるとき、第５の副搬送波セットは、第３の副搬送波セットの中の偶数インデックスを有する、副搬送波を含む。
【０２５３】
第６の副搬送波セットは、以下のルールのうちの１つに従って決定され、すなわち、偶数インデックスを有する第１の構造の前に、奇数インデックスを有する第１の構造内の第３のシンボル群によって占有される、副搬送波インデックスが、第４の副搬送波セットの中の｛０，１，２，３，４，５｝のインデックスを有する、副搬送波であるとき、第６の副搬送波セットは、第４の副搬送波セットの中のインデックス｛６，７，８，９，１０，１１｝を有する、副搬送波を含む。
【０２５４】
実施形態では、第３の副搬送波セットおよび第４の副搬送波セットは、独立して構成される。
【０２５５】
第３の副搬送波セットは、第４の副搬送波セットと同一である。
【０２５６】
奇数インデックスを有する第１の構造内の第１のシンボル群によって占有される、副搬送波インデックスは、第３の副搬送波セットからランダムに選択される。
【０２５７】
奇数インデックスを有する第１の構造内の第３のシンボル群によって占有される、副搬送波インデックスは、第４の副搬送波セットからランダムに選択される。
【０２５８】
奇数インデックスを有する第１の構造内の第１のシンボル群によって占有される副搬送波インデックス、および第３のシンボル群によって占有される副搬送波インデックスは、独立して選択される。
【０２５９】
本願の実施形態はさらに、端末を提供する。端末は、プロセッサと、メモリと、通信バスとを含む。
【０２６０】
通信バスは、プロセッサとメモリとの間の接続通信を実装するように構成される。
【０２６１】
プロセッサは、メモリ内に記憶された情報伝送プログラムを実行し、上記に説明される任意の情報伝送方法を遂行するように構成される。
【０２６２】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
【０２６３】
図４を参照すると、本願の実施形態はさらに、情報伝送方法を提供する。本方法は、下記に説明されるステップ４０１を含む。
【０２６４】
ステップ４０１では、基地局は、ダウンリンクチャネルを通してＲＡＲ  Ｍｓｇ２メッセージを送信し、Ｍｓｇ２メッセージは、少なくとも、ＭＡＣヘッダと、ＭＡＣペイロードとを含む。
【０２６５】
Ｍｓｇ１の調節情報は、Ｍｓｇ２メッセージ内で送信される。
【０２６６】
実施形態では、ＢＩ情報が、ＭＡＣサブヘッダに含まれるとき、Ｍｓｇ１の調節情報は、ＭＡＣペイロード内で送信される。
【０２６７】
実施形態では、ＭＡＣ  ＲＡＲが、ＭＡＣペイロードに存在するとき、Ｍｓｇ１の調節情報は、最後のＭＡＣ  ＲＡＲの後に送信される。
実施形態では、Ｍｓｇ１の調節情報は、以下のうちの少なくとも１つを含む。
【０２６８】
調節されたカバレッジ拡張レベル、
【０２６９】
Ｍｓｇ１の調節された反復送信回数または調節された反復送信レベル、
【０２７０】
Ｍｓｇ１の調節された初期標的受信電力値、
【０２７１】
Ｍｓｇ１を送信するために選択される、調節されたビーム方向または調節されたビームインデックス、
【０２７２】
Ｍｓｇ１のリソース構成情報のＳＳ／ＰＢＣＨブロックの調節されたインデックス情報、
【０２７３】
カバレッジ拡張レベルの調節量、
【０２７４】
Ｍｓｇ１の反復送信回数の調節量または反復送信レベルの調節量、
【０２７５】
Ｍｓｇ１の初期標的受信電力値の調節量、
Ｍｓｇ１を送信するための選択されたビーム方向の調節量または選択されたビームインデックスの調節量、または
【０２７６】
Ｍｓｇ１のリソース構成情報のＳＳ／ＰＢＣＨブロックのインデックス情報の調節量。
【０２７７】
ＳＳ／ＰＢＣＨブロックの具体的意味は、少なくとも、ＳＳと、ＳＩＢとを含む、時間ドメイン・周波数ドメインリソースブロックであることに留意されたい。ＳＩＢは、ＰＢＣＨ内で送信される。本システムは、１つ以上のＳＳ／ＰＢＣＨブロックを伴って構成されてもよい。
【０２７８】
実施形態では、Ｍｓｇ１リソース構成情報は、構成された１つ以上のＳＳ／ＰＢＣＨブロックの中の各ＳＳ／ＰＢＣＨブロックに存在する。
【０２７９】
実施形態では、Ｍｓｇ１リソース構成情報は、構成された１つ以上のＳＳ／ＰＢＣＨブロックの中のＳＳ／ＰＢＣＨブロックの一部に存在する。
【０２８０】
本願における調節量の意味は、以下の通りであり、すなわち、あるパラメータの調節量は、最後の時間内のパラメータの値と調節後のパラメータの値との間の偏差値である（調節量は、正、負、またはゼロであってもよい）。
【０２８１】
実施形態では、Ｍｓｇ１の調節情報は、同一のカバレッジ拡張レベルに関するものである。
【０２８２】
実施形態では、Ｍｓｇ１の調節情報は、ＭＡＣサブヘッダ内のＲＡＰＩＤフィールドによって示される。
【０２８３】
図１１を参照すると、２つのＭＡＣサブヘッダ（ＭＡＣ層のサブヘッダ）構造が、図１１に含まれ、２つのＭＡＣサブヘッダ構造は、それぞれ、図１２に示されるような、かつ８ビットの長さを有する、「Ｅ／Ｔ／ＲＡＰＩＤ  ＭＡＣサブヘッダ」、および、図１３に示されるような、かつ８ビットの長さを有する、「Ｅ／Ｔ／Ｒ／Ｒ／ＢＩ  ＭＡＣサブヘッダ」である。
【０２８４】
複数の変数の意味は、以下の通りである。
【０２８５】
「Ｅ」は、ＭＡＣヘッダの後に他のサブヘッダが続くかどうかを示すために使用される。その「Ｅ」は、ＭＡＣヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【０２８６】
「Ｔ」は、サブヘッダが、ＲＡＰＩＤまたはＢＩを含むかどうかを示すために使用される。その「Ｔ」は、サブヘッダがＲＡＰＩＤを含むことを示す、「１」として構成される。その「Ｔ」は、サブヘッダがＢＩを含むことを示す、「０」として構成される。
【０２８７】
「Ｒ」は、予備ビットであり、「０」として構成される。
【０２８８】
ＢＩは、４ビットを占有し、ＲＡＰＩＤは、６ビットを占有する。
【０２８９】
実施形態では、ＭＡＣサブヘッダ内のＲＡＰＩＤフィールドを通してＭｓｇ１の調節情報を示すステップは、ＲＡＰＩＤの状態ビットの一部または全てを使用することよって、Ｍｓｇ１の調節情報を示すステップを含む。
【０２９０】
状態ビットの具体的意味は、以下の通りであり、すなわち、ＲＡＰＩＤが、Ｎビットによって形成されると仮定して、ＲＡＰＩＤは、最大２＾Ｎの状態を説明し得る（各状態は、状態ビットと呼ばれる）ことに留意されたい。
【０２９１】
例えば、Ｎ＝６であるとき、ＲＡＰＩＤは、６ビットを有し、合計６４の状態ビット０〜６３が、サポートされ得る。０〜４７が、ＮＰＲＡＣＨ副搬送波インデックスを示すために使用され、次いで、合計１６の状態ビット４８〜６３は、アイドルである。
【０２９２】
ＲＡＰＩＤの１６の状態ビットは、「Ｍｓｇ１の調節情報」を示し得る。例えば、各状態ビットは、Ｍｓｇ１の調節情報のタイプに対応し、ＵＥは、上記の状態ビットを正常に受信した後にＭｓｇ１の調節情報を学習する。
【０２９３】
実施形態では、Ｍｓｇ１の調節情報を示すＭＡＣサブヘッダは、ＢＩ情報を含むＭＡＣサブヘッダの後に送信される。
【０２９４】
実施形態では、ＭＡＣサブヘッダ内のＲＡＰＩＤを通してＭｓｇ１の調節情報を示すステップは、Ｍｓｇ１メッセージの調節情報がＭＡＣペイロードに含まれるかどうかを示すために、ＲＡＰＩＤフィールドの状態ビットを使用するステップを含む。
【０２９５】
実施形態では、ＲＡＰＩＤの状態ビットが、Ｍｓｇ１の調節情報がＭＡＣペイロードに含まれることを示すとき、Ｍｓｇ１の調節情報は、ＭＡＣヘッダの後に送信される。
【０２９６】
実施形態では、ＲＡＰＩＤの状態ビットが、Ｍｓｇ１の調節情報がＭＡＣペイロードに含まれること、およびＭＡＣ  ＲＡＲがＭＡＣペイロード内に存在すること示すとき、Ｍｓｇ１の調節情報は、ＭＡＣペイロード内の最後のＭＡＣ  ＲＡＲの後に送信される。
【０２９７】
実施形態では、Ｍｓｇ１の調節情報は、同一のカバレッジ拡張レベルに関するものである。
【０２９８】
本願の実施形態はさらに、基地局を提供する。端末は、プロセッサと、メモリと、通信バスとを含む。
【０２９９】
通信バスは、プロセッサとメモリとの間の接続通信を実装するように構成される。
【０３００】
プロセッサは、メモリ内に記憶された情報伝送プログラムを実行し、上記に説明される任意の情報伝送方法を遂行するように構成される。
【０３０１】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
【０３０２】
本願の１つ以上の実施形態によって提供される、情報伝送方法、基地局、端末、およびコンピュータ可読記憶媒体によると、基地局は、端末が、現在のチャネル品質測定値に従って端末のカバレッジ拡張レベルを調節し、調節されたカバレッジ拡張レベルを基地局にフィードバックし得るように、チャネル品質閾値またはその偏差値を含む、第１のメッセージを送信し、それによって、アップリンクチャネル伝送の成功率を改良し、基地局がダウンリンクチャネルの多すぎる反復送信回数を選択し、リソースの無駄を引き起こし得る現象を改良する。本願の実施形態はさらに、いくつかの適用実施形態を提供し、本願をさらに解説する。しかしながら、適用実施形態は、本願をより良好に説明するために使用されるにすぎず、いかなる不適切な態様にも本願を限定しないことに留意されたい。以下の実施形態は、独立して存在し得、異なる実施形態の技術的特徴は、合同使用のために一実施形態に組み合わせられ得る。
適用実施形態１（組み合わせ１：チャネル品質閾値の１つのセットおよびチャネル品質閾値の１つのセットの中のチャネル品質閾値に関する偏差値）
【０３０３】
３つのカバレッジ拡張レベルが、無線通信システム内でサポートされ、各カバレッジ拡張レベルは、チャネル品質値範囲に対応し、各カバレッジ拡張レベルに対応するチャネルは、反復送信回数を伴って構成される。
【０３０４】
ＣＱ＿Ｍｅａｓｕｒｅｄが、
【化１】
2021512551.tif 000010
を満たすとき、ＵＥのカバレッジ拡張レベルは、ＣＥレベル０である。
【０３０５】
ＣＱ＿Ｍｅａｓｕｒｅｄが
【化２】
2021512551.tif 000011
を満たすとき、ＵＥのカバレッジ拡張レベルは、ＣＥレベル１である。
【０３０６】
ＣＱ＿Ｍｅａｓｕｒｅｄが
【化３】
2021512551.tif 000012
を満たすとき、ＵＥのカバレッジ拡張レベルは、ＣＥレベル２である。
ＣＱ＿Ｍｅａｓｕｒｅｄは、ＵＥのチャネル品質測定値であり、ＣＱ＿ＴＨ＿ＣＥ０は、カバレッジ拡張レベル０に対応するチャネル品質閾値であり、ＣＱ＿ＴＨ＿ＣＥ１は、カバレッジ拡張レベル１に対応するチャネル品質閾値である。
チャネル品質閾値は、以下のために使用され、すなわち、端末は、チャネル品質測定値およびチャネル品質閾値の比較結果に従って、カバレッジ拡張レベル、またはダウンリンクチャネルのカバレッジ拡張レベル、またはダウンリンクチャネルの反復送信レベル、またはダウンリンクチャネルの反復送信回数を決定することに留意されたい。
【０３０７】
チャネル品質閾値は、少なくとも１つの以下のタイプのチャネル品質、すなわち、基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロスに従って設定される。
【０３０８】
適用実施形態では、チャネル品質は、ＲＳＲＰである。
【０３０９】
ＣＥレベルが、ダウンリンクチャネル品質情報を反映することを考慮して、ＣＥレベルはまた、アップリンクチャネルによって受けられる干渉レベルが、ダウンリンクチャネルによって受けられる干渉レベルに等しい、または近いときに、アップリンクチャネル品質情報を反映し得る。実施形態では、アップリンクチャネルによって受けられる干渉レベルが、ダウンリンクチャネルによって受けられる干渉レベルを上回るため、ＵＥが、選択されたＣＥレベルに対応する反復送信回数に従ってアップリンクチャネルを送信する場合、アップリンクチャネルは、アップリンク干渉レベルが高すぎるため、基地局によって正常に受信されることができない。
【０３１０】
実施形態では、チャネル品質閾値の１つのセット（すなわち、ＣＱ＿ＴＨ＿ＣＥ０およびＣＱ＿ＴＨ＿ＣＥ１）を構成することに加えて、基地局はまた、図５に示されるように、ＣＱ＿ＴＨ＿ＣＥ０およびＣＱ＿ＴＨ＿ＣＥ１に関する偏差値Ｄｅｌｔａ０およびＤｅｌｔａ１を構成する。したがって、チャネル品質は、５つの範囲、すなわち、範囲１〜範囲５に分割される。偏差値Ｄｅｌｔａ０およびＤｅｌｔａ１は、閾値の各セットの中の複数の閾値に関して構成され得る、または閾値のセットの中の全ての閾値は、同一の偏差値を共有することに留意されたい。
【０３１１】
基地局は、Ｄｅｌｔａ０およびＤｅｌｔａ１を構成することを通して、ＣＥレベル０およびＣＥレベル１に対応するチャネル品質閾値を増加させる。したがって、ＣＥレベル０のチャネル品質閾値は、ＣＱ＿ＴＨ＿ＣＥ０＋Ｄｅｌｔａ０になり、ＣＥレベル０に対応するチャネル品質範囲は、範囲１であり、ＣＥレベル１のチャネル品質閾値は、ＣＱ＿ＴＨ＿ＣＥ１＋Ｄｅｌｔａ１になり、ＣＥレベル１に対応するチャネル品質範囲は、範囲２および範囲３であり、ＣＥレベル２に対応するチャネル品質範囲は、範囲４および範囲５である。
【０３１２】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、ＵＥは、Ｍｓｇ３メッセージを通してダウンリンクチャネルの調節情報を伝送する。
ダウンリンクチャネルの調節情報は、以下のうちの少なくとも１つを含む。
【０３１３】
ダウンリンクチャネルの調節された反復送信情報、
【０３１４】
ダウンリンクチャネルの調節された変調コーディング情報、
【０３１５】
ダウンリンクチャネルの反復送信情報の調節量、
ダウンリンクチャネルの変調コーディング情報の調節量、または
【０３１６】
ダウンリンクチャネル品質。
【０３１７】
ダウンリンクチャネルの調節情報が、ダウンリンクチャネル品質を含むとき、下記に説明される方法が、「ダウンリンクチャネル品質」を量子化するために使用される。
【０３１８】
（１）ＵＥによって送信される「ダウンリンクチャネル品質」の値範囲は、ＵＥによって選択されるＣＥレベルに対応するチャネル品質範囲である。
【０３１９】
（２）（１）におけるチャネル品質範囲は、Ｎ（Ｎは、１以上である）ビットによって量子化され、すなわち、ＣＥレベルに対応するチャネル品質範囲は、２＾Ｎの小さい範囲に分割され、ＵＥは、Ｍｓｇ３メッセージを通して、「ダウンリンクチャネル品質」が位置する小さい範囲のインデックスを送信する。
実施形態では、ＵＥのチャネル品質測定値が、以下のエリアのうちの少なくとも１つの中に位置するとき、ＵＥは、ダウンリンクチャネル品質を送信する。
【０３２０】
範囲２エリア、
【０３２１】
範囲４エリア、
【０３２２】
範囲２エリアおよび範囲３エリア
範囲４エリアおよび範囲５エリア、または
【０３２３】
範囲２エリア、範囲３エリア、範囲４エリア、および範囲５エリア。
適用実施形態２（組み合わせ１：チャネル品質閾値の１つのセットおよびチャネル品質閾値の１つのセットの中のチャネル品質閾値に関する偏差値）
【０３２４】
実施形態では、チャネル品質閾値の１つのセット（すなわち、ＣＱ＿ＴＨ＿ＣＥ０およびＣＱ＿ＴＨ＿ＣＥ１）を構成することに加えて、基地局はまた、図５に示されるように、ＣＱ＿ＴＨ＿ＣＥ０およびＣＱ＿ＴＨ＿ＣＥ１に関する偏差値Ｄｅｌｔａ０およびＤｅｌｔａ１を構成する。したがって、チャネル品質は、５つの範囲、すなわち、範囲１〜範囲５に分割される。
【０３２５】
基地局は、Ｄｅｌｔａ０およびＤｅｌｔａ１を構成することを通して、ＣＥレベル０およびＣＥレベル１に対応するチャネル品質閾値を増加させる。したがって、ＣＥレベル０のチャネル品質閾値は、ＣＱ＿ＴＨ＿ＣＥ０＋Ｄｅｌｔａ０になり、ＣＥレベル０に対応するチャネル品質範囲は、範囲１であり、ＣＥレベル１のチャネル品質閾値は、ＣＱ＿ＴＨ＿ＣＥ１＋Ｄｅｌｔａ１になり、ＣＥレベル１に対応するチャネル品質範囲は、範囲２および範囲３であり、アップリンクチャネル（実施形態におけるランダムアクセスチャネル）の対応する反復送信レベルまたは反復送信回数は、同一であり、ＣＥレベル２に対応するチャネル品質範囲は、範囲４および範囲５であり、アップリンクチャネル（実施形態におけるランダムアクセスチャネル）の対応する反復送信レベルまたは反復送信回数は、同一である。
【０３２６】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。本問題を克服するために、範囲１〜範囲５の中の各範囲は、独立ランダムアクセスチャネルリソースに対応し、各範囲に対応するダウンリンクチャネルの反復送信回数または反復送信レベルは、独立して構成される。
ランダムアクセスチャネルリソースは、以下のうちの少なくとも１つを含む。
【０３２７】
ランダムアクセスチャネルによって占有される、時間ドメイン・周波数ドメインリソース、
【０３２８】
ランダムアクセス信号を送信するためのシーケンス、
ランダムアクセス信号を送信するために選択される、ビーム方向またはビームインデックス、または
【０３２９】
ランダムアクセスチャネルリソースの構成情報を含む、ＳＳ／ＰＢＣＨブロックのインデックス情報。
ダウンリンクチャネルは、以下のうちの少なくとも１つを含む。
【０３３０】
ランダムアクセス応答メッセージが送信されるときに使用される、ダウンリンクチャネル、
【０３３１】
ランダムアクセス応答メッセージのスケジューリング情報が送信されるときに使用される、ダウンリンクチャネル、
Ｍｓｇ４が送信されるときのダウンリンクチャネル、または
【０３３２】
Ｍｓｇ４のスケジューリング情報が送信されるときに使用される、ダウンリンクチャネル。
【０３３３】
基地局は、ＵＥによって送信される、受信されたランダムアクセス信号に対応するランダムアクセスチャネルリソースに従って、ＵＥの範囲のインデックスを決定し、さらに、ＵＥに対応するダウンリンクチャネルに関して反復送信回数または反復送信レベルを構成する。
適用実施形態３（組み合わせ２：チャネル品質閾値の２つのセット）
【０３３４】
ＣＥレベルが、ダウンリンクチャネル品質情報を反映することを考慮して、ＣＥレベルはまた、アップリンクチャネルによって受けられる干渉レベルが、ダウンリンクチャネルによって受けられる干渉レベルに等しい、または近いときに、アップリンクチャネル品質情報を反映し得る。実施形態では、アップリンクチャネルによって受けられる干渉レベルが、ダウンリンクチャネルによって受けられる干渉レベルを上回るため、ＵＥが、選択されたＣＥレベルに対応する反復送信回数に従ってアップリンクチャネルを送信する場合、アップリンクチャネルは、アップリンク干渉レベルが高すぎるため、基地局によって正常に受信されることができない。本問題を克服するために、実施形態では、基地局は、チャネル品質閾値の２つのセットを構成し、閾値の第１のセットは、ＣＱ＿ＴＨ＿ＣＥ０およびＣＱ＿ＴＨ＿ＣＥ１を含み、閾値の第２のセットは、Ｎｅｗ＿ＣＱ＿ＴＨ＿ＣＥ０およびＮｅｗ＿ＣＱ＿ＴＨ＿ＣＥ１を含む。図６に示されるように、チャネル品質は、閾値の２つのセットを通して、合計５つの範囲、すなわち、範囲１〜範囲５に分割される。
【０３３５】
アップリンクＣＥレベル０のチャネル品質閾値は、Ｎｅｗ＿ＣＱ＿ＴＨ＿ＣＥ０であり、アップリンクＣＥレベル０に対応するチャネル品質範囲は、範囲１であり、アップリンクＣＥレベル１のチャネル品質閾値は、Ｎｅｗ＿ＣＱ＿ＴＨ＿ＣＥ１になり、アップリンクＣＥレベル１に対応するチャネル品質範囲は、範囲２および範囲３であり、アップリンクＣＥレベル２に対応するチャネル品質範囲は、範囲４および範囲５である。
【０３３６】
ダウンリンクＣＥレベル０のチャネル品質閾値は、ＣＱ＿ＴＨ＿ＣＥ０であり、ダウンリンクＣＥレベル０に対応するチャネル品質範囲は、範囲１および範囲２であり、ダウンリンクＣＥレベル１のチャネル品質閾値は、ＣＱ＿ＴＨ＿ＣＥ１になり、ダウンリンクＣＥレベル１に対応するチャネル品質範囲は、範囲３および範囲４であり、ダウンリンクＣＥレベル２に対応するチャネル品質範囲は、範囲５である。
【０３３７】
アップリンクＣＥレベルに対応するチャネル品質閾値が、増加されるため、アップリンクチャネル伝送の成功率は、改良されることができる。
適用実施形態４（組み合わせ２：チャネル品質閾値の２つのセット）
【０３３８】
実施形態では、基地局は、チャネル品質閾値の２つのセットを構成し、閾値の第１のセットは、ＣＱ＿ＴＨ＿ＣＥ０およびＣＱ＿ＴＨ＿ＣＥ１を含み、閾値の第２のセットは、Ｎｅｗ＿ＣＱ＿ＴＨ＿ＣＥ０およびＮｅｗ＿ＣＱ＿ＴＨ＿ＣＥ１を含む。図６に示されるように、チャネル品質は、閾値の２つのセットを通して、合計５つの範囲、すなわち、範囲１〜範囲５に分割される。
【０３３９】
アップリンクＣＥレベル０のチャネル品質閾値は、Ｎｅｗ＿ＣＱ＿ＴＨ＿ＣＥ０であり、アップリンクＣＥレベル０に対応するチャネル品質範囲は、範囲１であり、アップリンクＣＥレベル１のチャネル品質閾値は、Ｎｅｗ＿ＣＱ＿ＴＨ＿ＣＥ１になり、アップリンクＣＥレベル１に対応するチャネル品質範囲は、範囲２および範囲３であり、アップリンクＣＥレベル２に対応するチャネル品質範囲は、範囲４および範囲５である。
【０３４０】
ダウンリンクＣＥレベル０のチャネル品質閾値は、ＣＱ＿ＴＨ＿ＣＥ０であり、ダウンリンクＣＥレベル０に対応するチャネル品質範囲は、範囲１および範囲２であり、ダウンリンクＣＥレベル１のチャネル品質閾値は、ＣＱ＿ＴＨ＿ＣＥ１になり、ダウンリンクＣＥレベル１に対応するチャネル品質範囲は、範囲３および範囲４であり、ダウンリンクＣＥレベル２に対応するチャネル品質範囲は、範囲５である。
【０３４１】
アップリンクＣＥレベルに対応するチャネル品質閾値が、増加されるため、アップリンクチャネル伝送の成功率は、改良されることができる。実施形態では、範囲１〜範囲５の中の各範囲は、独立ランダムアクセスチャネルリソースに対応し、各範囲に対応するダウンリンクチャネルの反復送信回数または反復送信レベルは、独立して構成される。
ランダムアクセスチャネルリソースは、以下のうちの少なくとも１つを含む。
【０３４２】
ランダムアクセスチャネルによって占有される、時間ドメイン・周波数ドメインリソース、
【０３４３】
ランダムアクセス信号を送信するためのシーケンス、
ランダムアクセス信号を送信するために選択される、ビーム方向またはビームインデックス、または
【０３４４】
ランダムアクセスチャネルリソースの構成情報を含む、ＳＳ／ＰＢＣＨブロックのインデックス情報。
ダウンリンクチャネルは、以下のうちの少なくとも１つを含む。
【０３４５】
ランダムアクセス応答メッセージが送信されるときに使用される、ダウンリンクチャネル、
【０３４６】
ランダムアクセス応答メッセージのスケジューリング情報が送信されるときに使用される、ダウンリンクチャネル、
Ｍｓｇ４が送信されるときのダウンリンクチャネル、または
【０３４７】
Ｍｓｇ４のスケジューリング情報が送信されるときに使用される、ダウンリンクチャネル。
【０３４８】
測定されたチャネル品質値が位置する範囲に従って、ＵＥは、対応するランダムアクセスチャネルリソースを選択し、ランダムアクセス信号を送信する。基地局は、ＵＥによって送信される、受信されたランダムアクセス信号に対応するランダムアクセスチャネルリソースに従って、ＵＥの範囲のインデックスを決定し、さらに、ＵＥのためにダウンリンクチャネルの対応する反復送信回数または反復送信レベルを構成する。
適用実施形態５（組み合わせ２：チャネル品質閾値の２つのセットに対応するチャネル品質は、異なるタイプに属する）
【０３４９】
実施形態では、チャネル品質閾値の２つのセットが、構成され、使用されたチャネル品質は、それぞれ、ＲＳＲＰおよびダウンリンクＳＩＮＲであり、チャネル品質閾値の各セットは、３つのカバレッジ拡張レベルに対応する。
【０３５０】
実施形態では、ＵＥは、下記に説明されるルールによってカバレッジ拡張レベルを決定する。
【０３５１】
（１）ＵＥは、ＲＳＲＰ測定値および対応するＲＳＲＰ閾値に従って、ＵＥのカバレッジ拡張レベルがレベル０であることを決定する。
【０３５２】
（２）ＵＥは、ダウンリンクＳＩＮＲ測定値および対応するダウンリンクＳＩＮＲ閾値に従って、ＵＥのカバレッジ拡張レベルがレベル１であることを決定する。
【０３５３】
（３）ＵＥは、ＵＥによって選択されるカバレッジ拡張レベルとして、カバレッジ拡張レベル０およびカバレッジ拡張レベル１から最大カバレッジ拡張レベルを選択する、すなわち、ＵＥは、ＵＥによって選択されるカバレッジ拡張レベルとして、カバレッジ拡張レベル１を選択する。
【０３５４】
実施形態では、ＵＥはさらに、選択されたカバレッジ拡張レベルに従って、ダウンリンクチャネルの対応する反復送信情報を選択してもよい。
【０３５５】
実施形態では、ＵＥはさらに、カバレッジ拡張レベルに従って、ダウンリンクチャネルの対応する変調コーディング情報を選択してもよい。
実施形態では、ＵＥは、Ｍｓｇ３メッセージを通して調節情報を伝送し、調節情報は、以下のうちの少なくとも１つを含む。
【０３５６】
カバレッジ拡張レベル、
ダウンリンクチャネルの反復送信情報であって、反復送信レベルまたは反復送信回数を含む、反復送信情報、または
【０３５７】
ダウンリンクチャネルの変調コーディング情報であって、変調オーダーまたはコーディング効率のうちの少なくとも１つを含む、変調コーディング情報。
【０３５８】
ダウンリンクチャネルは、少なくとも、ダウンリンク制御チャネルおよびダウンリンク共有チャネル、例えば、Ｍｓｇ２のスケジューリング情報またはＭｓｇ４のスケジューリング情報を搬送するダウンリンク制御チャネル、およびＭｓｇ２またはＭｓｇ４を搬送するダウンリンク共有チャネルを含む。
【０３５９】
実施形態では、Ｍｓｇ３メッセージ内で伝送される調節情報において、カバレッジ拡張レベルは、実際に選択されたカバレッジ拡張レベル、または最後のカバレッジ拡張レベルからの実際に選択されたカバレッジ拡張レベルの偏差値であってもよく、偏差値は、正、負、またはゼロであってもよい。
【０３６０】
実施形態では、Ｍｓｇ３メッセージ内で伝送される調節情報において、ダウンリンクチャネルの反復送信情報は、実際に選択された値、または最後に選択された値から実際に選択された値の偏差値であってもよく、偏差値は、正、負、またはゼロであってもよい。
【０３６１】
実施形態では、Ｍｓｇ３メッセージ内で伝送される調節情報において、ダウンリンクチャネルの変調コード情報は、実際に選択された値、または最後に選択された値から実際に選択された値の偏差値であってもよく、偏差値は、正、負、またはゼロであってもよい。
【０３６２】
実施形態に加えて、ＵＥはまた、下記に説明されるルールに従って、カバレッジ拡張レベルを決定してもよい。
【０３６３】
（１）ＵＥは、ＲＳＲＰ測定値および対応するＲＳＲＰ閾値に従って、ＵＥのカバレッジ拡張レベルがレベル０であることを決定する。
【０３６４】
（２）ＵＥは、ＲＳＲＱ測定値および対応するＲＳＲＱ閾値に従って、ＵＥのカバレッジ拡張レベルがレベル１であることを決定する。
【０３６５】
（３）ＵＥは、ＵＥによって選択されるカバレッジ拡張レベルとして、カバレッジ拡張レベル０およびカバレッジ拡張レベル１から最大カバレッジ拡張レベルを選択する、すなわち、ＵＥは、ＵＥによって選択されるカバレッジ拡張レベルとして、カバレッジ拡張レベル１を選択する。
適用実施形態６（組み合わせ２：チャネル品質閾値の２つのセットに対応するチャネル品質は、異なるタイプに属する）
【０３６６】
実施形態では、ＵＥは、下記に説明されるルールによってカバレッジ拡張レベルを決定する。
【０３６７】
ＵＥは、ＲＳＲＰ測定値および対応するＲＳＲＰ閾値に従って、ＵＥの大きいカバレッジ拡張レベルを決定する。
【０３６８】
ＣＱ＿Ｍｅａｓｕｒｅｄが、
【化４】
2021512551.tif 000013
を満たすとき、ＵＥの大きいカバレッジ拡張レベルは、大きいレベル０である。
【０３６９】
ＣＱ＿Ｍｅａｓｕｒｅｄが、
【化５】
2021512551.tif 000014
を満たすとき、ＵＥの大きいカバレッジ拡張レベルは、大きいレベル１である。
【０３７０】
ＣＱ＿Ｍｅａｓｕｒｅｄが、
【化６】
2021512551.tif 000015
を満たすとき、ＵＥの大きいカバレッジ拡張レベルは、大きいレベル２である。
ＣＱ＿Ｍｅａｓｕｒｅｄは、ＵＥのＲＳＲＰ測定値であり、ＣＱ＿ＴＨ＿ＣＥ０は、大きいカバレッジ拡張レベル０に対応するＲＳＲＰ閾値であり、ＣＱ＿ＴＨ＿ＣＥ１は、大きいカバレッジ拡張レベル１に対応するＲＳＲＰ閾値である。
ＣＱ＿ＴＨ＿ＣＥ０およびＣＱ＿ＴＨ＿ＣＥ１は、チャネル品質閾値の１つのセットに属する。
【０３７１】
ＵＥが、大きいカバレッジ拡張レベルを選択した後、ＵＥは、ダウンリンクＳＩＮＲ測定値および対応するダウンリンクＳＩＮＲ閾値に従って、ＵＥの小さいカバレッジ拡張レベルを決定する。
【０３７２】
実施形態では、２つの小さいカバレッジ拡張レベルが、各大きいカバレッジ拡張レベル内で構成され、構成された閾値は、ＳＩＮＲ＿ＴＨ＿ＣＥ０である。小さいカバレッジ拡張レベル０は、ＵＥのダウンリンクＳＩＮＲが、ＳＩＮＲ＿ＴＨ＿ＣＥ０以上のときに定義され、小さいカバレッジ拡張レベル１は、ＵＥのダウンリンクＳＩＮＲが、ＳＩＮＲ＿ＴＨ＿ＣＥ０未満であるときに定義される。
【０３７３】
ＵＥは、ＵＥによって選択されるカバレッジ拡張レベル情報として、「大きいカバレッジ拡張レベルおよび小さいカバレッジ拡張レベル」をとり、「大きいカバレッジ拡張レベル」および「小さいカバレッジ拡張レベル」は、独立して示される、または合同で示され得る。合同インジケーションは、端末によって選択される「大きいカバレッジ拡張レベル」および「小さいカバレッジ拡張レベル」が、インジケーション情報を通して示され得る、合同コーディングモードを指す。
実施形態では、ＵＥは、Ｍｓｇ３メッセージを通して調節情報を伝送し、調節情報は、以下のうちの少なくとも１つを含む。
【０３７４】
カバレッジ拡張レベル、
ダウンリンクチャネルの反復送信情報であって、反復送信レベルまたは反復送信回数を含む、反復送信情報、または
【０３７５】
ダウンリンクチャネルの変調コーディング情報であって、変調オーダーまたはコーディング効率のうちの少なくとも１つを含む、変調コーディング情報。
【０３７６】
ダウンリンクチャネルは、少なくとも、ダウンリンク制御チャネルおよびダウンリンク共有チャネル、例えば、Ｍｓｇ２のスケジューリング情報またはＭｓｇ４のスケジューリング情報を搬送するダウンリンク制御チャネル、およびＭｓｇ２またはＭｓｇ４を搬送するダウンリンク共有チャネルを含む。
適用実施形態７（組み合わせ３：チャネル品質閾値の１つのセット）
【０３７７】
ＣＥレベルが、ダウンリンクチャネル品質情報を反映することを考慮して、ＣＥレベルはまた、アップリンクチャネルによって受けられる干渉レベルが、ダウンリンクチャネルによって受けられる干渉レベルに等しい、または近いときに、アップリンクチャネル品質情報を反映し得る。実施形態では、アップリンクチャネルによって受けられる干渉レベルが、ダウンリンクチャネルによって受けられる干渉レベルを上回るため、ＵＥが、選択されたＣＥレベルに対応する反復送信回数に従ってアップリンクチャネルを送信する場合、アップリンクチャネルは、アップリンク干渉レベルが高すぎるため、基地局によって正常に受信されることができない。
【０３７８】
実施形態では、基地局は、ＣＥレベル０およびＣＥレベル１に対応するチャネル品質閾値を増加させる。図６に示されるように、ＣＥレベル０のチャネル品質閾値は、最初に構成されたＣＱ＿ＴＨ＿ＣＥ０からＮｅｗ＿ＣＱ＿ＴＨ＿ＣＥ０まで増加され、ＣＥレベル１のチャネル品質閾値は、最初に構成されたＣＱ＿ＴＨ＿ＣＥ１からＮｅｗ＿ＣＱ＿ＴＨ＿ＣＥ１まで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【０３７９】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、ＵＥは、Ｍｓｇ３メッセージを通してダウンリンクチャネルの調節情報を伝送する。
ダウンリンクチャネルの調節情報は、以下のうちの少なくとも１つを含む。
【０３８０】
ダウンリンクチャネルの調節された反復送信情報であって、反復送信レベルまたは反復送信回数を含む、反復送信情報、
【０３８１】
ダウンリンクチャネルの調節された変調コーディング情報、
【０３８２】
ダウンリンクチャネルの反復送信情報の調節量、
ダウンリンクチャネルの変調コーディング情報の調節量、または
【０３８３】
ダウンリンクチャネルのチャネル品質測定情報であって、チャネル品質測定値またはチャネル品質測定値が位置するチャネル品質値範囲を含む、チャネル品質測定情報。
【０３８４】
ダウンリンクチャネルの調節情報が、ダウンリンクチャネル品質を含むとき、下記に説明される方法は、「ダウンリンクチャネル品質」を量子化するために使用される。
【０３８５】
（１）ＵＥによって送信される「ダウンリンクチャネル品質」の値範囲は、ＵＥによって選択されるＣＥレベルに対応するチャネル品質範囲である。
【０３８６】
（２）（１）におけるチャネル品質範囲は、Ｎ（Ｎは、１以上である）ビットによって量子化され、すなわち、ＣＥレベルに対応するチャネル品質範囲は、２＾Ｎの小さい範囲に分割され、ＵＥは、Ｍｓｇ３メッセージを通して、「ダウンリンクチャネル品質」が位置する小さい範囲のインデックスを送信する。
実施形態では、ＵＥのチャネル品質測定値は、以下のエリアのうちの少なくとも１つの中に位置する。
【０３８７】
範囲２エリア、
【０３８８】
範囲４エリア、
【０３８９】
範囲２エリアおよび範囲３エリア、
範囲４エリアおよび範囲５エリア、または
【０３９０】
範囲２エリア、範囲３エリア、範囲４エリア、および範囲５エリア。
適用実施形態８（組み合わせ３：チャネル品質閾値の１つのセット）
【０３９１】
実施形態では、基地局は、ＣＥレベル０およびＣＥレベル１に対応するチャネル品質閾値を増加させる。図６に示されるように、ＣＥレベル０のチャネル品質閾値は、最初に構成されたＣＱ＿ＴＨ＿ＣＥ０からＮｅｗ＿ＣＱ＿ＴＨ＿ＣＥ０まで増加され、ＣＥレベル１のチャネル品質閾値は、最初に構成されたＣＱ＿ＴＨ＿ＣＥ１からＮｅｗ＿ＣＱ＿ＴＨ＿ＣＥ１まで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【０３９２】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、範囲１〜範囲５の中の各範囲は、独立ランダムアクセスチャネルリソースに対応し、各範囲に対応するダウンリンクチャネルの反復送信回数または反復送信レベルは、独立して構成される。
ランダムアクセスチャネルリソースは、以下のうちの少なくとも１つを含む。
【０３９３】
ランダムアクセスチャネルによって占有される、時間ドメイン・周波数ドメインリソース、
【０３９４】
ランダムアクセス信号を送信するためのシーケンス、
ランダムアクセス信号を送信するために選択される、ビーム方向またはビームインデックス、または
【０３９５】
ランダムアクセスチャネルリソースの構成情報を含む、ＳＳ／ＰＢＣＨブロックのインデックス情報。
ダウンリンクチャネルは、以下のうちの少なくとも１つを含む。
【０３９６】
ランダムアクセス応答メッセージが送信されるときに使用される、ダウンリンクチャネル、
【０３９７】
ランダムアクセス応答メッセージのスケジューリング情報が送信されるときに使用される、ダウンリンクチャネル、
Ｍｓｇ４が送信されるときのダウンリンクチャネル、または
【０３９８】
Ｍｓｇ４のスケジューリング情報が送信されるときに使用される、ダウンリンクチャネル。
【０３９９】
測定されたチャネル品質値が位置する範囲に従って、ＵＥは、対応するランダムアクセスチャネルリソースを選択し、ランダムアクセス信号を送信する。基地局は、ＵＥによって送信される、受信されたランダムアクセス信号に対応するランダムアクセスチャネルリソースに従って、ＵＥの範囲のインデックスを決定し、さらに、ＵＥのためにダウンリンクチャネルの対応する反復送信情報を構成する。
適用実施形態９（いくつかの例外に対処する）
【０４００】
実施形態では、チャネル品質は、ＲＳＲＰであり、ＣＱ＿ＴＨ＿ＣＥ０は、−１１０ｄＢｍであり、ＣＱ＿ＴＨ＿ＣＥ１は、−１２０ｄＢｍである。
【表７】
2021512551.tif 000016
【０４０１】
実施形態では、基地局は、ＣＥレベル０およびＣＥレベル１に対応するチャネル品質閾値を増加させる。図６に示されるように、ＣＥレベル０のチャネル品質閾値は、最初に構成されたＣＱ＿ＴＨ＿ＣＥ０からＮｅｗ＿ＣＱ＿ＴＨ＿ＣＥ０＝−１０５ｄＢｍまで増加され、ＣＥレベル１のチャネル品質閾値は、最初に構成されたＣＱ＿ＴＨ＿ＣＥ１からＮｅｗ＿ＣＱ＿ＴＨ＿ＣＥ１＝−１１５ｄＢｍまで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【０４０２】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、ＵＥは、Ｍｓｇ３メッセージを通してダウンリンクチャネルの調節情報を伝送する。
ダウンリンクチャネルの調節情報は、以下のうちの少なくとも１つを含む。
【０４０３】
ダウンリンクチャネルの調節された反復送信情報であって、反復送信レベルまたは反復送信回数を含む、反復送信情報、
【０４０４】
ダウンリンクチャネルの調節された変調コーディング情報、
【０４０５】
ダウンリンクチャネルの反復送信情報の調節量、
ダウンリンクチャネルの変調コーディング情報の調節量、または
【０４０６】
ダウンリンクチャネルのチャネル品質測定情報であって、チャネル品質測定値またはチャネル品質測定値が位置するチャネル品質値範囲を含む、チャネル品質測定情報。
【０４０７】
実施形態では、ＵＥ１は、ＲＳＲＰ測定および新しい閾値Ｎｅｗ＿ＣＱ＿ＴＨ＿ＣＥ０およびＮｅｗ＿ＣＱ＿ＴＨ＿ＣＥ１との比較を通して、ＵＥ１自体がＣＥレベル０に属することを決定し、ＣＥレベル０に対応するランダムアクセスリソースからランダムアクセスリソースを選択し、ランダムアクセス信号を送信する。
【０４０８】
実施形態では、ＵＥ１が、過剰なアップリンク干渉を受ける、またはＵＥ１によって選択されるランダムアクセスリソースが、他のＵＥのランダムアクセスリソースと衝突するため、または他の理由により、ＣＥレベル０に対応するランダムアクセスリソース上でＵＥ１によって送信されるランダムアクセス信号は、基地局によって正常に受信されることができず、次いで、ＵＥ１は、ＣＥレベル１にジャンプし、ＣＥレベル１に対応するランダムアクセスリソースからランダムアクセスリソースを選択し、ランダムアクセス信号を送信する。しかしながら、ＵＥ１のＲＳＲＰ測定値は、依然として、範囲１内である。
【０４０９】
実施形態では、ＣＥレベル１に対応するランダムアクセスリソースからランダムアクセスリソースを選択し、ランダムアクセス信号を送信した後、ＵＥ１は、基地局によって送信されるＲＡＲメッセージを正常に受信する。本時点で、基地局は、ＵＥのＲＳＲＰ測定値が範囲２エリアおよび範囲３エリア内であることを考慮する。ＵＥ１は、ＲＡＲ内でＵＥ１のために配分されるリソースを通してＭｓｇ３メッセージを送信し、Ｍｓｇ３内でダウンリンクチャネルの調節情報を伝送する。
【０４１０】
ダウンリンクチャネルの調節情報が、ダウンリンクチャネル品質（ＲＳＲＰ）を含むとき、基地局が、ＵＥ１のＲＳＲＰ測定値が範囲２エリアおよび範囲３エリア内である一方で、ＵＥ１のＲＳＲＰ測定値が範囲１エリア内であることを考慮するため、ダウンリンクチャネル品質を送信するための方法は、以下の通りである。
【０４１１】
（１）範囲２エリアおよび範囲３エリアは、Ｎ（Ｎは、１以上である）ビットによって量子化される。例えば、範囲２エリアおよび範囲３エリアは、２＾Ｎの小さい範囲に分割される。実施例としてＮ＝３を挙げると、範囲２エリアおよび範囲３エリアは、８つの小さい範囲に一様に分割され、「０００」は、第１の小さい範囲を表す、「００１」は、第２の小さい範囲を表す等であり、「１１１」は、第８の小さい範囲を表す。
【０４１２】
（２）ＵＥ１は、範囲１に最も近い１つの小さい範囲に対応するインデックスを選択し、Ｍｓｇ３メッセージを通してインデックスを基地局に送信する。
【０４１３】
ＵＥ１によって送信されるＭｓｇ３メッセージを受信した後、基地局は、ＵＥ１のＲＳＲＰ測定値が範囲２エリアおよび範囲３エリア内にあり、具体的値がＮビットによって決定されることを考慮する。
適用実施形態１０（いくつかの例外に対処する）
【０４１４】
実施形態では、チャネル品質は、ＲＳＲＰである。
【０４１５】
実施形態では、基地局は、ＣＥレベル０およびＣＥレベル１に対応するチャネル品質閾値を増加させる。図６に示されるように、ＣＥレベル０のチャネル品質閾値は、最初に構成されたＣＱ＿ＴＨ＿ＣＥ０からＮｅｗ＿ＣＱ＿ＴＨ＿ＣＥ０まで増加され、ＣＥレベル１のチャネル品質閾値は、最初に構成されたＣＱ＿ＴＨ＿ＣＥ１からＮｅｗ＿ＣＱ＿ＴＨ＿ＣＥ１まで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【０４１６】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、ＵＥは、Ｍｓｇ３メッセージを通してダウンリンクチャネルの調節情報を伝送する。
【０４１７】
実施形態では、ＵＥ１は、ＲＳＲＰ測定および新しい閾値Ｎｅｗ＿ＣＱ＿ＴＨ＿ＣＥ０およびＮｅｗ＿ＣＱ＿ＴＨ＿ＣＥ１との比較を通して、ＵＥ１自体がＣＥレベル０に属することを決定し、ＣＥレベル０に対応するランダムアクセスリソースからランダムアクセスリソースを選択し、ランダムアクセス信号を送信する。
【０４１８】
実施形態では、ＵＥ１が、過剰なアップリンク干渉を受ける、またはＵＥ１によって選択されるランダムアクセスリソースが、他のＵＥのランダムアクセスリソースと衝突するため、または他の理由により、ＣＥレベル０に対応するランダムアクセスリソース上でＵＥ１によって送信されるランダムアクセス信号は、基地局によって正常に受信されることができず、次いで、ＵＥ１は、ＣＥレベル１にジャンプし、ＣＥレベル１に対応するランダムアクセスリソースからランダムアクセスリソースを選択し、ランダムアクセス信号を送信する。しかしながら、ＵＥ１のＲＳＲＰ測定値は、依然として、範囲１内である。
【０４１９】
実施形態では、ＣＥレベル１に対応するランダムアクセスリソースからランダムアクセスリソースを選択し、ランダムアクセス信号を送信した後、ＵＥ１は、基地局によって送信されるＲＡＲメッセージを正常に受信する。本時点で、基地局は、ＵＥのＲＳＲＰ測定値が範囲２エリアおよび範囲３エリア内であることを考慮する。ＵＥ１は、ＲＡＲ内でＵＥ１のために配分されるリソースを通してＭｓｇ３メッセージを送信し、Ｍｓｇ３内でダウンリンクチャネルの調節情報を伝送する。
【０４２０】
ダウンリンクチャネルの調節情報が、ダウンリンクチャネル品質（ＲＳＲＰ）を含むとき、基地局が、ＵＥ１のＲＳＲＰ測定値が範囲２エリアおよび範囲３エリア内である一方で、ＵＥ１のＲＳＲＰ測定値が範囲１エリア内であることを考慮するため、ダウンリンクチャネル品質を送信するための方法は、以下の通りである。
【０４２１】
（１）ダウンリンクチャネル品質は、Ｎビットによって示され、Ｎビットは、２＾Ｎの状態を表し得る。２＾Ｎの状態の中からＮ１の状態が、範囲２エリアおよび範囲３エリアを量子化するために選択される。Ｎ２の状態が、範囲２エリアおよび範囲３エリアを除く全てのＲＳＲＰエリアを量子化するために使用され、２＾Ｎ＝Ｎ１＋Ｎ２である。実施例としてＮ＝４、Ｎ１＝１０、およびＮ２＝６を挙げると、範囲２エリアおよび範囲３エリアは、１０の小さい範囲に一様に分割され、「００００」は、第１の小さい範囲を表す、「０００１」は、第２の小さい範囲を表す等であり、「１００１」は、第１０の小さい範囲を表す。「１０１０」〜「１１１１」の６つの状態は、範囲１エリア、範囲４エリア、および範囲５エリアを量子化するために使用される。
【０４２２】
（２）ＵＥ１は、測定されたＲＳＲＰ値に従って、「０１１１」〜「１１１１」の６つの状態に対応するＲＳＲＰ範囲から、測定されたＲＳＲＰ値が位置する範囲を見出し、Ｍｓｇ３メッセージを通して範囲に対応する状態値を基地局に送信する。
適用実施形態１１（いくつかの例外に対処する）
【０４２３】
実施形態では、チャネル品質は、ＲＳＲＰである。
【０４２４】
実施形態では、基地局は、ＣＥレベル０およびＣＥレベル１に対応するチャネル品質閾値を増加させる。図３に示されるように、ＣＥレベル０のチャネル品質閾値は、最初に構成されたＣＱ＿ＴＨ＿ＣＥ０からＮｅｗ＿ＣＱ＿ＴＨ＿ＣＥ０まで増加され、ＣＥレベル１のチャネル品質閾値は、最初に構成されたＣＱ＿ＴＨ＿ＣＥ１からＮｅｗ＿ＣＱ＿ＴＨ＿ＣＥ１まで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【０４２５】
ＣＥレベルに対応するチャネル品質閾値が、増加されるため、アップリンクチャネル伝送の成功率は、改良されることができる。しかしながら、いくつかのＵＥによって選択されるＣＥレベルは、ＵＥに対応するダウンリンクチャネルの反復送信回数が多く、リソースの無駄が引き起こされるほど大きい。例えば、チャネル品質閾値が、増加された後、そのチャネル品質が範囲２エリア内にある、ＵＥに対応するＣＥレベルは、基地局が、そのようなＵＥのためにダウンリンクチャネルの反復送信回数を構成するときに、ＣＥレベル１に従って選択を実施するように、ＣＥレベル０からＣＥレベル１まで増加される。したがって、リソースの無駄は、ＵＥに対応するダウンリンクチャネルの多くの反復送信回数に起因して引き起こされる。リソースの無駄のそのような問題はまた、範囲４エリア内のＵＥに関しても存在する。本問題を克服するために、ＵＥは、Ｍｓｇ３メッセージを通してダウンリンクチャネルの調節情報を伝送する。
【０４２６】
実施形態では、ＵＥ１は、ＲＳＲＰ測定および新しい閾値Ｎｅｗ＿ＣＱ＿ＴＨ＿ＣＥ０およびＮｅｗ＿ＣＱ＿ＴＨ＿ＣＥ１との比較を通して、ＵＥ１自体がＣＥレベル０に属することを決定し、ＣＥレベル０に対応するランダムアクセスリソースからランダムアクセスリソースを選択し、ランダムアクセス信号を送信する。
【０４２７】
実施形態では、ＵＥ１が、過剰なアップリンク干渉を受ける、またはＵＥ１によって選択されるランダムアクセスリソースが、他のＵＥのランダムアクセスリソースと衝突するため、または他の理由により、ＣＥレベル０に対応するランダムアクセスリソース上でＵＥ１によって送信されるランダムアクセス信号は、基地局によって正常に受信されることができず、次いで、ＵＥ１は、ＣＥレベル１にジャンプし、ＣＥレベル１に対応するランダムアクセスリソースからランダムアクセスリソースを選択し、ランダムアクセス信号を送信する。しかしながら、ＵＥ１のＲＳＲＰ測定値は、依然として、範囲１内である。
【０４２８】
実施形態では、ＣＥレベル１に対応するランダムアクセスリソースからランダムアクセスリソースを選択し、ランダムアクセス信号を送信した後、ＵＥ１は、基地局によって送信されるＲＡＲメッセージを正常に受信する。本時点で、基地局は、ＵＥのＲＳＲＰ測定値が範囲２エリアおよび範囲３エリア内であることを考慮する。ＵＥ１は、ＲＡＲ内でＵＥ１のために配分されるリソースを通してＭｓｇ３メッセージを送信し、Ｍｓｇ３内でダウンリンクチャネルの調節情報を伝送する。
【０４２９】
ダウンリンクチャネルの調節情報が、ダウンリンクチャネル品質（ＲＳＲＰ）を含むとき、基地局が、ＵＥ１のＲＳＲＰ測定値が範囲２エリアおよび範囲３エリア内である一方で、ＵＥ１のＲＳＲＰ測定値が範囲１エリア内であることを考慮するため、ダウンリンクチャネル品質を送信するための方法は、以下の通りである。
【０４３０】
（１）ダウンリンクチャネル品質は、Ｎビットによって示され、Ｎビットは、２＾Ｎの状態を表し得る。２＾Ｎの状態の中からＮ１の状態が、範囲２エリアおよび範囲３エリアを量子化するために選択される。Ｎ２の状態が、範囲１エリアを量子化するために使用され、２＾Ｎ＝Ｎ１＋Ｎ２である。実施例としてＮ＝４、Ｎ１＝１２、およびＮ２＝４を挙げると、範囲２エリアおよび範囲３エリアは、１２の小さい範囲に一様に分割され、「００００」は、第１の小さい範囲を表す、「０００１」は、第２の小さい範囲を表す等であり、「１０１１」は、第１２の小さい範囲を表す。「１１００」〜「１１１１」の４つの状態は、範囲１エリアを量子化するために使用される。
【０４３１】
（２）ＵＥ１は、測定されたＲＳＲＰ値に従って、「０１１１」〜「１１１１」の６つの状態に対応するＲＳＲＰ範囲から、測定されたＲＳＲＰ値が位置する範囲を見出し、Ｍｓｇ３メッセージを通して範囲に対応する状態値を基地局に送信する。
適用実施形態１２（ランダムアクセス信号を送信するための方法：３つのシンボル群を含む第１の構造）
【０４３２】
端末は、ランダムアクセス信号を基地局に送信する。ランダムアクセス信号は、１つの第１の構造を含み、ランダムアクセス信号の反復送信が、サポートされる。
【０４３３】
第１の構造は、３つのシンボル群を含み、第１のシンボル群によって占有される副搬送波インデックスおよび第２のシンボル群によって占有される副搬送波インデックスは、１つの副搬送波だけ異なり、第２のシンボル群によって占有される副搬送波インデックスおよび第３のシンボル群によって占有される副搬送波インデックスは、６つの副搬送波だけ異なる。
【０４３４】
図７は、同一のリソースインデックスが、同一の第１の構造内の３つのシンボル群によって選択される副搬送波インデックスを表す、周波数ドメインが１２の副搬送波を伴って構成されるときの第１の構造の１２個の構成パターンを図示する。
【０４３５】
実施形態では、第１の構造のシンボル群は、図８に示されるように、サイクリックプレフィックスと、Ｋ（Ｋは、１を上回る）個のシンボルとを含む。
【０４３６】
代替として、第１の構造のシンボル群は、図９に示されるように、サイクリックプレフィックスと、Ｋ（Ｋは、１を上回る）個のシンボルと、ガード時間とを含む。
【０４３７】
第１の構造の同一のシンボル群の中の各シンボルは、周波数ドメイン内の同一の副搬送波を占有する。
【０４３８】
実施形態では、ランダムアクセス信号の反復送信がサポートされる、すなわち、ランダムアクセス信号が、複数の第１の構造を含むとき、第１の構造のうちの第１のもののインデックスは、１として定義され、第１の構造のうちの第２のもののインデックスは、２として定義される等である。
【０４３９】
実施形態では、奇数インデックスを有する第１の構造内の第１のシンボル群によって占有される、副搬送波インデックスは、第１の副搬送波セットからランダムに選択され、偶数インデックスを有する第１の構造内の第１のシンボル群によって占有される、副搬送波インデックスは、第２の副搬送波セットからランダムに選択される。
【０４４０】
第１の副搬送波セットに含まれる副搬送波の数は、１２であり、インデックスは、０〜１１である。
【０４４１】
第２の副搬送波セットは、下記に説明されるルールに従って決定される。
【０４４２】
偶数インデックスを有する第１の構造の前に、奇数インデックスを有する第１の構造内の第１のシンボル群によって占有される、副搬送波インデックスが、第１の副搬送波セットの中のインデックス｛０，２，４｝のうちの１つであるとき、第２の副搬送波セットは、第１の副搬送波セットの中のインデックス｛７，９，１１｝を有する、副搬送波を含む。
【０４４３】
偶数インデックスを有する第１の構造の前に、奇数インデックスを有する第１の構造内の第１のシンボル群によって占有される、副搬送波インデックスが、第１の副搬送波セットの中のインデックス｛６，８，１０｝のうちの１つであるとき、第２の副搬送波セットは、第１の副搬送波セットの中のインデックス｛１，３，５｝を有する、副搬送波を含む。
【０４４４】
偶数インデックスを有する第１の構造の前に、奇数インデックスを有する第１の構造内の第１のシンボル群によって占有される、副搬送波インデックスが、第１の副搬送波セットの中のインデックス｛１，３，５｝のうちの１つであるとき、第２の副搬送波セットは、第１の副搬送波セットの中のインデックス｛６，８，１０｝を有する、副搬送波を含む。
【０４４５】
偶数インデックスを有する第１の構造の前に、奇数インデックスを有する第１の構造内の第１のシンボル群によって占有される、副搬送波インデックスが、第１の副搬送波セットの中のインデックス｛７，９，１１｝のうちの１つであるとき、第２の副搬送波セットは、第１の副搬送波セットの中のインデックス｛０，２，４｝を有する、副搬送波を含む。
適用実施形態１３（ランダムアクセス信号を送信するための方法：４つのシンボルを含む第１の構造）
【０４４６】
端末は、ランダムアクセス信号を基地局に送信する。ランダムアクセス信号は、１つの第１の構造を含み、ランダムアクセス信号の反復送信が、サポートされる。
【０４４７】
第１の構造は、４つのシンボル群を含み、第１のシンボル群によって占有される副搬送波インデックスおよび第２のシンボル群によって占有される副搬送波インデックスは、１つの副搬送波だけ異なり、第３のシンボル群によって占有される副搬送波インデックスおよび第４のシンボル群によって占有される副搬送波インデックスは、６つの副搬送波だけ異なる。第１のシンボル群および第２のシンボル群は、時間ドメイン内で連続的であり、第３のシンボル群および第４のシンボル群は、時間ドメイン内で連続的であり、第２のシンボル群および第３のシンボル群は、時間ドメイン内で離散的である。
【０４４８】
図１０は、１２の副搬送波が周波数ドメイン内で構成されるときの第１の構造の１２個の構成パターンを図示する。シンボル群１およびシンボル群２に関して、同一のインデックスは、同一の第１の構造内の２つのシンボル群によって選択される、副搬送波インデックスを表す。シンボル群３およびシンボル群４に関して、同一のインデックスは、同一の第１の構造内の２つのシンボル群によって選択される、副搬送波インデックスを表す。｛シンボル群１およびシンボル群２｝に対応する副搬送波インデックスおよび｛シンボル群３およびシンボル群４｝に対応する副搬送波インデックスは、独立して選択される。
【０４４９】
実施形態では、第１の構造のシンボル群は、図８に示されるように、サイクリックプレフィックスと、Ｋ（Ｋは、１を上回る）個のシンボルとを含む。
【０４５０】
代替として、第１の構造のシンボル群は、図９に示されるように、サイクリックプレフィックスと、Ｋ（Ｋは、１を上回る）個のシンボルと、ガード時間とを含む。
【０４５１】
第１の構造の同一のシンボル群の中の各シンボルは、周波数ドメイン内の同一の副搬送波を占有する。
【０４５２】
実施形態では、ランダムアクセス信号の反復送信がサポートされ、すなわち、ランダムアクセス信号が、複数の第１の構造を含むとき、第１の構造のうちの第１のもののインデックスは、１として定義され、第１の構造のうちの第２のもののインデックスは、２として定義される等である。
【０４５３】
実施形態では、奇数インデックスを有する第１の構造内の第１のシンボル群によって占有される、副搬送波インデックスは、第３の副搬送波セットからランダムに選択され、奇数インデックスを有する第１の構造内の第３のシンボル群によって占有される、副搬送波インデックスは、第４の副搬送波セットからランダムに選択され、偶数インデックスを有する第１の構造内の第１のシンボル群によって占有される、副搬送波インデックスは、第５の副搬送波セットから選択され、偶数インデックスを有する第１の構造内の第３のシンボル群によって占有される、副搬送波インデックスは、第６の副搬送波セットから選択される。
【０４５４】
第３の副搬送波セットに含まれる副搬送波の数は、１２であり、インデックスは、０〜１１である。
【０４５５】
第４の副搬送波セットに含まれる副搬送波の数は、１２であり、インデックスは、０〜１１である。
【０４５６】
第５の副搬送波セットは、下記に説明されるルールのうちの１つに従って決定される。
【０４５７】
偶数インデックスを有する第１の構造の前に、奇数インデックスを有する第１の構造内の第１のシンボル群によって占有される、副搬送波インデックスが、第３の副搬送波セットの中の偶数インデックスを有する、副搬送波であるとき、第５の副搬送波セットは、第３の副搬送波セットの中の奇数インデックスを有する、副搬送波を含む。
【０４５８】
偶数インデックスを有する第１の構造の前に、奇数インデックスを有する第１の構造内の第１のシンボル群によって占有される、副搬送波インデックスが、第３の副搬送波セットの中の奇数インデックスを有する、副搬送波であるとき、第５の副搬送波セットは、第３の副搬送波セットの中の偶数インデックスを有する、副搬送波を含む。
【０４５９】
第６の副搬送波セットは、下記に説明されるルールに従って決定される。
【０４６０】
偶数インデックスを有する第１の構造の前に、奇数インデックスを有する第１の構造内の第３のシンボル群によって占有される、副搬送波インデックスが、第４の副搬送波セットの中の｛０，１，２，３，４，５｝のインデックスを有する、副搬送波であるとき、第６の副搬送波セットは、第４の副搬送波セットの中のインデックス｛６，７，８，９，１０，１１｝を有する、副搬送波を含む。
適用実施形態１４（ランダムアクセス信号を送信するための方法：Ｍｓｇ２メッセージ）
【０４６１】
３つのＣＥレベルが、無線通信システム内でサポートされ、各カバレッジ拡張レベルは、ＲＳＲＰの値範囲に対応し、各カバレッジ拡張レベルに対応するチャネルは、反復送信回数を伴って構成される。
【０４６２】
無線通信システムでは、ＵＥは、ランダムアクセスチャネルを通してランダムアクセス信号（Ｍｓｇ１とも称される）を基地局に送信し、基地局が、Ｍｓｇ１を受信した後、基地局は、ダウンリンクチャネルを通してＲＡＲメッセージ（Ｍｓｇ２とも称される）を送信する。ＲＡＲは、少なくともＭＡＣヘッダおよびＭＡＣペイロードによって形成される。ＭＡＣヘッダは、ＭＡＣ層のヘッダであり、ＭＡＣペイロードは、ＭＡＣ層の負荷である。
【０４６３】
ＭＡＣサブヘッダが、ＢＩ情報を含むとき、Ｍｓｇ１の調節情報は、ＭＡＣペイロード内で送信される。図１１に示されるように、図１１で「調節情報」とマークされたリソースは、Ｍｓｇ１の調節情報によって占有されるリソース位置である。
【０４６４】
２つのＭＡＣサブヘッダ（ＭＡＣ層のサブヘッダ）構造が、図１１に含まれ、２つのＭＡＣサブヘッダ構造は、それぞれ、図１２に示されるような、かつ８ビットの長さを有する、「Ｅ／Ｔ／ＲＡＰＩＤ  ＭＡＣサブヘッダ」、および図１３に示されるような、かつ８ビットの長さを有する、「Ｅ／Ｔ／Ｒ／Ｒ／ＢＩ  ＭＡＣサブヘッダ」である。
【０４６５】
複数の変数の意味は、以下の通りである。
【０４６６】
「Ｅ」は、ＭＡＣヘッダの後に他のサブヘッダが続くかどうかを示すために使用される。その「Ｅ」は、ＭＡＣヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【０４６７】
「Ｔ」は、サブヘッダがＲＡＰＩＤまたはＢＩを含むかどうかを示すために使用される。その「Ｔ」は、サブヘッダがＲＡＰＩＤを含むことを示す、「１」として構成される。その「Ｔ」は、サブヘッダがＢＩを含むことを示す、「０」として構成される。
【０４６８】
「Ｒ」は、予備ビットであり、「０」として構成される。
【０４６９】
ＢＩは、４ビットを占有し、ＲＡＰＩＤは、６ビットを占有する。
【０４７０】
実施形態では、ｎ（ｎは、０を上回る）個のＭＡＣ  ＲＡＲが、ＭＡＣペイロードに存在する場合、Ｍｓｇ１の調節情報は、図１に示されるように、インデックスｎを有するＭＡＣ  ＲＡＲの後に送信される。
実施形態では、Ｍｓｇ１の調節情報は、以下のうちの少なくとも１つを含む。
【０４７１】
調節されたカバレッジ拡張レベル、
【０４７２】
Ｍｓｇ１の調節された反復送信情報であって、反復送信レベルまたは反復送信回数を含む、反復送信情報、
【０４７３】
Ｍｓｇ１の調節された初期標的受信電力値、
【０４７４】
Ｍｓｇ１を送信するために選択される、調節された伝送ビーム情報であって、伝送ビーム方向または伝送ビームインデックスを含む、伝送ビーム情報、
【０４７５】
Ｍｓｇ１のリソース構成情報のＳＳ／ＰＢＣＨブロックの調節されたインデックス情報、
【０４７６】
カバレッジ拡張レベルの調節量、
【０４７７】
Ｍｓｇ１の反復送信情報の調節量、
【０４７８】
Ｍｓｇ１の初期標的受信電力値の調節量、
Ｍｓｇ１を送信するために選択される、伝送ビーム情報の調節量、または
【０４７９】
Ｍｓｇ１のリソース構成情報のＳＳ／ＰＢＣＨブロックのインデックス情報の調節量。
【０４８０】
実施形態では、Ｍｓｇ１の調節情報は、同一のカバレッジ拡張レベルに関するものである。
適用実施形態１５（ランダムアクセス信号を送信するための方法：ＭＡＣ  ＲＡＲを含むＭｓｇ２メッセージ）
【０４８１】
３つのＣＥレベルが、無線通信システム内でサポートされ、各カバレッジ拡張レベルは、ＲＳＲＰの値範囲に対応し、各カバレッジ拡張レベルに対応するチャネルは、反復送信回数を伴って構成される。
【０４８２】
無線通信システムでは、ＵＥは、ランダムアクセスチャネルを通してランダムアクセス信号（Ｍｓｇ１とも称される）を基地局に送信し、基地局が、Ｍｓｇ１を受信した後、基地局は、ダウンリンクチャネルを通してＲＡＲメッセージ（Ｍｓｇ２とも称される）を送信する。ＲＡＲは、少なくともＭＡＣヘッダおよびＭＡＣペイロードによって形成される。ＭＡＣヘッダは、ＭＡＣ層のヘッダであり、ＭＡＣペイロードは、ＭＡＣ層の負荷である。
【０４８３】
ＭＡＣサブヘッダが、ＢＩ情報を含むとき、Ｍｓｇ１の調節情報は、ＭＡＣペイロード内で送信される。図１１に示されるように、図１１で「調節情報」とマークされたリソースは、Ｍｓｇ１の調節情報によって占有されるリソース位置である。
【０４８４】
２つのＭＡＣサブヘッダ（ＭＡＣ層のサブヘッダ）構造が、図１１に含まれ、２つのＭＡＣサブヘッダ構造は、それぞれ、図１２に示されるような、かつ８ビットの長さを有する、「Ｅ／Ｔ／ＲＡＰＩＤ  ＭＡＣサブヘッダ」、および図１３に示されるような、かつ８ビットの長さを有する、「Ｅ／Ｔ／Ｒ／Ｒ／ＢＩ  ＭＡＣサブヘッダ」である。
【０４８５】
実施形態では、ｎ（ｎは、０を上回る）個のＭＡＣ  ＲＡＲが、ＭＡＣペイロードに存在する場合、Ｍｓｇ１の調節情報は、図１１に示されるように、インデックスｎを有するＭＡＣ  ＲＡＲの後に送信される。
【０４８６】
実施形態では、Ｍｓｇ１の調節情報は、Ｍｓｇ１のリソース構成情報のＳＳ／ＰＢＣＨブロックの調節されたインデックス情報、またはＭｓｇ１のリソース構成情報のＳＳ／ＰＢＣＨブロックのインデックス情報の調節量のうちの少なくとも１つを含む。
【０４８７】
実施形態では、ＳＳ／ＰＢＣＨブロックは、少なくとも、ＳＳと、ＰＢＣＨとを含む、時間ドメイン・周波数ドメインリソースブロックである。ＳＩＢは、物理ブロードキャストチャネル内で送信される。Ｋ（Ｋは、１以上である）個のＳＳ／ＰＢＣＨブロックが、システム内で構成されてもよい。
【０４８８】
実施形態では、Ｋ個のＳＳ／ＰＢＣＨブロックの中で、Ｍｓｇ１リソース構成情報は、各ＳＳ／ＰＢＣＨブロックに存在する、またはＭｓｇ１リソース構成情報は、Ｋ個のＳＳ／ＰＢＣＨブロックの中のＳＳ／ＰＢＣＨブロックの一部に存在する。Ｍｓｇ１リソース構成情報を含むＳＳ／ＰＢＣＨブロック内のＭｓｇ１リソース構成情報は、独立して構成されてもよい。
【０４８９】
実施形態では、Ｍｓｇ１リソース構成情報は、以下、すなわち、Ｍｓｇ１によって占有される時間周波数リソース、Ｍｓｇ１によって占有されるプリアンブルシーケンス、またはＭｓｇ１を送信するために使用される伝送ビームのうちの少なくとも１つを含む。
【０４９０】
実施形態では、Ｍｓｇ１の調節情報は、同一のカバレッジ拡張レベルに関するものである。
適用実施形態１６（ランダムアクセス信号を送信するための方法：ＭＡＣ  ＲＡＲを含まないＭｓｇ２メッセージ）
【０４９１】
３つのＣＥレベルが、無線通信システム内でサポートされ、各カバレッジ拡張レベルは、ＲＳＲＰの値範囲に対応し、各カバレッジ拡張レベルに対応するチャネルは、反復送信回数を伴って構成される。
【０４９２】
無線通信システムでは、ＵＥは、ランダムアクセスチャネルを通してランダムアクセス信号（Ｍｓｇ１とも称される）を基地局に送信し、基地局が、Ｍｓｇ１を受信した後、基地局は、ダウンリンクチャネルを通してＲＡＲメッセージ（Ｍｓｇ２とも称される）を送信する。ＲＡＲは、少なくともＭＡＣヘッダおよびＭＡＣペイロードによって形成される。ＭＡＣヘッダは、ＭＡＣ層のヘッダであり、ＭＡＣペイロードは、ＭＡＣ層の負荷である。
【０４９３】
ＭＡＣサブヘッダが、ＢＩ情報を含むとき、Ｍｓｇ１の調節情報は、ＭＡＣペイロード内で送信される。図１１に示されるように、図１１で「調節情報」とマークされたリソースは、Ｍｓｇ１の調節情報によって占有されるリソース位置である。
【０４９４】
図１４に含まれる１つのＭＡＣサブヘッダ（ＭＡＣ層のサブヘッダ）構造は、図１３に示されるような、かつ８ビットの長さを有する、「Ｅ／Ｔ／Ｒ／Ｒ／ＢＩ  ＭＡＣサブヘッダ」である。
【０４９５】
複数の変数の意味は、以下の通りである。
【０４９６】
「Ｅ」は、ＭＡＣヘッダの後に他のサブヘッダが続くかどうかを示すために使用される。その「Ｅ」は、ＭＡＣヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【０４９７】
「Ｔ」は、サブヘッダがＲＡＰＩＤまたはＢＩを含むかどうかを示すために使用される。その「Ｔ」は、サブヘッダがＲＡＰＩＤを含むことを示す、「１」として構成される。その「Ｔ」は、サブヘッダがＢＩを含むことを示す、「０」として構成される。
【０４９８】
「Ｒ」は、予備ビットであり、「０」として構成される。
【０４９９】
ＢＩは、４ビットを占有し、ＲＡＰＩＤは、６ビットを占有する。
【０５００】
実施形態では、ＭＡＣ  ＲＡＲが、ＭＡＣペイロードに存在しない場合、Ｍｓｇ１の調節情報は、図１４に示されるように、ＭＡＣヘッダの後に送信される。
実施形態では、Ｍｓｇ１の調節情報は、以下のうちの少なくとも１つを含む。
【０５０１】
調節されたカバレッジ拡張レベル、
【０５０２】
Ｍｓｇ１の調節された反復送信情報、
【０５０３】
Ｍｓｇ１の調節された初期標的受信電力値、
【０５０４】
Ｍｓｇ１を送信するために選択される、調節された伝送ビーム情報であって、伝送ビーム方向または伝送ビームインデックスを含む、伝送ビーム情報、
【０５０５】
Ｍｓｇ１のリソース構成情報のＳＳ／ＰＢＣＨブロックの調節されたインデックス情報、
【０５０６】
カバレッジ拡張レベルの調節量、
【０５０７】
Ｍｓｇ１の反復送信情報の調節量、
【０５０８】
Ｍｓｇ１の初期標的受信電力値の調節量、
Ｍｓｇ１を送信するために選択される、伝送ビーム情報の調節量、または
【０５０９】
Ｍｓｇ１のリソース構成情報のＳＳ／ＰＢＣＨブロックのインデックス情報の調節量。
【０５１０】
実施形態では、Ｍｓｇ１の調節情報は、同一のカバレッジ拡張レベルに関するものである。
適用実施形態１７（ランダムアクセス信号を送信するための方法：Ｍｓｇ２メッセージのサブヘッダを通してＭｓｇ１の調節情報を送信する）
【０５１１】
３つのＣＥレベルが、無線通信システム内でサポートされ、各カバレッジ拡張レベルは、ＲＳＲＰの値範囲に対応し、各カバレッジ拡張レベルに対応するチャネルは、反復送信回数を伴って構成される。
【０５１２】
無線通信システムでは、ＵＥは、ランダムアクセスチャネルを通してランダムアクセス信号（Ｍｓｇ１とも称される）を基地局に送信し、基地局が、Ｍｓｇ１を受信した後、基地局は、ダウンリンクチャネルを通してＲＡＲメッセージ（Ｍｓｇ２とも称される）を送信する。ＲＡＲは、少なくともＭＡＣヘッダおよびＭＡＣペイロードによって形成される。ＭＡＣヘッダは、ＭＡＣ層のヘッダであり、ＭＡＣペイロードは、ＭＡＣ層の負荷である。
【０５１３】
Ｍｓｇ１の調節情報は、図１５に示されるように、ＭＡＣヘッダ内のＭＡＣサブヘッダを通して送信され、図１５で「調節情報」とマークされたリソースは、Ｍｓｇ１の調節情報によって占有されるＭＡＣサブヘッダ位置である。
【０５１４】
２つのＭＡＣサブヘッダ（ＭＡＣ層のサブヘッダ）構造が、図１５に含まれ、２つのＭＡＣサブヘッダ構造は、図１２に示されるような、かつ８ビットの長さを有する、「Ｅ／Ｔ／ＲＡＰＩＤ  ＭＡＣサブヘッダ」、および図１３に示されるような、かつ８ビットの長さを有する、「Ｅ／Ｔ／Ｒ／Ｒ／ＢＩ  ＭＡＣサブヘッダ」である。
【０５１５】
実施形態では、Ｍｓｇ１の調節情報によって占有されるＭＡＣサブヘッダは、図１２に示されるような「Ｅ／Ｔ／ＲＡＰＩＤ  ＭＡＣサブヘッダ」と同一の構造を有し、８ビットの長さを有する。
【０５１６】
ＲＡＰＩＤが、６ビットを占有するため、最大で２＾６＝６４の状態が、説明され得、インデックスは、０〜６３であり、各状態は、状態ビットと称される。ＰＲＡＣＨ副搬送波インデックスは、本実施例では０〜４７によって示され、次いで、合計１６の状態ビット４８〜６３は、アイドルである。
【０５１７】
「Ｍｓｇ１の調節情報」は、１６のＲＡＰＩＤアイドル状態ビットによって示される。例えば、各アイドル状態ビットは、Ｍｓｇ１の調節情報のタイプに対応し、ＵＥは、上記の状態ビットを正常に受信した後にＭｓｇ１の調節情報を学習する。
【０５１８】
Ｍｓｇ１の調節情報を示すＭＡＣサブヘッダは、ＢＩ情報を含むＭＡＣサブヘッダの後に送信される。
【０５１９】
実施形態では、Ｍｓｇ１の調節情報を示すＭＡＣサブヘッダは、図１５に示されるように、ＢＩ情報を含むＭＡＣサブヘッダの後に送信される。
実施形態では、Ｍｓｇ１の調節情報は、以下のうちの少なくとも１つを含む。
【０５２０】
調節されたカバレッジ拡張レベル、
【０５２１】
Ｍｓｇ１の調節された反復送信情報、
【０５２２】
Ｍｓｇ１の調節された初期標的受信電力値、
【０５２３】
Ｍｓｇ１を送信するために選択される、調節された伝送ビーム情報であって、伝送ビーム方向または伝送ビームインデックスを含む、伝送ビーム情報、
【０５２４】
Ｍｓｇ１のリソース構成情報のＳＳ／ＰＢＣＨブロックの調節されたインデックス情報、
【０５２５】
カバレッジ拡張レベルの調節量、
【０５２６】
Ｍｓｇ１の反復送信情報の調節量、
【０５２７】
Ｍｓｇ１の初期標的受信電力値の調節量、
Ｍｓｇ１を送信するために選択される、伝送ビーム情報の調節量、または
【０５２８】
Ｍｓｇ１のリソース構成情報のＳＳ／ＰＢＣＨブロックのインデックス情報の調節量。
【０５２９】
実施形態では、Ｍｓｇ１の調節情報は、同一のカバレッジ拡張レベルに関するものである。
適用実施形態１８（ランダムアクセス信号を送信するための方法：Ｍｓｇ２メッセージのサブヘッダを通して、Ｍｓｇ１の調節情報が含まれるかどうかを示す識別を送信する）
【０５３０】
３つのＣＥレベルが、無線通信システム内でサポートされ、各カバレッジ拡張レベルは、ＲＳＲＰの値範囲に対応し、各カバレッジ拡張レベルに対応するチャネルは、反復送信回数を伴って構成される。
【０５３１】
無線通信システムでは、ＵＥは、ランダムアクセスチャネルを通してランダムアクセス信号（Ｍｓｇ１とも称される）を基地局に送信し、基地局が、Ｍｓｇ１を受信した後、基地局は、ダウンリンクチャネルを通してＲＡＲメッセージ（Ｍｓｇ２とも称される）を送信する。ＲＡＲは、少なくともＭＡＣヘッダおよびＭＡＣペイロードによって形成される。ＭＡＣヘッダは、ＭＡＣ層のヘッダであり、ＭＡＣペイロードは、ＭＡＣ層の負荷である。
【０５３２】
Ｍｓｇ１の調節情報は、ＲＡＲ内で送信され、ＲＡＲの構造は、図１６に示される通りである。２つのＭＡＣサブヘッダ（ＭＡＣ層のサブヘッダ）構造が、図１６に含まれ、２つのＭＡＣサブヘッダ構造は、それぞれ、図１２に示されるような、かつ８ビットの長さを有する、「Ｅ／Ｔ／ＲＡＰＩＤ  ＭＡＣサブヘッダ」、および図１３に示されるような、かつ８ビットの長さを有する、「Ｅ／Ｔ／Ｒ／Ｒ／ＢＩ  ＭＡＣサブヘッダ」である。
【０５３３】
実施形態では、Ｍｓｇ１の調節情報は、ＭＡＣペイロード内で送信され、図１６に示される通りであり、図１６で「調節情報」とマークされたリソースは、Ｍｓｇ１の調節情報によって占有されるリソース位置である。
【０５３４】
実施形態では、ｎ（ｎは、０を上回る）個のＭＡＣ  ＲＡＲが、ＭＡＣペイロードに存在する場合、Ｍｓｇ１の調節情報は、図１６に示されるように、インデックスｎを有するＭＡＣ  ＲＡＲの後に送信される。
【０５３５】
実施形態では、Ｍｓｇ１の調節情報が、ＭＡＣペイロードに含まれるかどうかが、ＭＡＣサブヘッダを通して示され、ＭＡＣサブヘッダは、図１２に示されるような「Ｅ／Ｔ／ＲＡＰＩＤ  ＭＡＣサブヘッダ」と同一の構造を有し、８ビットの長さを有し、ＢＩ情報を含むＭＡＣサブヘッダの後に送信される。Ｍｓｇ１の調節情報が、ＭＡＣペイロードに含まれるかどうかを示すための具体的方法は、下記に説明されるステップを含む。
【０５３６】
初めに、Ｍｓｇ１の調節情報がＭＡＣペイロードに含まれるかどうかが、ＭＡＣサブヘッダ内のＲＡＰＩＤの状態ビットを通して示される。
【０５３７】
次いで、ＲＡＰＩＤの状態ビットが、Ｍｓｇ１の調節情報がＭＡＣペイロードに含まれることを示し、ｎ（ｎは、０を上回る）個のＭＡＣ  ＲＡＲが、ＭＡＣペイロードに存在するとき、Ｍｓｇ１の調節情報は、ＭＡＣペイロード内の最後のＭＡＣ  ＲＡＲの後に送信される。ＲＡＰＩＤの状態ビットが、Ｍｓｇ１の調節情報がＭＡＣペイロードに含まれることを示し、ＭＡＣ  ＲＡＲが、ＭＡＣペイロードに存在しないとき、Ｍｓｇ１の調節情報は、ＭＡＣヘッダの後に送信される。
実施形態では、Ｍｓｇ１の調節情報は、以下のうちの少なくとも１つを含む。
【０５３８】
調節されたカバレッジ拡張レベル、
【０５３９】
Ｍｓｇ１の調節された反復送信情報、
【０５４０】
Ｍｓｇ１の調節された初期標的受信電力値、
【０５４１】
Ｍｓｇ１を送信するために選択される、調節された伝送ビーム情報であって、伝送ビーム方向または伝送ビームインデックスを含む、伝送ビーム情報、
【０５４２】
Ｍｓｇ１のリソース構成情報のＳＳ／ＰＢＣＨブロックの調節されたインデックス情報、
【０５４３】
カバレッジ拡張レベルの調節量、
【０５４４】
Ｍｓｇ１の反復送信情報の調節量、
【０５４５】
Ｍｓｇ１の初期標的受信電力値の調節量、
Ｍｓｇ１を送信するために選択される、伝送ビーム情報の調節量、または
【０５４６】
Ｍｓｇ１のリソース構成情報のＳＳ／ＰＢＣＨブロックのインデックス情報の調節量。
【０５４７】
実施形態では、Ｍｓｇ１の調節情報は、同一のカバレッジ拡張レベルに関するものである。
【０５４８】
上記に説明される複数の適用実施形態におけるＵＥは、端末として理解され得ることに留意されたい。
【０５４９】
本願では、複数の実施形態の特徴は、不一致が生じていない場合、使用のために相互と一実施形態に組み込まれ得る。各実施形態は、本願の最適な実装モードにすぎず、本願の範囲を限定することを意図していない。
【０５５０】
上記に説明される方法におけるステップの全てまたは一部は、プログラムによって命令される関連ハードウェアによって遂行され得、これらのプログラムは、読取専用メモリ、磁気ディスク、または光ディスク等のコンピュータ可読記憶媒体内に記憶され得ることが、当業者によって理解されるであろう。実施形態では、上記に説明される実施形態におけるステップの全てまたは一部はまた、１つ以上の集積回路を使用することによって遂行され得る。故に、上記に説明される実施形態におけるモジュール／ユニットは、ハードウェアまたはソフトウェア機能モジュールによって実装され得る。本願は、ハードウェアおよびソフトウェアのいかなる具体的組み合わせにも限定されない。
【図１】
2021512551.tif 000017
【図２】
2021512551.tif 000018
【図３】
2021512551.tif 000019
【図４】
2021512551.tif 000020
【図５】
2021512551.tif 000021
【図６】
2021512551.tif 000022
【図７】
2021512551.tif 000023
【図８】
2021512551.tif 000024
【図９】
2021512551.tif 000025
【図１０】
2021512551.tif 000026
【図１１】
2021512551.tif 000027
【図１２】
2021512551.tif 000028
【図１３】
2021512551.tif 000029
【図１４】
2021512551.tif 000030
【図１５】
2021512551.tif 000031
【図１６】
2021512551.tif 000032
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
方法であって、
端末によって、第１のメッセージを受信することであって、前記第１のメッセージは、チャネル品質閾値のセットを備え、前記チャネル品質閾値のセットは、少なくとも１つのチャネル品質閾値を備える、ことと、
前記端末によって、ランダムアクセスプリアンブル（Ｍｓｇ１）メッセージを送信することであって、前記Ｍｓｇ１メッセージは、複数の第１の構造を備え、前記複数の第１の構造の各々は、４つのシンボル群を備える、ことと
を含み、
奇数インデックスを有する前記複数の第１の構造のうちの第１の構造内の前記４つのシンボル群のうちの第１のシンボル群によって占有される副搬送波インデックスは、第３の副搬送波セットから選択され、前記第３の副搬送波セットに含まれる副搬送波の数は、１２であり、
偶数インデックスを有する前記複数の第１の構造のうちの第１の構造内の前記４つのシンボル群のうちの前記第１のシンボル群によって占有される副搬送波インデックスは、第５の副搬送波セットから選択され、前記第５の副搬送波セットは、以下のルール、すなわち、
前記偶数インデックスを有する前記第１の構造の前に、奇数インデックスを有する前記第１の構造内の前記第１のシンボル群によって占有される副搬送波インデックスが、前記第３の副搬送波セットの中の偶数インデックスを有する副搬送波に対応する条件では、前記第５の副搬送波セットは、前記第３の副搬送波セットの中の奇数インデックスを有する副搬送波を備えること、または
前記偶数インデックスを有する前記第１の構造の前に、奇数インデックスを有する前記第１の構造内の前記第１のシンボル群によって占有される副搬送波インデックスが、前記第３の副搬送波セットの中の奇数インデックスを有する副搬送波に対応する条件では、前記第５の副搬送波セットは、前記第３の副搬送波セットの中の偶数インデックスを有する副搬送波を備えること
のうちの１つに従って決定される、方法。
【請求項２】
前記４つのシンボル群は、
前記第１のシンボル群、第２のシンボル群、第３のシンボル群、および第４のシンボル群
を備え、
前記第１のシンボル群によって占有される副搬送波インデックスおよび前記第２のシンボル群によって占有される副搬送波インデックスは、１つの副搬送波だけ異なり、前記第３のシンボル群によって占有される副搬送波インデックスおよび前記第４のシンボル群によって占有される副搬送波インデックスは、６つの副搬送波だけ異なる、請求項１に記載の方法。
【請求項３】
前記４つのシンボル群の各々は、サイクリックプレフィックスと、少なくとも１つのシンボルとを備える、請求項１に記載の方法。
【請求項４】
前記奇数インデックスを有する前記複数の第１の構造のうちの前記第１の構造内の前記４つのシンボル群のうちの第３のシンボル群によって占有される副搬送波インデックスは、第４の副搬送波セットから選択され、
前記偶数インデックスを有する前記複数の第１の構造のうちの前記第１の構造内の前記４つのシンボル群のうちの第３のシンボル群によって占有される副搬送波インデックスは、第６の副搬送波セットから選択され、
前記第４の副搬送波セットに含まれる副搬送波の数は、１２であり、
前記第６の副搬送波セットは、以下のルール、すなわち、
前記偶数インデックスを有する前記第１の構造の前に、奇数インデックスを有する前記第１の構造内の前記第３のシンボル群によって占有される副搬送波インデックスが、前記第４の副搬送波セットの中の｛０，１，２，３，４，５｝のインデックスを有する副搬送波に対応する条件では、前記第６の副搬送波セットは、前記第４の副搬送波セットの中のインデックス｛６，７，８，９，１０，１１｝を有する副搬送波を備えること、または
前記偶数インデックスを有する前記第１の構造の前に、奇数インデックスを有する前記第１の構造内の前記第３のシンボル群によって占有される副搬送波インデックスが、前記第４の副搬送波セットの中の｛６，７，８，９，１０，１１｝のインデックスを有する副搬送波に対応する条件では、前記第６の副搬送波セットは、前記第４の副搬送波セットの中のインデックス｛０，１，２，３，４，５｝を有する副搬送波を備えること
のうちの１つに従って決定される、請求項１に記載の方法。
【請求項５】
端末であって、前記端末は、プロセッサと、メモリとを備え、
前記プロセッサは、前記メモリ内に記憶されたプログラムを実行し、
チャネル品質閾値のセットを含む第１のメッセージを受信することであって、前記チャネル品質閾値のセットは、少なくとも１つのチャネル品質閾値を備える、ことと、
ランダムアクセスプリアンブル（Ｍｓｇ１）メッセージを送信することであって、前記Ｍｓｇ１メッセージは、複数の第１の構造を備え、前記複数の第１の構造の各々は、４つのシンボル群を備える、ことと
を行うように構成されており、
奇数インデックスを有する前記複数の第１の構造のうちの第１の構造内の前記４つのシンボル群のうちの第１のシンボル群によって占有される副搬送波インデックスは、第３の副搬送波セットから選択され、前記第３の副搬送波セットに含まれる副搬送波の数は、１２であり、
偶数インデックスを有する前記複数の第１の構造のうちの第１の構造内の前記４つのシンボル群のうちの前記第１のシンボル群によって占有される副搬送波インデックスは、第５の副搬送波セットから選択され、前記第５の副搬送波セットは、以下のルール、すなわち、
前記偶数インデックスを有する前記第１の構造の前に、奇数インデックスを有する前記第１の構造内の前記第１のシンボル群によって占有される副搬送波インデックスが、前記第３の副搬送波セットの中の偶数インデックスを有する副搬送波に対応する条件では、前記第５の副搬送波セットは、前記第３の副搬送波セットの中の奇数インデックスを有する副搬送波を備えること、または
前記偶数インデックスを有する前記第１の構造の前に、奇数インデックスを有する前記第１の構造内の前記第１のシンボル群によって占有される副搬送波インデックスが、前記第３の副搬送波セットの中の奇数インデックスを有する副搬送波に対応する条件では、前記第５の副搬送波セットは、前記第３の副搬送波セットの中の偶数インデックスを有する副搬送波を備えること
のうちの１つに従って決定される、端末。
【請求項６】
前記４つのシンボル群は、
前記第１のシンボル群、第２のシンボル群、第３のシンボル群、および第４のシンボル群
を備え、
前記第１のシンボル群によって占有される副搬送波インデックスおよび前記第２のシンボル群によって占有される副搬送波インデックスは、１つの副搬送波だけ異なり、前記第３のシンボル群によって占有される副搬送波インデックスおよび前記第４のシンボル群によって占有される副搬送波インデックスは、６つの副搬送波だけ異なる、請求項５に記載の端末。
【請求項７】
前記４つのシンボル群の各々は、サイクリックプレフィックスと、少なくとも１つのシンボルとを備える、請求項５に記載の端末。
【請求項８】
前記奇数インデックスを有する前記複数の第１の構造のうちの前記第１の構造内の前記４つのシンボル群のうちの第３のシンボル群によって占有される副搬送波インデックスは、第４の副搬送波セットから選択され、
前記偶数インデックスを有する前記複数の第１の構造のうちの前記第１の構造内の前記４つのシンボル群のうちの第３のシンボル群によって占有される副搬送波インデックスは、第６の副搬送波セットから選択され、
前記第４の副搬送波セットに含まれる副搬送波の数は、１２であり、
前記第６の副搬送波セットは、以下のルール、すなわち、
前記偶数インデックスを有する前記第１の構造の前に、奇数インデックスを有する前記第１の構造内の前記第３のシンボル群によって占有される副搬送波インデックスが、前記第４の副搬送波セットの中の｛０，１，２，３，４，５｝のインデックスを有する副搬送波に対応する条件では、前記第６の副搬送波セットは、前記第４の副搬送波セットの中のインデックス｛６，７，８，９，１０，１１｝を有する副搬送波を備えること、または
前記偶数インデックスを有する前記第１の構造の前に、奇数インデックスを有する前記第１の構造内の前記第３のシンボル群によって占有される副搬送波インデックスが、前記第４の副搬送波セットの中の｛６，７，８，９，１０，１１｝のインデックスを有する副搬送波に対応する条件では、前記第６の副搬送波セットは、前記第４の副搬送波セットの中のインデックス｛０，１，２，３，４，５｝を有する副搬送波を備えること
のうちの１つに従って決定される、請求項５に記載の端末。
【請求項９】
方法であって、
基地局によって、端末に第１のメッセージを送信することであって、前記第１のメッセージは、チャネル品質閾値のセットを備え、前記チャネル品質閾値のセットは、少なくとも１つのチャネル品質閾値を備える、ことと、
前記基地局によって、前記端末からランダムアクセスプリアンブル（Ｍｓｇ１）メッセージを受信することであって、前記Ｍｓｇ１メッセージは、複数の第１の構造を備え、前記複数の第１の構造の各々は、４つのシンボル群を備える、ことと
を含み、
奇数インデックスを有する前記複数の第１の構造のうちの第１の構造内の前記４つのシンボル群のうちの第１のシンボル群によって占有される副搬送波インデックスは、第３の副搬送波セットから選択され、前記第３の副搬送波セットに含まれる副搬送波の数は、１２であり、
偶数インデックスを有する前記複数の第１の構造のうちの第１の構造内の前記４つのシンボル群のうちの前記第１のシンボル群によって占有される副搬送波インデックスは、第５の副搬送波セットから選択され、前記第５の副搬送波セットは、以下のルール、すなわち、
前記偶数インデックスを有する前記第１の構造の前に、奇数インデックスを有する前記第１の構造内の前記第１のシンボル群によって占有される副搬送波インデックスが、前記第３の副搬送波セットの中の偶数インデックスを有する副搬送波に対応する条件では、前記第５の副搬送波セットは、前記第３の副搬送波セットの中の奇数インデックスを有する副搬送波を備えること、または
前記偶数インデックスを有する前記第１の構造の前に、奇数インデックスを有する前記第１の構造内の前記第１のシンボル群によって占有される副搬送波インデックスが、前記第３の副搬送波セットの中の奇数インデックスを有する副搬送波に対応する条件では、前記第５の副搬送波セットは、前記第３の副搬送波セットの中の偶数インデックスを有する副搬送波を備えること
のうちの１つに従って決定される、方法。
【請求項１０】
前記４つのシンボル群は、
前記第１のシンボル群、第２のシンボル群、第３のシンボル群、および第４のシンボル群
を備え、
前記第１のシンボル群によって占有される副搬送波インデックスおよび前記第２のシンボル群によって占有される副搬送波インデックスは、１つの副搬送波だけ異なり、前記第３のシンボル群によって占有される副搬送波インデックスおよび前記第４のシンボル群によって占有される副搬送波インデックスは、６つの副搬送波だけ異なる、請求項９に記載の方法。
【請求項１１】
前記４つのシンボル群の各々は、サイクリックプレフィックスと、少なくとも１つのシンボルとを備える、請求項９に記載の方法。
【請求項１２】
前記奇数インデックスを有する前記複数の第１の構造のうちの前記第１の構造内の前記４つのシンボル群のうちの第３のシンボル群によって占有される副搬送波インデックスは、第４の副搬送波セットから選択され、
前記偶数インデックスを有する前記複数の第１の構造のうちの前記第１の構造内の前記４つのシンボル群のうちの第３のシンボル群によって占有される副搬送波インデックスは、第６の副搬送波セットから選択され、
前記第４の副搬送波セットに含まれる副搬送波の数は、１２であり、
前記第６の副搬送波セットは、以下のルール、すなわち、
前記偶数インデックスを有する前記第１の構造の前に、奇数インデックスを有する前記第１の構造内の前記第３のシンボル群によって占有される副搬送波インデックスが、前記第４の副搬送波セットの中の｛０，１，２，３，４，５｝のインデックスを有する副搬送波に対応する条件では、前記第６の副搬送波セットは、前記第４の副搬送波セットの中のインデックス｛６，７，８，９，１０，１１｝を有する副搬送波を備えること、または
前記偶数インデックスを有する前記第１の構造の前に、奇数インデックスを有する前記第１の構造内の前記第３のシンボル群によって占有される副搬送波インデックスが、前記第４の副搬送波セットの中の｛６，７，８，９，１０，１１｝のインデックスを有する副搬送波に対応する条件では、前記第６の副搬送波セットは、前記第４の副搬送波セットの中のインデックス｛０，１，２，３，４，５｝を有する副搬送波を備えること
のうちの１つに従って決定される、請求項９に記載の方法。
【請求項１３】
基地局であって、前記基地局は、プロセッサと、メモリとを備え、
前記プロセッサは、前記メモリ内に記憶されたプログラムを実行し、
チャネル品質閾値のセットを含む第１のメッセージを端末に送信することであって、前記チャネル品質閾値のセットは、少なくとも１つのチャネル品質閾値を備える、ことと、
ランダムアクセスプリアンブル（Ｍｓｇ１）メッセージを前記端末から受信することであって、前記Ｍｓｇ１メッセージは、複数の第１の構造を備え、前記複数の第１の構造の各々は、４つのシンボル群を備える、ことと
を行うように構成されており、
奇数インデックスを有する前記複数の第１の構造のうちの第１の構造内の前記４つのシンボル群のうちの第１のシンボル群によって占有される副搬送波インデックスは、第３の副搬送波セットから選択され、前記第３の副搬送波セットに含まれる副搬送波の数は、１２であり、
偶数インデックスを有する前記複数の第１の構造のうちの第１の構造内の前記４つのシンボル群のうちの前記第１のシンボル群によって占有される副搬送波インデックスは、第５の副搬送波セットから選択され、前記第５の副搬送波セットは、以下のルール、すなわち、
前記偶数インデックスを有する前記第１の構造の前に、奇数インデックスを有する前記第１の構造内の前記第１のシンボル群によって占有される副搬送波インデックスが、前記第３の副搬送波セットの中の偶数インデックスを有する副搬送波に対応する条件では、前記第５の副搬送波セットは、前記第３の副搬送波セットの中の奇数インデックスを有する副搬送波を備えること、または
前記偶数インデックスを有する前記第１の構造の前に、奇数インデックスを有する前記第１の構造内の前記第１のシンボル群によって占有される副搬送波インデックスが、前記第３の副搬送波セットの中の奇数インデックスを有する副搬送波に対応する条件では、前記第５の副搬送波セットは、前記第３の副搬送波セットの中の偶数インデックスを有する副搬送波を備えること
のうちの１つに従って決定される、基地局。
【請求項１４】
前記４つのシンボル群は、
前記第１のシンボル群、第２のシンボル群、第３のシンボル群、および第４のシンボル群
を備え、
前記第１のシンボル群によって占有される副搬送波インデックスおよび前記第２のシンボル群によって占有される副搬送波インデックスは、１つの副搬送波だけ異なり、前記第３のシンボル群によって占有される副搬送波インデックスおよび前記第４のシンボル群によって占有される副搬送波インデックスは、６つの副搬送波だけ異なる、請求項１３に記載の基地局。
【請求項１５】
前記４つのシンボル群の各々は、サイクリックプレフィックスと、少なくとも１つのシンボルとを備える、請求項１３に記載の基地局。
【請求項１６】
前記奇数インデックスを有する前記複数の第１の構造のうちの前記第１の構造内の前記４つのシンボル群のうちの第３のシンボル群によって占有される副搬送波インデックスは、第４の副搬送波セットから選択され、
前記偶数インデックスを有する前記複数の第１の構造のうちの前記第１の構造内の前記４つのシンボル群のうちの第３のシンボル群によって占有される副搬送波インデックスは、第６の副搬送波セットから選択され、
前記第４の副搬送波セットに含まれる副搬送波の数は、１２であり、
前記第６の副搬送波セットは、以下のルール、すなわち、
前記偶数インデックスを有する前記第１の構造の前に、奇数インデックスを有する前記第１の構造内の前記第３のシンボル群によって占有される副搬送波インデックスが、前記第４の副搬送波セットの中の｛０，１，２，３，４，５｝のインデックスを有する副搬送波に対応する条件では、前記第６の副搬送波セットは、前記第４の副搬送波セットの中のインデックス｛６，７，８，９，１０，１１｝を有する副搬送波を備えること、または
前記偶数インデックスを有する前記第１の構造の前に、奇数インデックスを有する前記第１の構造内の前記第３のシンボル群によって占有される副搬送波インデックスが、前記第４の副搬送波セットの中の｛６，７，８，９，１０，１１｝のインデックスを有する副搬送波に対応する条件では、前記第６の副搬送波セットは、前記第４の副搬送波セットの中のインデックス｛０，１，２，３，４，５｝を有する副搬送波を備えること
のうちの１つに従って決定される、請求項１３に記載の基地局。
【請求項１７】
非一過性コンピュータ可読記憶媒体であって、前記非一過性コンピュータ可読記憶媒体は、プログラムコードを記憶するように構成されており、前記少なくとも１つのプロセッサは、前記プログラムコードを実行し、請求項１、２、９、１０のいずれか一項に記載の方法を遂行する、非一過性コンピュータ可読記憶媒体。
【手続補正２】
【補正対象書類名】明細書
【補正対象項目名】００１５
【補正方法】変更
【補正の内容】
【００１５】
本願の実施形態はさらに、コンピュータ可読記憶媒体を提供する。コンピュータ可読記憶媒体は、１つ以上のプログラムを記憶するように構成され、１つ以上のプロセッサは、１つ以上のプログラムを実行し、上記に説明される任意の情報伝送方法を遂行することが可能である。
例えば、本願は以下の項目を提供する。
（項目１）
情報伝送方法であって、
基地局によって、第１のメッセージを送信すること
を含み、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、方法。
（項目２）
上記第１のメッセージは、
チャネル品質閾値の１つのセットおよび上記チャネル品質閾値の１つのセットの中のチャネル品質閾値に対する偏差値、
チャネル品質閾値の２つのセット、または
チャネル品質閾値の１つのセット
のうちの１つを備える、項目１に記載の方法。
（項目３）
上記第１のメッセージが上記少なくとも１つのチャネル品質閾値に対する上記偏差値を備える条件では、
上記第１のメッセージはさらに、上記チャネル品質偏差値の有効化識別を備える、または
上記基地局は、上記第１のメッセージ以外のメッセージを通して上記チャネル品質偏差値の有効化識別を送信する、項目１に記載の方法。
（項目４）
上記第１のメッセージに含まれるチャネル品質閾値のセットの数が１を上回る条件では、
上記第１のメッセージはさらに、チャネル品質閾値の事前設定されたセットに加えて、チャネル品質閾値の他のセットの有効化識別を備える、または
上記基地局は、上記第１のメッセージ以外のメッセージを通して、チャネル品質閾値の事前設定されたセットに加えて、チャネル品質閾値の他のセットの有効化識別を送信する、項目１に記載の方法。
（項目５）
上記基地局は、上記第１のメッセージに従って、チャネル品質を複数のチャネル品質値範囲に分割する、項目１または２に記載の方法。
（項目６）
基地局であって、上記基地局は、プロセッサと、メモリと、通信バスとを備え、
上記通信バスは、上記プロセッサと上記メモリとの間の接続通信を実装するように構成され、
上記プロセッサは、上記メモリ内に記憶された情報伝送プログラムを実行し、
第１のメッセージを送信するステップ
を遂行するように構成され、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、基地局。
（項目７）
少なくとも１つのプログラムを記憶するように構成されるコンピュータ可読記憶媒体であって、少なくとも１つのプロセッサは、上記少なくとも１つのプログラムを実行し、
第１のメッセージを送信するステップ
を遂行することが可能であり、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、コンピュータ可読記憶媒体。
（項目８）
情報伝送方法であって、
端末によって、基地局によって送信される第１のメッセージを受信すること
を含み、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、方法。
（項目９）
上記端末は、上記第１のメッセージに従って、チャネル品質を複数のチャネル品質値範囲に分割する、項目８に記載の方法。
（項目１０）
上記端末によって、アップリンクチャネルを通して第２のメッセージを伝送することをさらに含み、上記第２のメッセージは、
カバレッジ拡張レベル、
ダウンリンクチャネルの反復送信情報であって、上記反復送信情報は、反復送信レベルまたは反復送信回数を備える、反復送信情報、
ダウンリンクチャネルの変調コーディング情報であって、上記変調コーディング情報は、変調オーダーまたはコーディング効率のうちの少なくとも１つを備える、変調コーディング情報、または
チャネル品質測定情報であって、上記チャネル品質測定情報は、チャネル品質測定値またはチャネル品質測定値が位置するチャネル品質値範囲を備える、チャネル品質測定情報
のうちの少なくとも１つを備える、項目８に記載の方法。
（項目１１）
上記端末が第１の条件を満たすことを決定することに応答して、上記端末によって、上記アップリンクチャネルを通して上記第２のメッセージを伝送することをさらに含み、
上記第１の条件は、
（１）上記第２のメッセージの送信を有効化するための識別を備える上記基地局によって上記端末に送信されるメッセージ、
（２）Ｂである上記端末のカバレッジ拡張レベルであって、Ｂは、少なくとも１つの事前設定されたカバレッジ拡張レベルである、カバレッジ拡張レベル、
（３）事前設定されたカバレッジ拡張レベル閾値を上回る上記端末のカバレッジ拡張レベル、
（４）決定されたチャネル品質範囲内である上記端末のチャネル品質測定値、
（５）上記少なくとも１つのチャネル品質閾値に対する上記偏差値と、有効化されている上記少なくとも１つのチャネル品質閾値に対する上記偏差値とを備える、上記第１のメッセージ、
（６）上記少なくとも１つのチャネル品質閾値に対する上記偏差値と、事前設定された値に等しくない上記少なくとも１つのチャネル品質閾値に対する上記偏差値の値とを備える上記第１のメッセージ、
（７）１を上回る上記第１のメッセージに含まれるチャネル品質閾値のセットの数、および有効化されているチャネル品質閾値の事前設定されたセットに加えたチャネル品質閾値の他のセット、
（８）１を上回る上記第１のメッセージに含まれるチャネル品質閾値のセットの数、または
（９）上記少なくとも１つのチャネル品質閾値に対する上記偏差値を備える上記第１のメッセージ
のうちの少なくとも１つを備える、項目１０に記載の方法。
（項目１２）
上記第１の条件は、いくつかの以下の条件の組み合わせのうちの１つ、すなわち、
第１の条件の組み合わせ：（１）（２）、（１）（３）、または（１）（４）、
第２の条件の組み合わせ：（２）（４）、
条件の第３の組み合わせ：（３）（４）、
第４の条件の組み合わせ：（１）（２）（４）または（１）（３）（４）、
第５の条件の組み合わせ：（８）（２）、（８）（３）、または（８）（４）、
第６の条件の組み合わせ：（９）（２）、（９）（３）、または（９）（４）、
第７の条件の組み合わせ：（８）（２）（４）または（８）（３）（４）、または
第８の条件の組み合わせ：（９）（２）（４）または（９）（３）（４）
を備え、（ｉ）は、上記第１の条件に含まれるｉ番目のコンテンツであり、ｉは、１〜９の自然数である、項目１１に記載の方法。
（項目１３）
上記アップリンクチャネルは、
ランダムアクセス信号Ｍｓｇ１が送信されるときに使用されるアップリンクチャネル、
衝突検出メッセージＭｓｇ３が送信されるときに使用されるアップリンクチャネル、
無線リソース制御接続設定完了メッセージまたは無線リソース制御接続再開完了メッセージＭｓｇ５が送信されるときに使用されるアップリンクチャネル、
アップリンク情報転送メッセージが送信されるときに使用されるアップリンクチャネル、
ユーザ機器能力情報が送信されるときに使用されるアップリンクチャネル、または
ユーザ機器情報応答メッセージが送信されるときに使用されるアップリンクチャネル
のうちの少なくとも１つを備える、項目１０または１１に記載の方法。
（項目１４）
上記第２のメッセージが上記ダウンリンクチャネルのチャネル品質測定情報を備えることを決定することに応答して、上記ダウンリンクチャネルのチャネル品質測定情報は、Ｎビットを使用することによって示され、Ｎは、１以上の整数であり、上記Ｎビットによって量子化されるチャネル品質値範囲は、
上記端末によって選択されるカバレッジ拡張レベルに対応するチャネル品質値範囲、
上記端末によって送信されるランダムアクセス信号が位置するランダムアクセスチャネルリソースに対応するチャネル品質値範囲、
そのチャネル品質値がチャネル品質値Ａ以上のチャネル品質値範囲であって、Ａは、上記端末によって送信されるランダムアクセス信号が位置するランダムアクセスチャネルリソースに対応するチャネル品質値範囲内の最小値、またはチャネル品質値範囲内の境界値、またはチャネル品質値範囲内の事前決定された値である、チャネル品質値範囲、または
複数のチャネル品質値範囲、
のうちの少なくとも１つである、項目１０または１１に記載の方法。
（項目１５）
Ｎビットによって量子化される上記チャネル品質値範囲が上記複数のチャネル品質値範囲である条件では、上記複数のチャネル品質値範囲は、
上記端末によって選択される上記カバレッジ拡張レベルに対応する上記チャネル品質値範囲であって、上記端末によって選択される上記カバレッジ拡張レベルに対応する上記チャネル品質値範囲内の量子化された区画の数は、他のチャネル品質値範囲のそれぞれの中の量子化された区画の数以上である、上記チャネル品質値範囲、または
上記端末によって送信される上記ランダムアクセス信号が位置する上記ランダムアクセスチャネルリソースに対応する上記チャネル品質値範囲であって、上記端末によって送信される上記ランダムアクセス信号が位置する上記ランダムアクセスチャネルリソースに対応する上記チャネル品質値範囲内の量子化された区画の数は、他のチャネル品質値範囲のそれぞれの中の量子化された区画の数以上である、上記チャネル品質値範囲
を備える、項目１４に記載の方法。
（項目１６）
上記端末は、上記カバレッジ拡張レベルに従って、上記第２のメッセージ内で送信されるべき上記ダウンリンクチャネルのチャネル品質測定情報の量を決定する、項目１１に記載の方法。
（項目１７）
上記端末によって、上記第１のメッセージに従って、かつ所定の第１のルールまたは所定の第２のルールに従って、
カバレッジ拡張レベル、
チャネルの反復送信情報であって、上記反復送信情報は、反復送信レベルまたは反復送信回数を備える、反復送信情報、
チャネルの変調コーディング情報であって、上記変調コーディング情報は、変調オーダーまたはコーディング効率のうちの少なくとも１つを備える、変調コーディング情報、または
チャネル品質測定情報であって、上記チャネル品質測定情報は、チャネル品質測定値またはチャネル品質測定値が位置するチャネル品質値範囲を備える、チャネル品質測定情報
のうちの少なくとも１つを決定すること
をさらに含む、項目８に記載の方法。
（項目１８）
上記第１のルールは、
上記端末が、第１のチャネル品質測定値およびチャネル品質閾値の第１のセットに従って、上記端末の第１のカバレッジ拡張レベルを決定し、上記端末が、第２のチャネル品質測定値およびチャネル品質閾値の第２のセットに従って、上記端末の第２のカバレッジ拡張レベルを決定すること、または
上記端末が、第１のチャネル品質測定値およびチャネル品質閾値の第１のセットに従って、上記端末の第１のタイプのチャネル品質の値範囲を決定し、上記端末が、第２のチャネル品質測定値およびチャネル品質閾値の第２のセットに従って、上記端末の第２のタイプのチャネル品質の値範囲を決定すること、または
上記端末が、第１のチャネル品質測定値、チャネル品質閾値の第１のセット、第２のチャネル品質測定値、およびチャネル品質閾値の第２のセットに従って、上記端末のカバレッジ拡張レベル、または上記チャネルの反復送信情報、または上記チャネルの変調コーディング情報を決定すること
を含む、項目１７に記載の方法。
（項目１９）
上記第１のルールはさらに、
上記端末が、上記端末のカバレッジ拡張レベルとして、上記第１のカバレッジ拡張レベルおよび上記第２のカバレッジ拡張レベルから最大カバレッジ拡張レベルを選択すること、
上記端末が、上記端末のカバレッジ拡張レベルとして、上記第１のカバレッジ拡張レベルおよび上記第２のカバレッジ拡張レベルをとること、
上記端末が、上記端末のチャネル品質測定情報として、上記第１のタイプのチャネル品質の選択された値範囲のインデックスおよび上記第２のタイプのチャネル品質の選択された値範囲のインデックスから最大値をとること、または
上記端末が、上記端末のチャネル品質測定情報として、上記第１のタイプのチャネル品質の選択された値範囲および上記第２のタイプのチャネル品質の選択された値範囲をとること
のうちのいずれか１つを含む、項目１８に記載の方法。
（項目２０）
上記第１のルールはさらに、
上記端末が、上記端末のカバレッジ拡張レベルとして、上記第２のカバレッジ拡張レベルをとること、または
上記端末が、上記端末のチャネル品質測定情報として、上記第２のタイプのチャネル品質の選択された値範囲をとること
を含む、項目１８に記載の方法。
（項目２１）
上記第１のルールはさらに、
上記端末が、上記カバレッジ拡張レベルに従って、上記チャネルの対応する反復送信情報を選択すること、
上記端末が、上記カバレッジ拡張レベルに従って、上記チャネルの対応する変調コーディング情報を選択すること、
上記端末が、ダウンリンクチャネルのチャネル品質測定情報に従って、上記チャネルの対応する反復送信情報を選択すること、または
上記端末が、ダウンリンクチャネルのチャネル品質測定情報に従って、上記チャネルの対応する変調コーディング情報を選択すること
のうちの少なくとも１つを含む、項目１９または２０に記載の方法。
（項目２２）
上記第２のルールは、
上記端末が、第１のチャネル品質測定値およびチャネル品質閾値の第１のセットに従って、上記端末の第１のカバレッジ拡張レベルを決定すること、同一の第１のカバレッジ拡張レベルに属する上記端末が、第２のチャネル品質測定値およびチャネル品質閾値の第２のセットに従って、上記端末の第２のカバレッジ拡張レベルを決定し、上記端末が、上記端末のカバレッジ拡張レベルとして上記第２のカバレッジ拡張レベルをとるか、または、上記端末のカバレッジ拡張レベルとして上記第１のカバレッジ拡張レベルおよび上記第２のカバレッジ拡張レベルをとることであって、上記第１のカバレッジ拡張レベルおよび上記第２のカバレッジ拡張レベルは、独立して示される、または、上記第１のカバレッジ拡張レベルおよび上記第２のカバレッジ拡張レベルは、合同で示される、こと、または
上記端末が、第１のチャネル品質測定値およびチャネル品質閾値の第１のセットに従って、上記端末の第１のタイプのチャネル品質の値範囲を決定すること、上記第１のタイプのチャネル品質の同一の値範囲に属する上記端末が、第２のチャネル品質測定値およびチャネル品質閾値の第２のセットに従って、上記端末の第２のタイプのチャネル品質の値範囲を決定することであって、上記端末の第１のタイプのチャネル品質の値範囲および上記端末の第２のタイプのチャネル品質の値範囲は、独立して示される、または、上記端末の第１のタイプのチャネル品質の値範囲および上記端末の第２のタイプのチャネル品質の値範囲は、合同で示される、こと
を含む、項目１７に記載の方法。
（項目２３）
上記第２のルールはさらに、
上記端末が、上記カバレッジ拡張レベルに従って、上記チャネルの対応する反復送信情報を選択すること、
上記端末が、上記カバレッジ拡張レベルに従って、上記チャネルの対応する変調コーディング情報を選択すること、
上記端末が、ダウンリンクチャネル品質測定値または上記ダウンリンクチャネル品質測定値が位置するチャネル品質値範囲に従って、上記チャネルの対応する反復送信情報を選択すること、または
上記端末が、ダウンリンクチャネル品質測定値または上記ダウンリンクチャネル品質測定値が位置するチャネル品質値範囲に従って、上記チャネルの対応する変調コーディング情報を選択すること
のうちの少なくとも１つを含む、項目２２に記載の方法。
（項目２４）
上記チャネル品質閾値の第１のセットに対応するチャネル品質および上記チャネル品質閾値の第２のセットに対応するチャネル品質は、異なるタイプに属する、項目２２に記載の方法。
（項目２５）
上記チャネル品質閾値の第１のセットに対応する上記チャネル品質は、上記基準信号受信電力（ＲＳＲＰ）であり、上記チャネル品質閾値の第２のセットに対応する上記チャネル品質は、上記基準信号受信品質（ＲＳＲＱ）または上記ダウンリンク信号対干渉および雑音比（ＳＩＮＲ）である、項目２４に記載の方法。
（項目２６）
上記端末によって、アップリンクチャネルを通して第３のメッセージを伝送することをさらに含み、上記第３のメッセージは、
カバレッジ拡張レベル、
チャネルの反復送信情報であって、上記反復送信情報は、反復送信レベルまたは反復送信回数を備える、反復送信情報、
チャネルの変調コーディング情報であって、上記変調コーディング情報は、変調オーダーまたはコーディング効率のうちの少なくとも１つを備える、変調コーディング情報、または
チャネル品質測定情報であって、上記チャネル品質測定情報は、チャネル品質測定値またはチャネル品質測定値が位置するチャネル品質値範囲を備える、チャネル品質測定情報
のうちの少なくとも１つを備え、
上記端末は、所定の第１のルールまたは所定の第２のルールを通して上記第３のメッセージ内のパラメータの値を決定する、項目８に記載の方法。
（項目２７）
上記第１のルールは、
上記端末が、第１のチャネル品質測定値およびチャネル品質閾値の第１のセットに従って、上記端末の第１のカバレッジ拡張レベルを決定し、上記端末が、第２のチャネル品質測定値およびチャネル品質閾値の第２のセットに従って、上記端末の第２のカバレッジ拡張レベルを決定すること、または
上記端末が、第１のチャネル品質測定値およびチャネル品質閾値の第１のセットに従って、上記端末の第１のタイプのチャネル品質の値範囲を決定し、上記端末が、第２のチャネル品質測定値およびチャネル品質閾値の第２のセットに従って、上記端末の第２のタイプのチャネル品質の値範囲を決定すること、または
上記端末が、第１のチャネル品質測定値、チャネル品質閾値の第１のセット、第２のチャネル品質測定値、およびチャネル品質閾値の第２のセットに従って、上記端末のカバレッジ拡張レベル、または上記チャネルの反復送信情報、または上記チャネルの変調コーディング情報を決定すること
のうちのいずれか１つを含む、項目２６に記載の方法。
（項目２８）
上記第１のルールはさらに、
上記端末が、上記端末のカバレッジ拡張レベルとして、上記第１のカバレッジ拡張レベルおよび上記第２のカバレッジ拡張レベルから最大カバレッジ拡張レベルを選択すること、
上記端末が、上記端末のカバレッジ拡張レベルとして、上記第１のカバレッジ拡張レベルおよび上記第２のカバレッジ拡張レベルをとること、
上記端末が、上記端末のチャネル品質測定情報として、上記第１のタイプのチャネル品質の選択された値範囲のインデックスおよび上記第２のタイプのチャネル品質の選択された値範囲のインデックスから最大値をとること、または
上記端末が、上記端末のチャネル品質測定情報として、上記第１のタイプのチャネル品質の選択された値範囲および上記第２のタイプのチャネル品質の選択された値範囲をとること
のうちのいずれか１つを含む、項目２７に記載の方法。
（項目２９）
上記第１のルールはさらに、
上記端末が、上記端末のカバレッジ拡張レベルとして、上記第２のカバレッジ拡張レベルをとること、または
上記端末が、上記端末のチャネル品質測定情報として、上記第２のタイプのチャネル品質の選択された値範囲をとること
を含む、項目２７に記載の方法。
（項目３０）
上記第１のルールはさらに、
上記端末が、上記カバレッジ拡張レベルに従って、上記チャネルの対応する反復送信情報を選択すること、
上記端末が、上記カバレッジ拡張レベルに従って、上記チャネルの対応する変調コーディング情報を選択すること、
上記端末が、ダウンリンクチャネルのチャネル品質測定情報に従って、上記チャネルの対応する反復送信情報を選択すること、または
上記端末が、ダウンリンクチャネルのチャネル品質測定情報に従って、上記チャネルの対応する変調コーディング情報を選択すること
のうちの少なくとも１つを含む、項目２８または２９に記載の方法。
（項目３１）
上記第２のルールは、
上記端末が、第１のチャネル品質測定値およびチャネル品質閾値の第１のセットに従って、上記端末の第１のカバレッジ拡張レベルを決定すること、上記同一の第１のカバレッジ拡張レベルに属する上記端末が、第２のチャネル品質測定値およびチャネル品質閾値の第２のセットに従って、上記端末の第２のカバレッジ拡張レベルを決定し、上記端末が、上記端末のカバレッジ拡張レベルとして、上記第２のカバレッジ拡張レベルをとること、または、上記端末のカバレッジ拡張レベルとして、上記第１のカバレッジ拡張レベルおよび上記第２のカバレッジ拡張レベルをとることであって、上記第１のカバレッジ拡張レベルおよび上記第２のカバレッジ拡張レベルは、独立して示される、または、上記第１のカバレッジ拡張レベルおよび上記第２のカバレッジ拡張レベルは、合同で示される、こと、または
上記端末が、第１のチャネル品質測定値およびチャネル品質閾値の第１のセットに従って、上記端末の第１のタイプのチャネル品質の値範囲を決定すること、上記第１のタイプのチャネル品質の同一の値範囲に属する上記端末が、第２のチャネル品質測定値およびチャネル品質閾値の第２のセットに従って、上記端末の第２のタイプのチャネル品質の値範囲を決定することであって、上記端末の第１のタイプのチャネル品質の値範囲および上記端末の第２のタイプのチャネル品質の値範囲は、独立して示される、または、上記端末の第１のタイプのチャネル品質の値範囲および上記端末の第２のタイプのチャネル品質の値範囲は、合同で示される、こと
を含む、項目２６に記載の方法。
（項目３２）
上記第２のルールはさらに、
上記端末が、上記カバレッジ拡張レベルに従って、上記チャネルの対応する反復送信情報を選択すること、
上記端末が、上記カバレッジ拡張レベルに従って、上記チャネルの対応する変調コーディング情報を選択すること、
上記端末が、ダウンリンクチャネル品質測定値または上記ダウンリンクチャネル品質測定値が位置するチャネル品質値範囲に従って、上記チャネルの対応する反復送信情報を選択すること、または
上記端末が、ダウンリンクチャネル品質測定値または上記ダウンリンクチャネル品質測定値が位置するチャネル品質値範囲に従って、上記チャネルの対応する変調コーディング情報を選択すること
のうちの少なくとも１つを含む、項目３１に記載の方法。
（項目３３）
上記チャネル品質閾値の第１のセットに対応するチャネル品質および上記チャネル品質閾値の第２のセットに対応するチャネル品質は、異なるタイプに属する、項目３２に記載の方法。
（項目３４）
上記チャネル品質閾値の第１のセットに対応する上記チャネル品質は、上記ＲＳＲＰであり、上記チャネル品質閾値の第２のセットに対応する上記チャネル品質は、上記ＲＳＲＱまたは上記ダウンリンクＳＩＮＲである、項目３３に記載の方法。
（項目３５）
上記端末が第２の条件を満たすことを決定することに応答して、上記端末は、上記アップリンクチャネルを通して上記第３のメッセージを伝送し、上記第２の条件は、
（１）上記第３のメッセージの送信を有効化するための識別を備える、システムメッセージ、またはブロードキャストメッセージ、またはダウンリンクチャネルを通して上記端末に送信されるメッセージ、
（２）Ｂである上記端末のカバレッジ拡張レベルであって、Ｂは、少なくとも１つの事前設定されたカバレッジ拡張レベルである、カバレッジ拡張レベル、
（３）事前設定されたカバレッジ拡張レベル閾値を上回る上記端末のカバレッジ拡張レベル、
（４）決定されたチャネル品質範囲内である上記端末のチャネル品質測定値、または
（５）１を上回る上記第１のメッセージに含まれるチャネル品質閾値のセットの数
のうちの少なくとも１つを含む、項目２６に記載の方法。
（項目３６）
端末であって、上記端末は、プロセッサと、メモリと、通信バスとを備え、
上記通信バスは、上記プロセッサと上記メモリとの間の接続通信を実装するように構成され、
上記プロセッサは、上記メモリ内に記憶された情報伝送プログラムを実行し、情報伝送方法を遂行するように構成され、上記方法は、
基地局によって送信される第１のメッセージを受信すること
を含み、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、端末。
（項目３７）
少なくとも１つのプログラムを記憶するように構成されるコンピュータ可読記憶媒体であって、少なくとも１つのプロセッサは、上記少なくとも１つのプログラムを実行し、情報伝送方法を遂行することが可能であり、上記方法は、
基地局によって送信される第１のメッセージを受信すること
を含み、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備え、
上記少なくとも１つのチャネル品質閾値は、少なくとも１つの以下のタイプのチャネル品質、すなわち、
基準信号受信電力、基準信号受信品質、ダウンリンク信号対干渉および雑音比、ダウンリンク信号対雑音比、アップリンク信号対干渉および雑音比、アップリンク信号対雑音比、ダウンリンクパスロス、またはアップリンクパスロス
に従って設定される、コンピュータ可読記憶媒体。
（項目３８）
情報伝送方法であって、
端末によって、基地局によって送信される第１のメッセージを受信することであって、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備える、ことと、
上記端末によって、ランダムアクセスプリアンブルＭｓｇ１メッセージを送信することであって、上記Ｍｓｇ１メッセージは、少なくとも１つの第１の構造を備える、ことと
を含み、上記少なくとも１つの第１の構造はそれぞれ、少なくとも１つのシンボル群を備え、
上記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、方法。
（項目３９）
上記第１の構造は、
４つのシンボル群であって、第１のシンボル群によって占有される副搬送波インデックスおよび第２のシンボル群によって占有される副搬送波インデックスは、１つの副搬送波だけ異なり、第３のシンボル群によって占有される副搬送波インデックスおよび第４のシンボル群によって占有される副搬送波インデックスは、６つの副搬送波だけ異なる、４つのシンボル群、または
３つのシンボル群であって、第１のシンボル群によって占有される副搬送波インデックスおよび第２のシンボル群によって占有される副搬送波インデックスは、１つの副搬送波だけ異なり、上記第２のシンボル群によって占有される副搬送波インデックスおよび第３のシンボル群によって占有される副搬送波インデックスは、６つの副搬送波だけ異なる、３つのシンボル群
を備える、項目３８に記載の方法。
（項目４０）
上記Ｍｓｇ１メッセージが複数の第１の構造を備え、上記複数の第１の構造がそれぞれ、３つのシンボル群を備えることを決定することに基づいて、
奇数インデックスを有する第１の構造内の第１のシンボル群によって占有される副搬送波インデックスが、第１の副搬送波セットから選択され、
偶数インデックスを有する第１の構造内の第１のシンボル群によって占有される副搬送波インデックスが、第２の副搬送波セットから選択され、
上記第１の副搬送波セットに含まれる副搬送波の数は、１２であり、
上記第２の副搬送波セットは、以下のルール、すなわち、
上記偶数インデックスを有する上記第１の構造の前に、奇数インデックスを有する第１の構造内の第１のシンボル群によって占有される副搬送波インデックスが、上記第１の副搬送波セットの中のインデックス｛０，２，４｝のうちの１つである条件では、上記第２の副搬送波セットは、上記第１の副搬送波セットの中のインデックス｛７，９，１１｝を有する副搬送波を備えること、
上記偶数インデックスを有する上記第１の構造の前に、奇数インデックスを有する第１の構造内の第１のシンボル群によって占有される副搬送波インデックスが、上記第１の副搬送波セットの中のインデックス｛６，８，１０｝のうちの１つである条件では、上記第２の副搬送波セットは、上記第１の副搬送波セットの中のインデックス｛１，３，５｝を有する副搬送波を備えること、
上記偶数インデックスを有する上記第１の構造の前に、奇数インデックスを有する第１の構造内の第１のシンボル群によって占有される副搬送波インデックスが、上記第１の副搬送波セットの中のインデックス｛１，３，５｝のうちの１つである条件では、上記第２の副搬送波セットは、上記第１の副搬送波セットの中のインデックス｛６，８，１０｝を有する副搬送波を備えること、または
上記偶数インデックスを有する上記第１の構造の前に、奇数インデックスを有する第１の構造内の第１のシンボル群によって占有される副搬送波インデックスが、上記第１の副搬送波セットの中のインデックス｛７，９，１１｝のうちの１つである条件では、上記第２の副搬送波セットは、上記第１の副搬送波セットの中のインデックス｛０，２，４｝を有する副搬送波を備えること
のうちの１つに従って決定される、項目３９に記載の方法。
（項目４１）
上記Ｍｓｇ１メッセージが、複数の第１の構造を備え、上記複数の第１の構造がそれぞれ、４つのシンボル群を備えることを決定することに応答して、
奇数インデックスを有する第１の構造内の第１のシンボル群によって占有される副搬送波インデックスは、第３の副搬送波セットから選択され、
上記奇数インデックスを有する上記第１の構造内の第３のシンボル群によって占有される副搬送波インデックスは、第４の副搬送波セットから選択され、
偶数インデックスを有する第１の構造内の第１のシンボル群によって占有される副搬送波インデックスは、第５の副搬送波セットから選択され、
上記偶数インデックスを有する上記第１の構造内の第３のシンボル群によって占有される副搬送波インデックスは、第６の副搬送波セットから選択され、
上記第３の副搬送波セットに含まれる副搬送波の数は、１２であり、上記第４の副搬送波セットに含まれる副搬送波の数は、１２であり、
上記第５の副搬送波セットは、以下のルール、すなわち、
上記偶数インデックスを有する上記第１の構造の前に、奇数インデックスを有する第１の構造内の第１のシンボル群によって占有される副搬送波インデックスが、上記第３の副搬送波セットの中の偶数インデックスを有する副搬送波である条件では、上記第５の副搬送波セットは、上記第３の副搬送波セットの中の奇数インデックスを有する副搬送波を備えること、または
上記偶数インデックスを有する上記第１の構造の前に、奇数インデックスを有する第１の構造内の第１のシンボル群によって占有される副搬送波インデックスが、上記第３の副搬送波セットの中の奇数インデックスを有する副搬送波である条件では、上記第５の副搬送波セットは、上記第３の副搬送波セットの中の偶数インデックスを有する副搬送波を備えること、
のうちの１つに従って決定され、
上記第６の副搬送波セットは、以下のルール、すなわち、
上記偶数インデックスを有する上記第１の構造の前に、奇数インデックスを有する第１の構造内の第３のシンボル群によって占有される副搬送波インデックスが、上記第４の副搬送波セットの中の｛０，１，２，３，４，５｝のインデックスを有する副搬送波である条件では、上記第６の副搬送波セットは、上記第４の副搬送波セットの中のインデックス｛６，７，８，９，１０，１１｝を有する副搬送波を備えること、または
上記偶数インデックスを有する上記第１の構造の前に、奇数インデックスを有する第１の構造内の第３のシンボル群によって占有される副搬送波インデックスが、上記第４の副搬送波セットの中の｛６，７，８，９，１０，１１｝のインデックスを有する副搬送波である条件では、上記第６の副搬送波セットは、上記第４の副搬送波セットの中のインデックス｛０，１，２，３，４，５｝を有する副搬送波を備えること
のうちの１つに従って決定される、項目３９に記載の方法。
（項目４２）
端末であって、上記端末は、プロセッサと、メモリと、通信バスとを備え、
上記通信バスは、上記プロセッサと上記メモリとの間の接続通信を実装するように構成され、
上記プロセッサは、上記メモリ内に記憶された情報伝送プログラムを実行し、情報伝送方法を遂行するように構成され、上記方法は、
基地局によって送信される第１のメッセージを受信することであって、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備える、ことと、
ランダムアクセスプリアンブルＭｓｇ１メッセージを送信することであって、上記Ｍｓｇ１メッセージは、少なくとも１つの第１の構造を備える、ことと
を含み、上記少なくとも１つの第１の構造はそれぞれ、少なくとも１つのシンボル群を備え、
上記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、端末。
（項目４３）
少なくとも１つのプログラムを記憶するように構成されるコンピュータ可読記憶媒体であって、少なくとも１つのプロセッサは、上記少なくとも１つのプログラムを実行し、情報伝送方法を遂行することが可能であり、上記方法は、
基地局によって送信される第１のメッセージを受信することであって、上記第１のメッセージは、
チャネル品質閾値の少なくとも１つのセットであって、上記チャネル品質閾値の少なくとも１つのセットはそれぞれ、少なくとも１つのチャネル品質閾値を備える、チャネル品質閾値の少なくとも１つのセット、または
上記少なくとも１つのチャネル品質閾値に対する偏差値
のうちの少なくとも１つを備える、ことと、
ランダムアクセスプリアンブルＭｓｇ１メッセージを送信することであって、上記Ｍｓｇ１メッセージは、少なくとも１つの第１の構造を備える、ことと
を含み、
上記少なくとも１つの第１の構造はそれぞれ、少なくとも１つのシンボル群を備え、
上記第１の構造の少なくとも１つのシンボル群はそれぞれ、サイクリックプレフィックスと、少なくとも１つのシンボルとを備える、またはサイクリックプレフィックスと、少なくとも１つのシンボルと、ガード時間とを備える、コンピュータ可読記憶媒体。
（項目４４）
情報伝送方法であって、
基地局によって、ダウンリンクチャネルを通してランダムアクセス応答Ｍｓｇ２メッセージを送信することであって、上記Ｍｓｇ２メッセージは、媒体アクセス制御（ＭＡＣ）ヘッダと、ＭＡＣペイロードとを備える、こと
を含み、
上記Ｍｓｇ２メッセージはさらに、上記ランダムアクセスプリアンブルＭｓｇ１メッセージの調節情報を備える、方法。
（項目４５）
ＭＡＣサブヘッダがバックオフインジケータ情報を備えることを決定することに応答して、上記Ｍｓｇ１メッセージの調節情報は、上記ＭＡＣペイロード内で送信される、項目４４に記載の方法。
（項目４６）
上記ＭＡＣペイロードがＭＡＣランダムアクセス応答情報を備えることを決定することに応答して、上記Ｍｓｇ１メッセージの調節情報は、最後のＭＡＣランダムアクセス応答情報の後に送信される、項目４５に記載の方法。
（項目４７）
上記Ｍｓｇ１メッセージの調節情報は、
調節されたカバレッジ拡張レベル、
上記Ｍｓｇ１メッセージの調節された反復送信回数または調節された反復送信レベル、
上記Ｍｓｇ１メッセージの調節された初期標的受信電力値、
上記Ｍｓｇ１メッセージを送信するために選択される、調節されたビーム方向またはビームインデックス、
上記Ｍｓｇ１メッセージのリソース構成情報の時間ドメイン・周波数ドメインリソースブロックの調節されたインデックス情報、
カバレッジ拡張レベルの調節量、
上記Ｍｓｇ１メッセージの反復送信回数の調節量または反復送信レベルの調節量、
上記Ｍｓｇ１メッセージの初期標的受信電力値の調節量、
上記Ｍｓｇ１メッセージを送信するための選択されたビーム方向の調節量または選択されたビームインデックスの調節量、または
上記Ｍｓｇ１メッセージのリソース構成情報の時間ドメイン・周波数ドメインリソースブロックのインデックス情報の調節量
のうちの少なくとも１つを備える、項目４６に記載の方法。
（項目４８）
上記Ｍｓｇ１メッセージの調節情報は、ＭＡＣサブヘッダ内のランダムアクセスプリアンブル識別（ＲＡＰＩＤ）フィールドによって示される、項目４４に記載の方法。
（項目４９）
上記ＭＡＣサブヘッダ内の上記ＲＡＰＩＤフィールドによって示されている上記Ｍｓｇ１メッセージの調節情報は、
上記ＲＡＰＩＤフィールドの状態ビットの一部または全てによって上記Ｍｓｇ１メッセージの調節情報を示すこと
を含み、上記状態ビットは、上記ＲＡＰＩＤフィールドに含まれるビットによって説明される状態である、項目４８に記載の方法。
（項目５０）
上記Ｍｓｇ１メッセージの調節情報を示す上記ＭＡＣサブヘッダは、バックオフインジケータ情報を備えるＭＡＣサブヘッダの後に送信される、項目４９に記載の方法。
（項目５１）
上記ＭＡＣサブヘッダ内の上記ＲＡＰＩＤフィールドによって示されている上記Ｍｓｇ１メッセージの調節情報は、
上記Ｍｓｇ１メッセージの調節情報が上記ＭＡＣペイロードに含まれるかどうかを示すために上記ＲＡＰＩＤフィールドの状態ビットを使用すること
を含む、項目４８に記載の方法。
（項目５２）
上記ＲＡＰＩＤフィールドの状態ビットが、上記Ｍｓｇ１メッセージの調節情報が上記ＭＡＣペイロードに含まれることを示すことを決定することに応答して、上記Ｍｓｇ１メッセージの調節情報は、上記ＭＡＣヘッダの後に送信される、項目５１に記載の方法。
（項目５３）
上記ＲＡＰＩＤフィールドの状態ビットが、上記Ｍｓｇ１メッセージの調節情報が上記ＭＡＣペイロードに含まれること、およびＭＡＣランダムアクセス応答情報が上記ＭＡＣペイロード内に存在すること示すことを決定することに応答して、上記Ｍｓｇ１メッセージの調節情報は、上記ＭＡＣペイロード内の最後のＭＡＣランダムアクセス応答情報の後に送信される、項目５１に記載の方法。
（項目５４）
基地局であって、上記基地局は、プロセッサと、メモリと、通信バスとを備え、
上記通信バスは、上記プロセッサと上記メモリとの間の接続通信を実装するように構成され、
上記プロセッサは、上記メモリ内に記憶された情報伝送プログラムを実行し、情報伝送方法を遂行するように構成され、上記方法は、
ダウンリンクチャネルを通してランダムアクセス応答Ｍｓｇ２メッセージを送信することであって、上記Ｍｓｇ２メッセージは、媒体アクセス制御（ＭＡＣ）ヘッダと、ＭＡＣペイロードとを備える、こと
を含み、上記Ｍｓｇ２メッセージはさらに、上記ランダムアクセスプリアンブルＭｓｇ１メッセージの調節情報を備える、基地局。
（項目５５）
少なくとも１つのプログラムを記憶するように構成されるコンピュータ可読記憶媒体であって、少なくとも１つのプロセッサは、上記少なくとも１つのプログラムを実行し、情報伝送方法を遂行することが可能であり、上記方法は、
ダウンリンクチャネルを通してランダムアクセス応答Ｍｓｇ２メッセージを送信することであって、上記Ｍｓｇ２メッセージは、媒体アクセス制御（ＭＡＣ）ヘッダと、ＭＡＣペイロードとを備える、こと
を含み、
上記Ｍｓｇ２メッセージはさらに、上記ランダムアクセスプリアンブルＭｓｇ１メッセージの調節情報を備える、コンピュータ可読記憶媒体。
【手続補正３】
【補正対象書類名】明細書
【補正対象項目名】００３６
【補正方法】変更
【補正の内容】
【００３６】
Ｍｓｇ３は、アップリンクスケジューリングに基づく狭帯域物理アップリンク共有チャネル（ＮＰＵＳＣＨ）を通して、ハイブリッド自動反復要求（ＨＡＲＱ）機構を使用して伝送される、メッセージである。無線リソース制御（ＲＲＣ）接続要求（ＲＲＣ接続要求）メッセージまたはＲＲＣ接続再開要求メッセージが、Ｍｓｇ３内で伝送される。異なるＵＥが、同一のＲＡＲメッセージを受信する場合、異なるＵＥは、同一のアップリンクリソースを取得し、同時にＭｓｇ３メッセージを送信する。異なるＵＥを区別するために、ＵＥ特有の識別（ＩＤ）が、異なるＵＥを区別するようにＭｓｇ３内で搬送される。初期アクセスの場合、そのようなＩＤは、ＵＥのサービング一時的モバイルサブスクライバ識別（Ｓ−ＴＭＳＩ）（存在する場合）またはランダムに生成された４０ビット値であってもよい。
【手続補正４】
【補正対象書類名】明細書
【補正対象項目名】０２５３
【補正方法】変更
【補正の内容】
【０２５３】
第６の副搬送波セットは、以下に従って決定され、すなわち、偶数インデックスを有する第１の構造の前に、奇数インデックスを有する第１の構造内の第３のシンボル群によって占有される、副搬送波インデックスが、第４の副搬送波セットの中の｛０，１，２，３，４，５｝のインデックスを有する、副搬送波であるとき、第６の副搬送波セットは、第４の副搬送波セットの中のインデックス｛６，７，８，９，１０，１１｝を有する、副搬送波を含む。
【手続補正５】
【補正対象書類名】明細書
【補正対象項目名】０２８５
【補正方法】変更
【補正の内容】
【０２８５】
「Ｅ」は、ＭＡＣサブヘッダの後に他のサブヘッダが続くかどうかを示すために使用される。その「Ｅ」は、ＭＡＣサブヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【手続補正６】
【補正対象書類名】明細書
【補正対象項目名】０２９８
【補正方法】変更
【補正の内容】
【０２９８】
本願の実施形態はさらに、基地局を提供する。基地局は、プロセッサと、メモリと、通信バスとを含む。
【手続補正７】
【補正対象書類名】明細書
【補正対象項目名】０４２４
【補正方法】変更
【補正の内容】
【０４２４】
実施形態では、基地局は、ＣＥレベル０およびＣＥレベル１に対応するチャネル品質閾値を増加させる。図６に示されるように、ＣＥレベル０のチャネル品質閾値は、最初に構成されたＣＱ＿ＴＨ＿ＣＥ０からＮｅｗ＿ＣＱ＿ＴＨ＿ＣＥ０まで増加され、ＣＥレベル１のチャネル品質閾値は、最初に構成されたＣＱ＿ＴＨ＿ＣＥ１からＮｅｗ＿ＣＱ＿ＴＨ＿ＣＥ１まで増加される。基地局は、新しい閾値Ｎｅｗ＿ＣＱ＿ＴＨ＿ＣＥ０およびＮｅｗ＿ＣＱ＿ＴＨ＿ＣＥ１をＵＥに送信する。
【手続補正８】
【補正対象書類名】明細書
【補正対象項目名】０４６６
【補正方法】変更
【補正の内容】
【０４６６】
「Ｅ」は、ＭＡＣサブヘッダの後に他のサブヘッダが続くかどうかを示すために使用される。その「Ｅ」は、ＭＡＣサブヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【手続補正９】
【補正対象書類名】明細書
【補正対象項目名】０４７０
【補正方法】変更
【補正の内容】
【０４７０】
実施形態では、ｎ（ｎは、０を上回る）個のＭＡＣ  ＲＡＲが、ＭＡＣペイロードに存在する場合、Ｍｓｇ１の調節情報は、図１１に示されるように、インデックスｎを有するＭＡＣ  ＲＡＲの後に送信される。
実施形態では、Ｍｓｇ１の調節情報は、以下のうちの少なくとも１つを含む。
【手続補正１０】
【補正対象書類名】明細書
【補正対象項目名】０４９６
【補正方法】変更
【補正の内容】
【０４９６】
「Ｅ」は、ＭＡＣサブヘッダの後に他のサブヘッダが続くかどうかを示すために使用される。その「Ｅ」は、ＭＡＣサブヘッダの後に他のサブヘッダが続くことを示す、「１」として構成される。その「Ｅ」は、サブヘッダの直後にＭＡＣ  ＲＡＲまたはパディングビットが続くことを示す、「０」として構成される。
【国際調査報告】
2021512551.tif 000033
2021512551.tif 000034
2021512551.tif 000035
2021512551.tif 000036
2021512551.tif 000037
2021512551.tif 000038